(57)【要約】【課題】より簡単に、複数の利用者に対してそれぞれが所望する証明写真を提供する。【解決手段】複数の利用者に、証明写真の用途を選択させるための選択画面が表示され、利用者それぞれを被写体として撮影が行われ、利用者それぞれの撮影画像が取得され、撮影により得られた利用者それぞれの撮影画像に対して、利用者それぞれにより選択された用途に応じた調整が施されることで、利用者毎の証明写真用画像が生成される。本発明は、例えば、写真シール作成装置に適用することができる。【選択図】図７９
2015148774.tif 000002
【特許請求の範囲】
【請求項１】
複数の利用者に、証明写真の用途を選択させるための選択画面を表示する選択画面表示手段と、
前記利用者それぞれを被写体として撮影を行い、前記利用者それぞれの撮影画像を取得する撮影手段と、
撮影により得られた前記利用者それぞれの前記撮影画像に対して、前記利用者それぞれにより選択された前記用途に応じた調整を施すことで、前記利用者毎の証明写真用画像を生成する調整手段と
を備える証明写真作成装置。
【請求項２】
前記利用者それぞれの前記撮影画像に対する調整を施すための操作を、前記利用者それぞれに並行して行わせるための調整画面を表示する調整画面表示手段をさらに備え、
前記調整手段は、前記調整画面に対する前記利用者それぞれの操作に基づいて、前記利用者それぞれの前記撮影画像に対して、前記利用者それぞれにより選択された前記用途に応じた調整を施す
請求項１に記載の証明写真作成装置。
【請求項３】
前記調整画面表示手段は、１回の操作により、選択された前記用途に応じた前記撮影画像の調整を可能とする前記調整画面を表示する
請求項２に記載の証明写真作成装置。
【請求項４】
前記調整画面表示手段は、選択された前記用途に応じた調整範囲で、前記撮影画像の調整を可能とする前記調整画面を表示する
請求項２に記載の証明写真作成装置。
【請求項５】
生成された前記利用者毎の前記証明写真用画像を、選択された前記用途に応じたサイズで、前記印刷媒体に印刷する印刷手段をさらに備える
請求項１乃至４のいずれかに記載の証明写真作成装置。
【請求項６】
前記選択画面表示手段は、前記利用者それぞれが複数の前記用途を選択可能とする前記選択画面を表示し、
前記調整手段は、前記利用者毎の１枚の前記撮影画像に対して、選択された複数の前記用途に応じた複数種類の調整を施すことで、前記利用者毎の複数の前記証明写真用画像を生成する
請求項１乃至４のいずれかに記載の証明写真作成装置。
【請求項７】
生成された前記利用者毎の複数の前記証明写真用画像を、選択された複数の前記用途に応じたサイズで、前記印刷媒体に印刷する印刷手段をさらに備える
請求項６に記載の証明写真作成装置。
【請求項８】
前記選択画面表示手段は、前記用途として、前記証明写真の提出先の分類を選択させるための選択画面を表示する
請求項１乃至７のいずれかに記載の証明写真作成装置。
【請求項９】
複数の利用者に、証明写真の用途を選択させるための選択画面を表示し、
前記利用者それぞれを被写体として撮影を行い、前記利用者それぞれの撮影画像を取得し、
撮影により得られた前記利用者それぞれの前記撮影画像に対して、前記利用者それぞれにより選択された前記用途に応じた調整を施すことで、前記利用者毎の証明写真用画像を生成する
ステップを含む証明写真作成方法。
【発明の詳細な説明】
【技術分野】
【０００１】
本発明は、証明写真作成装置および証明写真作成方法に関し、特に、複数の利用者に対してそれぞれが所望する証明写真を提供することができるようにした証明写真作成装置および証明写真作成方法に関する。
【背景技術】
【０００２】
履歴書などに貼るための証明写真を用意するのにボックス型の証明写真機が用いられることが多い。
【０００３】
利用者は、鉄道駅の構内などに設置されている証明写真機のブース内に入り、用意された椅子に座って、画面の案内に従って用途やサイズを選択したり、撮影を行ったりする。撮影した画像に対して画質の調整などを行った後、印刷の開始を指示し、光沢紙などに印刷された写真を受け取ることになる（例えば特許文献１）。
【０００４】
このような証明写真機の中には、利用者に、証明写真の提出先を分類する業界を選択させ、選択された業界に対応する髪型や服装、化粧等に関する注意事項を表示した後、選択された業界に適した背景色を提示し、利用者に選択させるようにしたものがある（例えば特許文献２）。このような証明写真機によれば、利用者は、証明写真の提出先に適した証明写真を得ることができる。
【先行技術文献】
【特許文献】
【０００５】
【特許文献１】特開２０１３−３８４５９号公報
【特許文献２】特開２０１１−２５９１１２号公報
【発明の概要】
【発明が解決しようとする課題】
【０００６】
しかしながら、上述した証明写真機は、１人の利用者を対象としたものであるので、複数人の友達同士が、例えば、証明写真の提出先に適した証明写真をそれぞれ得るには、一連の作業を１人ずつ行うしかなく、そのため発生する待ち時間を煩わしく思う人もいる。
【０００７】
本発明はこのような状況に鑑みてなされたものであり、より簡単に、複数の利用者に対してそれぞれが所望する証明写真を提供することができるようにするものである。
【課題を解決するための手段】
【０００８】
本発明の一側面の証明写真作成装置は、複数の利用者に、証明写真の用途を選択させるための選択画面を表示する選択画面表示手段と、前記利用者それぞれを被写体として撮影を行い、前記利用者それぞれの撮影画像を取得する撮影手段と、撮影により得られた前記利用者それぞれの前記撮影画像に対して、前記利用者それぞれにより選択された前記用途に応じた調整を施すことで、前記利用者毎の証明写真用画像を生成する調整手段とを備える。
【０００９】
前記利用者それぞれの前記撮影画像に対する調整を施すための操作を、前記利用者それぞれに並行して行わせるための調整画面を表示する調整画面表示手段をさらに設け、前記調整手段には、前記調整画面に対する前記利用者それぞれの操作に基づいて、前記利用者それぞれの前記撮影画像に対して、前記利用者それぞれにより選択された前記用途に応じた調整を施させることができる。
【００１０】
前記調整画面表示手段には、１回の操作により、選択された前記用途に応じた前記撮影画像の調整を可能とする前記調整画面を表示させることができる。
【００１１】
前記調整画面表示手段には、選択された前記用途に応じた調整範囲で、前記撮影画像の調整を可能とする前記調整画面を表示させることができる。
【００１２】
生成された前記利用者毎の前記証明写真用画像を、選択された前記用途に応じたサイズで、前記印刷媒体に印刷する印刷手段をさらに設けることができる。
【００１３】
前記選択画面表示手段には、前記利用者それぞれが複数の前記用途を選択可能とする前記選択画面を表示させ、前記調整手段には、前記利用者毎の１枚の前記撮影画像に対して、選択された複数の前記用途に応じた複数種類の調整を施すことで、前記利用者毎の複数の前記証明写真用画像を生成させることができる。
【００１４】
生成された前記利用者毎の複数の前記証明写真用画像を、選択された複数の前記用途に応じたサイズで、前記印刷媒体に印刷する印刷手段をさらに設けることができる。
【００１５】
前記選択画面表示手段には、前記用途として、前記証明写真の提出先の分類を選択させるための選択画面を表示させることができる。
【００１６】
本発明の一側面の証明写真作成方法は、複数の利用者に、証明写真の用途を選択させるための選択画面を表示し、前記利用者それぞれを被写体として撮影を行い、前記利用者それぞれの撮影画像を取得し、撮影により得られた前記利用者それぞれの前記撮影画像に対して、前記利用者それぞれにより選択された前記用途に応じた調整を施すことで、前記利用者毎の証明写真用画像を生成するステップを含む。
【００１７】
本発明の一側面においては、複数の利用者に、証明写真の用途を選択させるための選択画面が表示され、利用者それぞれを被写体として撮影が行われ、利用者それぞれの撮影画像が取得され、撮影により得られた利用者それぞれの撮影画像に対して、利用者それぞれにより選択された用途に応じた調整が施されることで、利用者毎の証明写真用画像が生成される。
【発明の効果】
【００１８】
本発明によれば、より簡単に、複数の利用者に対してそれぞれが所望する証明写真を提供することができる。
【図面の簡単な説明】
【００１９】
【図１】本発明の一実施の形態に係る写真シール作成装置の外観の構成例を示す斜視図である。
【図２】写真シール作成装置の外観を他の角度からみた斜視図である。
【図３】利用者の移動について説明する図である。
【図４】撮影部の構成例を示す図である。
【図５】背景部の構成例を示す図である。
【図６】画像処理ユニットの背面の構成例を示す図である。
【図７】画像処理ユニットの側面の構成例を示す図である。
【図８】編集画像が印刷されたシール紙の例を示す図である。
【図９】編集画像のレイヤ構造の例を示す図である。
【図１０】証明写真用画像が印刷されたシール紙の例を示す図である。
【図１１】証明写真用画像のレイヤ構造の例を示す図である。
【図１２】写真シール作成装置の内部の構成例を示すブロック図である。
【図１３】制御部の機能構成例を示すブロック図である。
【図１４】図１３の撮影管理部の構成例を示すブロック図である。
【図１５】図１３の画像処理管理部の構成例を示すブロック図である。
【図１６】図１３の印刷管理部の構成例を示すブロック図である。
【図１７】図１３の事後接客管理部の構成例を示すブロック図である。
【図１８】シール作成ゲーム処理について説明するフローチャートである。
【図１９】コース選択画面の例を示す図である。
【図２０】コース選択画面の他の例を示す図である。
【図２１】証明写真コースにおける撮影処理について説明するフローチャートである。
【図２２】撮影前ガイダンス画面の例を示す図である。
【図２３】ライブビュー表示画面の例を示す図である。
【図２４】ライブビュー表示画面の例を示す図である。
【図２５】撮影結果確認画面の例を示す図である。
【図２６】証明写真用画像の調整処理について説明するフローチャートである。
【図２７】画像選択画面の例を示す図である。
【図２８】画像選択画面の他の例を示す図である。
【図２９】警告画面の例を示す図である。
【図３０】調整前ガイダンス画面の例を示す図である。
【図３１】調整画面の例を示す図である。
【図３２】図３１の調整画面の一部の拡大図である。
【図３３】調整画面の例を示す図である。
【図３４】画像処理の例を示す図である。
【図３５】図３１の調整画面の他の一部の拡大図である。
【図３６】写りの組み合わせの例を示す図である。
【図３７】調整画面の例を示す図である。
【図３８】調整画面の例を示す図である。
【図３９】調整画面の例を示す図である。
【図４０】確認画面の例を示す図である。
【図４１】証明写真用画像の印刷処理について説明するフローチャートである。
【図４２】事後接客処理について説明するフローチャートである。
【図４３】メールアドレスの入力画面の例を示す図である。
【図４４】紹介画面の例を示す図である。
【図４５】通常コースにおける撮影処理について説明するフローチャートである。
【図４６】ライブビュー表示画面の例を示す図である。
【図４７】撮影画像の編集処理について説明するフローチャートである。
【図４８】目＆顔サイズ調整画面の例を示す図である。
【図４９】明るさ調整画面の例を示す図である。
【図５０】背景選択画面の例を示す図である。
【図５１】編集画面の例を示す図である。
【図５２】分割数選択画面の例を示す図である。
【図５３】編集画像の印刷処理について説明するフローチャートである。
【図５４】事後接客処理について説明するフローチャートである。
【図５５】ライブビュー表示画面の例を示す図である。
【図５６】名前入力画面の例を示す図である。
【図５７】証明写真用画像が印刷されたシール紙の例を示す図である。
【図５８】領収証印刷の確認画面の例を示す図である。
【図５９】証明写真用画像が印刷されたシール紙の例を示す図である。
【図６０】証明写真用画像が印刷されたシール紙の例を示す図である。
【図６１】証明写真用画像が印刷されたシール紙の例を示す図である。
【図６２】証明写真用画像が印刷されたシール紙の例を示す図である。
【図６３】証明写真コースにおける撮影処理について説明するフローチャートである。
【図６４】用途選択画面の例を示す図である。
【図６５】ライブビュー表示画面の例を示す図である。
【図６６】ライブビュー表示画面の例を示す図である。
【図６７】証明写真用画像の調整処理について説明するフローチャートである。
【図６８】画像選択画面の例を示す図である。
【図６９】画像選択画面の例を示す図である。
【図７０】調整画面の例を示す図である。
【図７１】証明写真用画像が印刷されたシール紙の例を示す図である。
【図７２】証明写真用画像が印刷されたシール紙の例を示す図である。
【図７３】業種選択画面の例を示す図である。
【図７４】証明写真コースにおける撮影処理について説明するフローチャートである。
【図７５】業種選択画面の例を示す図である。
【図７６】画像選択画面の例を示す図である。
【図７７】画像選択画面の例を示す図である。
【図７８】画像選択画面の例を示す図である。
【図７９】調整画面の例を示す図である。
【図８０】証明写真用画像が印刷されたシール紙の例を示す図である。
【図８１】証明写真用画像が印刷されたシール紙の例を示す図である。
【図８２】調整画面の例を示す図である。
【図８３】調整画面の例を示す図である。
【図８４】証明写真用画像が印刷されたシール紙の例を示す図である。
【図８５】調整画面の例を示す図である。
【図８６】証明写真コースにおける撮影処理について説明するフローチャートである。
【図８７】ライブビュー表示画面の例を示す図である。
【図８８】画像選択画面の例を示す図である。
【図８９】調整画面の例を示す図である。
【図９０】証明写真用画像が印刷されたシール紙の例を示す図である。
【図９１】証明写真用画像が印刷されたシール紙の例を示す図である。
【図９２】証明写真コースにおける撮影処理について説明するフローチャートである。
【図９３】個別画像の取得について説明する図である。
【図９４】ライブビュー表示画面の例を示す図である。
【図９５】ライブビュー表示画面の例を示す図である。
【発明を実施するための形態】
【００２０】
＜写真シール作成装置の外観構成＞
［全体の構成］
図１は、写真シール作成装置１の外観の構成例を示す斜視図である。
【００２１】
写真シール作成装置１は、撮影や編集等の作業を利用者にゲームとして行わせ、画像を提供するゲーム機である。画像の提供は、シール紙に印刷した形で行われるだけでなく、サーバに送信した画像を利用者の携帯端末上で閲覧可能にする形で行われることもある。
写真シール作成装置１はゲームセンターなどの店舗に設置される。
【００２２】
写真シール作成装置１で遊ぶ利用者は、編集画像の提供を受けるため、自身が被写体となって好みのポーズをとって撮影を行い、撮影によって得られた撮影画像に手書きの文字やスタンプ画像などの合成用画像を合成させるなどして、撮影画像を彩り豊かな画像に編集する。利用者は、編集済みの撮影画像である編集画像が印刷されたシール紙を受け取って一連のゲームを終了させる。
【００２３】
また、写真シール作成装置１は、証明写真として用いるための画像である証明写真用画
像を利用者に提供する機能をも有する。利用者は、写真シール作成装置１の利用を開始するとき、はじめに、編集画像の提供を受けるためのゲームを行うのか、証明写真に利用可能な証明写真用画像の提供を受けるためのゲームを行うのかを選択することになる。
【００２４】
証明写真用画像の提供を受ける利用者は、自身が被写体となって撮影を行い、撮影によって得られた撮影画像の写りを調整することにより、証明写真用画像を生成する。利用者は、証明写真用画像が印刷されたシール紙を受け取って一連のゲームを終了させる。
【００２５】
編集画像が印刷されたシール紙を受け取ろうとする利用者は、主に２人または３人等の複数人からなる利用者のグループである。これに対し、証明写真用画像が印刷されたシール紙を受け取ろうとする利用者は、主に１人の利用者である。
【００２６】
以下、適宜、写真シール作成装置１に用意されたコースのうち、編集画像の提供を受けるためのコースを通常コースといい、証明写真用画像の提供を受けるためのコースを証明写真コースという。
【００２７】
通常コースの一連の処理には、好みのポーズをとって行う撮影と、その撮影によって得られた撮影画像の編集と、編集によって得られた編集画像の印刷が含まれる。撮影画像の編集には、被写体の明るさや肌の色などの写りを調整する処理の他に、あらかじめ用意された編集ツールを用いた所定の合成用画像を、編集対象の撮影画像上の、タッチペンなどによって利用者により指示された位置に合成する処理が含まれる。
【００２８】
一方、証明写真コースの一連の処理には、証明写真のためにあらかじめ決められたポーズをとって行う撮影と、その撮影によって得られた撮影画像の中から選択した証明写真用画像の調整と、調整後の証明写真用画像の印刷が含まれる。証明写真用画像の調整には、被写体として写る人物の位置と大きさを調整する処理、および／または肌の明るさや髪の色などの写りを調整する処理がある。
【００２９】
図１に示すように、写真シール作成装置１は、基本的に、撮影ユニット１１と画像処理ユニット１２が接した状態で設置されることによって構成される。
【００３０】
撮影ユニット１１は、撮影部２１と背景部２２から構成される。撮影部２１と背景部２２は離して設置され、撮影部２１と背景部２２の間に設けられる空間が、利用者が撮影を行う撮影空間となる。
【００３１】
撮影部２１は、利用者を被写体とした撮影処理を行う装置である。撮影部２１は、撮影空間に入った利用者が撮影処理を行うために向く方向である正面に位置する。撮影空間に臨む撮影部２１の正面には、カメラや各種の操作に用いられるタッチパネルモニタなどが設けられる。撮影空間にいる利用者から見て右側の面を右側面、左側の面を左側面とすると、撮影部２１の右側面が側面パネル４２Ａにより構成され、左側面が側面パネル４２Ｂ（図３）により構成される。
【００３２】
背景部２２は、正面を向いて撮影を行っている利用者の背面側に位置する板状の部材である背面パネル５１、背面パネル５１の右端に取り付けられ、側面パネル４２Ａより横幅の狭い板状の部材である側面パネル５２Ａ、および、背面パネル５１の左端に取り付けられ、側面パネル４２Ｂより横幅の狭い板状の部材である側面パネル５２Ｂ（図３）から構成される。
【００３３】
撮影部２１の右側面を構成する側面パネル４２Ａと背景部２２の側面パネル５２Ａは、ほぼ同一平面に設けられる。側面パネル４２Ａと側面パネル５２Ａは、上部が板状の部材である連結部２３Ａによって連結され、下部が、床面に設けた例えば金属製の部材である連結部２３Ａ’によって連結される。撮影部２１の左側面を構成する側面パネル４２Ｂと背景部２２の側面パネル５２Ｂも同様に、ほぼ同一平面に設けられ、上部において連結部２３Ｂによって連結され、下部において、床面に設けた金属製の部材である連結部２３Ｂ’（図示せず）によって連結される。
【００３４】
撮影部２１の側面パネル４２Ａ、連結部２３Ａ、および背景部２２の側面パネル５２Ａに囲まれることによって形成される開口が撮影空間の出入り口となる。また、撮影部２１の側面パネル４２Ｂ、連結部２３Ｂ、および背景部２２の側面パネル５２Ｂに囲まれることによって形成される開口も撮影空間の出入り口となる。撮影空間の内部には床材２７が設置される。利用者は、撮影空間に入り、床材２７の上に立って撮影を行うことになる。
【００３５】
背景部２２の上部には、背面パネル５１、側面パネル５２Ａ、および側面パネル５２Ｂに支持される形で背景カーテンユニット２５が設けられる。背景カーテンユニット２５には、クロマキー用の緑色の背景に利用される巻き取り式の背景カーテンが収納される。背景カーテンユニット２５は、撮影部２１に設けられたカメラ等による撮影と連動して動作し、撮影の際に、カーテンを下ろし、撮影が終了したらカーテンを巻き取る。なお、前記背景カーテンの代わりに、または、前記背景カーテンに加え、色または模様の異なる、背景に利用される巻き取り式の背景カーテンが複数収納されるようにし、背景カーテンユニット２５が、撮影部２１に設けられたカメラ等による撮影と連動して動作し、撮影の際に、例えば利用者により選択された色のカーテンを下ろし、その他のカーテンを巻き取るようにしてもよい。なお、カーテンは、背面パネル５１に貼り付けられるようにしてもよい。
【００３６】
撮影空間の上方には、撮影部２１の正面、連結部２３Ａ、連結部２３Ｂ、および背景カーテンユニット２５に囲まれる開口が形成され、その開口の一部を覆うように天井ストロボユニット２４が設けられる。天井ストロボユニット２４の一端が連結部２３Ａに固定され、他端が連結部２３Ｂに固定される。天井ストロボユニット２４は、撮影に合わせて撮影空間内に向けて光を照射するストロボを内蔵する。天井ストロボユニット２４の内部には、ストロボの他に蛍光灯が設けられており、撮影空間の照明としても機能する。
【００３７】
画像処理ユニット１２は、通常コース時の撮影画像の編集処理、および証明写真コース時の証明写真用画像の調整処理を行う装置である。以下、適宜、撮影画像の編集と証明写真用画像の調整を区別する必要がない場合、まとめて画像処理という。
【００３８】
画像処理ユニット１２は、一方の側面が撮影部２１の背面に接するように撮影ユニット１１に連結して設けられる。画像処理ユニット１２には、画像処理時に利用者により用いられるタブレット内蔵モニタなどの構成が設けられる。
【００３９】
図１に一部が見える画像処理ユニット１２の構成を正面側の構成とすると、２組の利用者が同時に画像処理を行うことができるように、画像処理ユニット１２の正面側と背面側には画像処理に用いられる構成がそれぞれ設けられる。
【００４０】
画像処理ユニット１２の正面側は、床面に対して垂直な面であり、側面パネル４２Ａとほぼ平行な面である面７１と、面７１の上方に形成された斜面７２から構成される。斜面７２には、画像処理の作業に用いられる構成が設けられる。斜面７２の右側には、照明装置７４（図２）の一端を支持する柱状の支持部７３Ａが設けられる。斜面７２の左側にも、照明装置７４の他端を支持する柱状の支持部７３Ｂ（図２）が設けられる。支持部７３Ａの右側には、画像処理ユニット１２の側面を構成する板状のパネル７３Ｃが設けられる。パネル７３Ｃの上面にはカーテンレール２６を支持する支持部７５が設けられる。
【００４１】
画像処理ユニット１２の上方にはカーテンレール２６が取り付けられる。カーテンレール２６は、３本のレール２６Ａ乃至２６Ｃを、上から見たときの形状がコの字状となるように組み合わせることによって構成される。平行に設けられるレール２６Ａとレール２６Ｂの一端は、連結部２３Ａと連結部２３Ｂにそれぞれ固定され、他端にレール２６Ｃの両端が接合される。
【００４２】
カーテンレール２６には、画像処理ユニット１２の正面前方の空間と背面前方の空間の内部が外から見えないようにカーテンが取り付けられる。カーテンレール２６に取り付けられたカーテンにより囲まれる画像処理ユニット１２の正面前方の空間と背面前方の空間が、利用者が撮影画像の編集を行ったり、証明写真用画像の調整を行ったりする画像処理空間となる。
【００４３】
図２は、写真シール作成装置１を別の角度から見た斜視図である。
【００４４】
後述するように、画像処理ユニット１２の右側面には、タブレット内蔵モニタや、印刷済みのシール紙が排出されるシール紙排出口などが設けられる。画像処理ユニット１２の側面に設けられるタブレット内蔵モニタは、画像の印刷が終わるのを待っている利用者が事後接客機能を利用するときに用いられる。事後接客機能には、編集画像や証明写真用画像をサーバに送信する機能などが含まれる。画像処理ユニット１２の右側面前方の空間が、利用者が事後接客機能を利用する事後接客空間となる。
【００４５】
ここで、写真シール作成ゲームの流れと、それに伴う利用者の移動について説明する。通常コース時、証明写真コース時のいずれの場合も利用者の移動は同じである。
【００４６】
図３は、写真シール作成装置１を上から見た平面図である。
【００４７】
写真シール作成装置１の利用者は、白抜き矢印＃１で示すように出入り口Ｇ１から、または白抜き矢印＃２で示すように出入り口Ｇ２から、撮影部２１と背景部２２の間に形成された撮影空間Ａ１に入り、コースを選択した後、撮影部２１に設けられたカメラやタッチパネルモニタなど利用してコースに応じた撮影を行う。
【００４８】
撮影を終えた利用者は、白抜き矢印＃３で示すように出入り口Ｇ１を使って撮影空間Ａ１から出て画像処理空間Ａ２−１に移動するか、白抜き矢印＃４で示すように出入り口Ｇ２を使って撮影空間Ａ１から出て画像処理空間Ａ２−２に移動する。
【００４９】
画像処理空間Ａ２−１は、画像処理ユニット１２の正面側の画像処理空間であり、画像処理空間Ａ２−２は、画像処理ユニット１２の背面側の画像処理空間である。画像処理空間Ａ２−１と画像処理空間Ａ２−２のいずれの空間に移動するのかが、撮影部２１のタッチパネルモニタの画面表示などによって案内される。例えば２つの画像処理空間のうちの空いている方の空間が移動先として案内される。
【００５０】
画像処理空間Ａ２−１または画像処理空間Ａ２−２に移動した利用者は、通常コースを選択している場合には撮影画像の編集を開始し、証明写真コースを選択している場合には証明写真用画像の調整を開始する。画像処理空間Ａ２−１の利用者と、画像処理空間Ａ２−２の利用者は同時に画像処理を行うことができる。
【００５１】
画像処理が終了した後、編集画像や証明写真用画像の印刷が開始される。画像の印刷中、画像処理空間Ａ２−１での画像処理を終えた利用者は、白抜き矢印＃５で示すように画像処理空間Ａ２−１から事後接客空間Ａ３に移動して事後接客機能を利用する。また、画像処理空間Ａ２−２での画像処理を終えた利用者は、白抜き矢印＃６で示すように画像処理空間Ａ２−２から事後接客空間Ａ３に移動して事後接客機能を利用する。
【００５２】
画像の印刷が終了したとき、利用者は、シール紙排出口からシール紙を受け取り、一連の写真シール作成ゲームを終えることになる。
【００５３】
［撮影部の構成］
図４は、撮影部２１の正面の構成例を示す図である。
【００５４】
撮影部２１は、正面パネル４１、側面パネル４２Ａ、および側面パネル４２Ｂが、箱状の形状を有するベース部４３に取り付けられることによって構成される。
【００５５】
正面パネル４１の中央からやや上側には撮影・表示ユニット８１が設けられる。撮影・表示ユニット８１は、カメラ９１、タッチパネルモニタ９２、および正面ストロボ９３から構成される。
【００５６】
カメラ９１は、例えば一眼レフカメラであり、レンズが露出するように撮影・表示ユニット８１の内部に取り付けられる。カメラ９１はCCD(Charge Coupled Device)などの撮像素子を有し、撮影空間Ａ１にいる利用者を撮影する。カメラ９１により取り込まれた動画は、タッチパネルモニタ９２にリアルタイムで表示される。また、所定のタイミングでカメラ９１により取り込まれた静止画は撮影画像として保存される。
【００５７】
カメラ９１の下に設けられたタッチパネルモニタ９２は、LCD(Liquid Crystal Display)などのモニタと、それに積層されたタッチパネルにより構成される。タッチパネルモニタ９２は、カメラ９１により取り込まれた動画を表示するライブビューモニタとしての機能と、各種のGUI(Graphical User Interface)画像を表示し、利用者の選択操作をタッチパネルにより受け付ける機能とを備えている。タッチパネルモニタ９２には、適宜、カメラ９１により取り込まれた動画（ライブビュー）や撮影画像が表示される。
【００５８】
カメラ９１の上側および左右を半円状の乳白アクリル板よりなる発光面で囲む正面ストロボ９３は、カメラ９１による撮影に合わせて発光し、被写体としての利用者の顔付近を正面から照射する。
【００５９】
撮影・表示ユニット８１の上方には、曲面の発光面を利用者に向けた右上ストロボ８２および左上ストロボ８３が設置される。右上ストロボ８２および左上ストロボ８３は、カメラ９１による撮影に合わせて発光することで、上方から利用者を照射する。
【００６０】
ベース部４３の正面には利用者の足元を照射する足元ストロボ８４が設けられる。足元ストロボ８４の右側には、利用者が硬貨を入れる硬貨投入返却口８５が設けられる。
【００６１】
ベース部４３の上面には、足元ストロボ８４の上面を挟んでスペース４３Ａおよび４３Ｂが左右に形成される。スペース４３Ａおよび４３Ｂは、撮影を行う利用者が手荷物等を置くための荷物置き場として用いられる。正面パネル４１の例えば天井付近には、撮影処理の案内音声、BGM(Back Ground Music)、効果音等の音を出力するスピーカも設けられる。
【００６２】
［背景部の構成］
図５は、背景部２２の撮影空間Ａ１側の構成例を示す図である。
【００６３】
背面パネル５１の上方には背景カーテンユニット２５が設けられる。背景カーテンユニット２５のほぼ中央には、撮影空間Ａ１内で撮影処理を行っている利用者を後方中央から照射する背面中央ストロボ１０１が取り付けられる。
【００６４】
背面パネル５１の出入り口Ｇ１側の位置には、撮影空間Ａ１内で撮影処理を行っている利用者を右後方から照射する背面右ストロボ１０２が取り付けられる。また、背面パネル５１の出入り口Ｇ２側の位置には、撮影空間Ａ１内で撮影処理を行っている利用者を左後方から照射する背面左ストロボ１０３が取り付けられる。
【００６５】
［画像処理ユニットの構成］
図６は、画像処理ユニット１２の背面側（画像処理空間Ａ２−２側）の構成例を示す図である。
【００６６】
斜面７２のほぼ中央には、タブレット内蔵モニタ１３１が設けられる。タブレット内蔵モニタ１３１を挟んで左側にタッチペン１３２Ａが設けられ、右側にタッチペン１３２Ｂが設けられる。
【００６７】
タブレット内蔵モニタ１３１は、タッチペン１３２Ａまたは１３２Ｂを用いて操作入力が可能なタブレットがLCDなどのモニタに重畳して設けられることによって構成される。タブレット内蔵モニタ１３１には、通常コース時には例えば編集画面が表示される。編集画面は、撮影画像の編集に用いられる画面である。２人で同時に編集を行う場合、タッチペン１３２Ａはタブレット内蔵モニタ１３１に向かって左側にいる利用者により用いられ、タッチペン１３２Ｂはタブレット内蔵モニタ１３１に向かって右側にいる利用者により用いられる。
【００６８】
また、タブレット内蔵モニタ１３１には、証明写真コース時には例えば調整画面が表示される。調整画面は、証明写真用画像の調整に用いられる画面である。例えばタッチペン１３２Ａとタッチペン１３２Ｂのいずれかを用いて調整が行われる。
【００６９】
図７は、画像処理ユニット１２の右側面の構成例を示す図である。
【００７０】
画像処理ユニット１２の側面にはタブレット内蔵モニタ１６１が設けられる。タブレット内蔵モニタ１６１には、事後接客機能を利用するときに用いられる画面が表示される。
【００７１】
タブレット内蔵モニタ１６１の下には、事後接客機能の案内音声、BGM、効果音等などを出力するスピーカ１６２が設けられる。スピーカ１６２の下にはシール紙排出口１６３が設けられる。画像処理ユニット１２の内部にはプリンタが設けられており、編集画像または証明写真用画像が所定のレイアウトでシール紙に印刷され、シール紙排出口１６３から排出される。
【００７２】
＜シール紙の例＞
図８は、編集画像が印刷されたシール紙の例を示す図である。
【００７３】
図８Ａは、６枚の編集画像が２行３列のレイアウトに配置されて印刷されたシール紙を示し、図８Ｂは、６枚の編集画像が３行２列のレイアウトに配置されて印刷されたシール紙を示す。
【００７４】
６枚の編集画像は、それぞれ、２人の利用者が異なる構図で写る６種類の画像である。通常コース時には、例えば静止画の撮影が６回行われ、６枚の撮影画像に対してそれぞれ編集が施された後、シール紙に印刷される。図８の例においては、それぞれの撮影画像は若干傾いて印刷されている。
【００７５】
撮影画像に写る利用者の背景には所定の色や模様の画像である背景画像が合成され、前景には、手書きの文字やスタンプ画像などの合成用画像が合成される。例えば図８Ａの６枚のうちの上段左端の編集画像に含まれる「Love my friend」の文字は手書きの文字であり、下段中央の編集画像に含まれるハート型の画像はスタンプ画像である。
【００７６】
シール紙の縁の余白領域には、機種名、撮影日の他に、メールアドレスとIDが印刷される。余白領域に印刷されたメールアドレスとIDは、サーバに送信された編集画像を携帯電話機などの携帯端末で閲覧するときに利用される。
【００７７】
図９は、編集画像のレイヤ構造の例を示す図である。
【００７８】
編集画像Ｐ１は、背景画像Ｐ１１、撮影画像Ｐ１２、前景画像Ｐ１３の各レイヤから構成される。図９の背景画像Ｐ１１は、所定の色の地にハートや星などの模様が表された画像であり、前景画像Ｐ１３は、落書きによって入力された「Love my friend」の手書き文字を含む画像である。
【００７９】
編集画像Ｐ１は、撮影画像Ｐ１２の被写体の領域を背景画像Ｐ１１に重ね、その上に前景画像Ｐ１３を重ねることによって生成される。
【００８０】
図１０は、証明写真用画像が印刷されたシール紙の例を示す図である。
【００８１】
図１０のシール紙は、６枚の証明写真用画像が２行３列のレイアウトに配置されて印刷されたシール紙である。
【００８２】
６枚の証明写真用画像は、１人の利用者の、略胸から上、頭より若干上までの範囲がほぼ中央に写る、構図が同じ１種類の画像である。証明写真コース時には、例えば静止画の撮影が４回行われ、４枚の撮影画像の中から選択された１枚の撮影画像を証明写真用画像として、調整が施された後にシール紙に印刷される。
【００８３】
シール紙の左下には、金額、日にちなどからなる領収証が印刷され、右下には、証明写真用画像の使い方などに関する注意書きが印刷される。注意書きの下には、サーバに送信された証明写真用画像を携帯電話機で閲覧するときに利用されるメールアドレスとIDが印刷される。以下、適宜、編集画像または証明書用画像を携帯電話機で見ることができるようにサーバに送信する仕組みのことを「携帯送信」という。
【００８４】
利用者は、シール紙に印刷された証明写真用画像をはさみなどで切り取り、履歴書などの書類に貼り付けて使うことになる。印刷媒体がシール紙であるから、履歴書などに貼り付けるときに糊付けが不要となる。
【００８５】
図１１は、証明写真用画像のレイヤ構造の例を示す図である。
【００８６】
証明写真用画像Ｐ２１は、背景画像Ｐ３１と撮影画像Ｐ３２の各レイヤから構成される。図１１の背景画像Ｐ３１は、所定の色の無地の画像であり、通常コース時に用いられる背景画像にあるような模様などは含まれない。
【００８７】
証明写真用画像Ｐ２１は、撮影画像Ｐ３２の被写体の領域を背景画像Ｐ３１に重ねることによって生成される。
【００８８】
以上のような外観構成を有する写真シール作成装置１によっては、このような編集画像が印刷されたシール紙、あるいは証明写真用画像が印刷されたシール紙が生成される。なお、編集画像や証明写真用画像は、シール紙に印刷されるものとしたが、特に、証明写真用画像が印刷される印刷媒体は、シール紙に限らず、写真が印刷可能な写真用紙とすることができる。
【００８９】
＜写真シール作成装置の内部構成＞
［ハードウェア構成］
図１２は、写真シール作成装置１の内部の構成例を示すブロック図である。上述した構成と同じ構成には同じ符号を付してある。重複する説明については適宜省略する。
【００９０】
制御部２０１はCPU(Central Processing Unit)などよりなり、ROM(Read Only Memory)２０６や記憶部２０２に記憶されているプログラムを実行し、写真シール作成装置１の全体の動作を制御する。制御部２０１には、記憶部２０２、通信部２０３、ドライブ２０４、ROM２０６、RAM(Random Access Memory)２０７が接続される。制御部２０１には、撮影部２０８、画像処理部２０９Ａ、画像処理部２０９Ｂ、および事後接客部２１０の各構成も接続される。
【００９１】
記憶部２０２は、ハードディスクやフラッシュメモリなどの不揮発性の記憶媒体からなり、制御部２０１から供給された各種の設定情報等を記憶する。記憶部２０２に記憶されている情報は制御部２０１により適宜読み出される。
【００９２】
通信部２０３は、インターネットなどのネットワークのインタフェースであり、制御部２０１による制御に従って外部の装置と通信を行う。通信部２０３は、編集画像や証明写真用画像をサーバに送信する。
【００９３】
ドライブ２０４には、光ディスクや半導体メモリなどよりなるリムーバブルメディア２０５が適宜装着される。ドライブ２０４によりリムーバブルメディア２０５から読み出されたコンピュータプログラムやデータは、制御部２０１に供給され、記憶部２０２に記憶されたり、インストールされたりする。
【００９４】
ROM２０６には、制御部２０１において実行されるプログラムやデータが記憶されている。RAM２０７は、制御部２０１が処理するデータやプログラムを一時的に記憶する。
【００９５】
撮影部２０８は、撮影空間Ａ１にいる利用者を対象とした撮影処理を行う。撮影部２０８は、硬貨処理部２２１、背景制御部２２２、照明装置２２３、カメラ９１、タッチパネルモニタ９２、およびスピーカ２２４から構成される。
【００９６】
硬貨処理部２２１は、硬貨投入返却口８５に対する硬貨の投入を検出する。硬貨処理部２２１は、４００円などの所定の金額分の硬貨が投入されたことを検出した場合、そのことを表す起動信号を制御部２０１に出力する。
【００９７】
背景制御部２２２は、制御部２０１より供給される背景制御信号に従って背景カーテンユニット２５を制御し、背景カーテンの上げ下げを行う。背景カーテンの上げ下げが利用者により手動で行われるようにしてもよい。
【００９８】
例えば、証明写真コースと通常コースとで、異なる背景カーテンが用いられる。
【００９９】
照明装置２２３は、制御部２０１から供給される照明制御信号に従って、撮影空間Ａ１内の各ストロボの発光を制御する。撮影空間Ａ１には、天井ストロボユニット２４のストロボの他に、撮影部２１の右上ストロボ８２、左上ストロボ８３、足元ストロボ８４、正面ストロボ９３、背景部２２の背面中央ストロボ１０１、背面右ストロボ１０２、背面左ストロボ１０３が設けられる。
【０１００】
例えば、証明写真コースと通常コースとで、異なるストロボが静止画の撮影時に動作する。また、ストロボの発光量や光の色味が、証明写真コースと通常コースとで切り替えられる。
【０１０１】
カメラ９１は、制御部２０１による制御に従って撮影を行い、撮影によって得られた画像を制御部２０１に出力する。
【０１０２】
画像処理部２０９Ａは、画像処理空間Ａ２−１にいる利用者を対象とした画像処理を行う。画像処理部２０９Ａは、タブレット内蔵モニタ１３１、タッチペン１３２Ａ，１３２Ｂ、およびスピーカ２３１から構成される。画像処理部２０９Ｂは、画像処理部２０９Ａと同一の構成を有しており、画像処理空間Ａ２−２にいる利用者を対象とした画像処理を行う。
【０１０３】
タブレット内蔵モニタ１３１は、制御部２０１による制御に従って編集画面または調整画面を表示し、画面に対する利用者の操作を検出する。利用者の操作の内容を表す信号は制御部２０１に供給され、利用者の操作に応じて画像処理が行われる。
【０１０４】
事後接客部２１０は、事後接客空間Ａ３にいる利用者を対象とした事後接客処理を行う。事後接客処理は、事後接客機能を利用者に提供する処理である。事後接客部２１０は、タブレット内蔵モニタ１６１、スピーカ１６２、およびプリンタ２４１から構成される。プリンタ２４１にはシール紙ユニット２４２が装着される。
【０１０５】
プリンタ２４１は、制御部２０１から供給された印刷データに基づいて、編集画像や証明写真用画像をシール紙ユニット２４２に収納されているシール紙に印刷し、シール紙排出口１６３に排出する。制御部２０１からプリンタ２４１に対しては、各画像が配置されたイメージデータが印刷データとして供給される。
【０１０６】
［制御部の構成］
図１３は、図１２の制御部２０１の機能構成例を示すブロック図である。図１３に示す機能部のうちの少なくとも一部は、制御部２０１内のCPUにより所定のプログラムが実行されることによって実現される。
【０１０７】
制御部２０１においては、撮影管理部３０１、画像処理管理部３０２、印刷管理部３０３、事後接客管理部３０４、およびシーケンス管理部３０５が実現される。
【０１０８】
撮影管理部３０１は、撮影部２０８の各部を制御し、写真シール作成装置１を利用する際に投入される代金に関する処理や撮影処理を行う。画像処理管理部３０２は、画像処理部２０９Ａ、画像処理部２０９Ｂの各部を制御し、画像処理を行う。印刷管理部３０３は、事後接客部２１０のプリンタ２４１を制御し、印刷処理を行う。事後接客管理部３０４は、事後接客部２１０のタブレット内蔵モニタ１６１を制御するなどして事後接客処理を行う。シーケンス管理部３０５は、利用者が行うゲームの全体のシーケンスを管理する。
【０１０９】
図１４は、撮影管理部３０１の構成例を示すブロック図である。
【０１１０】
撮影管理部３０１は、ガイダンス出力制御部３２１、表示制御部３２２、カメラ制御部３２３、および撮影画像記憶部３２４から構成される。
【０１１１】
ガイダンス出力制御部３２１は、撮影の進め方などを説明するガイダンスの出力を制御する。ガイダンス出力制御部３２１は、表示制御部３２２を制御し、撮影の進め方などを説明する画面を表示させたり、音声をスピーカ２２４から出力させたりする。
【０１１２】
表示制御部３２２は、タッチパネルモニタ９２の表示を制御する。例えば、表示制御部３２２は、カメラ制御部３２３から供給された動画に基づいてライブビューをタッチパネルモニタ９２に表示させる。
【０１１３】
カメラ制御部３２３は、撮影処理が開始されたとき、カメラ９１を制御して動画を撮影する。カメラ制御部３２３により撮影された動画はライブビューの表示に用いられる。また、カメラ制御部３２３は、所定のタイミングで静止画の撮影を行い、撮影画像を表示制御部３２２と撮影画像記憶部３２４に出力する。表示制御部３２２に出力された撮影画像は撮影結果の確認に用いられる。
【０１１４】
撮影画像記憶部３２４は、カメラ制御部３２３から供給された撮影画像を記憶する。撮影画像記憶部３２４に記憶された撮影画像は、編集処理の開始時、または調整処理の開始時に画像処理管理部３０２により読み出される。
【０１１５】
図１５は、画像処理管理部３０２の構成例を示すブロック図である。
【０１１６】
画像処理管理部３０２は、ガイダンス出力制御部３３１、表示制御部３３２、編集部３３３、調整部３３４、および画像記憶部３３５から構成される。
【０１１７】
ガイダンス出力制御部３３１は、編集や調整の進め方などを説明するガイダンスの出力を制御する。ガイダンス出力制御部３３１は、表示制御部３３２を制御し、編集や調整の進め方などを説明する画面を表示させたり、音声をスピーカ２３１から出力させたりする。
【０１１８】
表示制御部３３２は、タブレット内蔵モニタ１３１の表示を制御する。例えば、表示制御部３２２は、通常コースを選択した利用者が撮影を終えた場合には編集画面をタブレット内蔵モニタ１３１に表示させ、証明写真コースを選択した利用者が撮影を終えた場合には調整画面をタブレット内蔵モニタ１３１に表示させる。
【０１１９】
編集部３３３は、撮影画像の編集（落書き）を行う。編集部３３３は、画像処理空間Ａ２−１または画像処理空間Ａ２−２にいる利用者が、通常コースを選択した利用者である場合に処理を行うことになる。
【０１２０】
撮影画像の編集は、利用者の操作に応じて、手書きの文字やスタンプ画像などの合成用画像を撮影画像に重ねるなどして進められる。タブレット内蔵モニタ１３１からは、利用者の操作の内容を表す信号が供給される。編集部３３３による処理の結果は表示制御部３３２に供給され、編集画面に表示される。編集部３３３は、編集済みの撮影画像である編集画像を画像記憶部３３５に出力する。
【０１２１】
調整部３３４は、証明写真用画像の調整を行う。調整部３３４は、画像処理空間Ａ２−１または画像処理空間Ａ２−２にいる利用者が、証明写真用コースを選択した利用者である場合に処理を行うことになる。
【０１２２】
証明写真用画像の調整は、利用者の操作に応じて、被写体の位置、明るさ、背景画像の色を変えるなどして進められる。タブレット内蔵モニタ１３１からは、利用者の操作の内容を表す信号が供給される。調整部３３４による処理の結果は表示制御部３３２に供給され、調整画面に表示される。調整部３３４は、調整済みの証明写真用画像を画像記憶部３３５に出力する。
【０１２３】
画像記憶部３３５は、編集部３３３から供給された編集画像、または調整部３３４から供給された証明写真用画像を記憶する。画像記憶部３３５に記憶された画像は、印刷処理の開始時に印刷管理部３０３により読み出される。
【０１２４】
図１６は、印刷管理部３０３の構成例を示すブロック図である。
【０１２５】
印刷管理部３０３は、印刷データ生成部３４１とプリンタ制御部３４２から構成される。
【０１２６】
印刷データ生成部３４１は、通常コースにおける印刷処理の開始時、画像記憶部３３５に記憶されている編集画像を読み出し、所定のレイアウトに配置することによってイメージデータを生成する。また、印刷データ生成部３４１は、証明写真コースにおける印刷処理の開始時、画像記憶部３３５に記憶されている証明写真用画像を読み出し、所定のレイアウトに配置することによってイメージデータを生成する。印刷データ生成部３４１は、生成したイメージデータを印刷データとしてプリンタ制御部３４２に出力する。
【０１２７】
プリンタ制御部３４２は、プリンタ２４１を制御し、印刷データ生成部３４１により生成された印刷データに基づいて画像をシール紙に印刷させる。
【０１２８】
図１７は、事後接客管理部３０４の構成例を示すブロック図である。
【０１２９】
事後接客管理部３０４は、表示制御部３５１と通信制御部３５２から構成される。
【０１３０】
表示制御部３５１は、タブレット内蔵モニタ１６１の表示を制御する。例えば、表示制御部３５１は、携帯送信の機能を利用することが選択された場合、利用者が使う携帯端末のメールアドレスの入力画面をタブレット内蔵モニタ１６１に表示させる。
【０１３１】
通信制御部３５２は、通信部２０３を制御し、編集画像や証明写真用画像をサーバに送信する。また、通信制御部３５２は、利用者により入力されたメールアドレスをサーバに送信する。
【０１３２】
＜写真シール作成装置の動作＞
次に、以上のような構成を有する写真シール作成装置１の動作について説明する。
【０１３３】
［シール作成ゲーム提供処理］
はじめに、図１８のフローチャートを参照して、シール作成ゲームを提供する写真シール作成装置１の一連の処理について説明する。
【０１３４】
ステップＳ１において、写真シール作成装置１の制御部２０１は、所定の金額分の硬貨が投入されたか否かを硬貨処理部２２１から供給される信号に基づいて判定し、投入されたと判定するまで待機する。
【０１３５】
硬貨が投入されたとステップＳ１において判定した場合、ステップＳ２において、撮影管理部３０１の表示制御部３２２は、コース選択画面をタッチパネルモニタ９２に表示させる。
【０１３６】
このように、写真シール作成装置１においては、代金の投入後にコースの選択が行われる。すなわち、証明写真コースによって証明写真用画像の提供を受ける場合でも、その金額は通常コースで遊ぶ場合と同じ金額になる。
【０１３７】
図１９は、コース選択画面の例を示す図である。
【０１３８】
コース選択画面の上方には「撮りたいコースを選んでね」のメッセージが表示される。
メッセージの隣に表示される数字はコースの選択に設定された制限時間である。
【０１３９】
コース選択画面の中央左側には、２人用コースを選択するときに操作される大きな略正方形のボタンである２人用コース選択ボタン４０１が表示される。２人用コース選択ボタン４０１の内側には、２人用コースで撮影を行ったときに得られる画像のサンプルが表示される。
【０１４０】
２人用コース選択ボタン４０１の右側には、３人用コースを選択するときに操作される長方形のボタンである３人用コース選択ボタン４０２と、４人用コースを選択するときに操作される長方形のボタンである４人用コース選択ボタン４０３が縦に並べて表示される。３人用コース選択ボタン４０２の内側には３人用コースで撮影を行ったときに得られる画像のサンプルが１枚表示され、４人用コース選択ボタン４０３の内側には４人用コースで撮影を行ったときに得られる画像のサンプルが１枚表示される。
【０１４１】
サンプル画像が表示されることにより、利用者はそれぞれのコースによって得られる画像の画角を確認することができる。図１９に示すように、少人数の撮影コースを選択したときに得られる画像より、大人数の撮影コースを選択したときに得られる画像の方が、垂直方向の長さに対する水平方向の長さが長い。
【０１４２】
コース選択画面の下方には、証明写真コースを選択するときに操作されるボタンである証明写真コース選択ボタン４０４が表示される。証明写真コース選択ボタン４０４の内側には、証明写真用画像のサンプルが１枚表示されるとともに、１人用のコースであることと、証明写真用画像の用途が履歴書用（横×縦が３cm×４cm）であることを表す情報が表示される。
【０１４３】
図２０は、証明写真コース選択ボタン４０４を操作したときにコース選択画面に重ねて表示されるポップアップの例を示す図である。
【０１４４】
証明写真コース選択ボタン４０４を操作したとき、コース選択画面に重ねてウインドウ４１１が表示される。ウインドウ４１１には、証明写真コースでゲームを開始してよいのかを確認する旨のメッセージが表示され、その下に、証明写真コースでゲームを開始するときに操作されるYESボタンであるボタン４１１Ａと、コースの選択をやり直すときに操作されるNOボタンであるボタン４１１Ｂが並べて表示される。
【０１４５】
ボタン４１１Ａとボタン４１１Ｂの下には、証明写真コースが１人用のコースであることと、証明写真用画像のサイズが履歴書や願書に使用できるサイズ（横×縦が３cm×４cm）であることを表す情報が表示される。また、証明写真用画像の写りに関する説明が表示される。このとき、履歴書や願書に使用できるサイズとして他のサイズが表示され、選択させるようにしてもよい。
【０１４６】
YESボタンであるボタン４１１Ａが操作されたとき、証明写真コースのゲームが開始される。一方、NOボタンであるボタン４１１Ｂが操作されたとき、ウインドウ４１１が閉じ、タッチパネルモニタ９２の表示は、図１９のコース選択画面が表示される状態に戻る。
【０１４７】
証明写真コースを選択したときにこのような確認画面を表示させることにより、通常コースで編集画像を作りたいと思っている利用者が間違って証明写真コースを選択してしまうことを防ぐことができる。
【０１４８】
また、証明写真コースを選択した利用者に、ゲームを進めることで得られる証明写真用画像のサイズなどを確認させることができる。
【０１４９】
このようなコース選択画面を用いて利用者により選択されたコースを表す情報は、シーケンス管理部３０５に供給される。なお、いずれのコースも選択せずに制限時間が経過したとき、例えば２人用コースが自動的に選択される。
【０１５０】
コース選択画面において証明写真コース選択ボタン４０４が操作され、続けて図２０のYESボタンであるボタン４１１Ａが操作されることによって証明写真用コースが選択された場合、ステップＳ３において、撮影管理部３０１は証明写真コースにおける撮影処理を行う。
【０１５１】
ステップＳ４において、画像処理管理部３０２は、画像処理空間Ａ２−１と画像処理空間Ａ２−２のうち、撮影を終えた利用者の移動先とした方の画像処理空間に対応する画像処理部２０９Ａまたは画像処理部２０９Ｂを制御して、証明写真コースにおける調整処理を行う。調整処理においては、証明写真用画像として用いる撮影画像が選択され、選択された証明写真用画像に対して調整が行われる。
【０１５２】
ステップＳ５において、印刷管理部３０３は、証明写真コースにおける印刷処理を行う。印刷処理により、調整後の証明写真用画像があらかじめ決められたレイアウトに従ってシール紙に印刷される。
【０１５３】
ステップＳ６において、事後接客管理部３０４は、印刷が終わるのを待っている利用者に対する事後接客処理を行う。事後接客処理は印刷処理と適宜並行して行われる。事後接客管理部３０４は、証明写真用画像を携帯端末に送信する処理を事後接客処理として行う。
【０１５４】
印刷が終了したとき、証明写真用画像が印刷されたシール紙がシール紙排出口１６３に排出される。利用者は、シール紙をシール紙排出口１６３から取り出して一連のゲームを終える。証明写真コースを選択した場合に行われる各処理の詳細については、後に詳述する。
【０１５５】
一方、コース選択画面において２人用コース選択ボタン４０１、３人用コース選択ボタン４０２、または４人用コース選択ボタン４０３が操作されることによって通常コースが選択された場合、ステップＳ７において、撮影管理部３０１は通常コースにおける撮影処理を行う。
【０１５６】
ステップＳ８において、画像処理管理部３０２は、画像処理空間Ａ２−１と画像処理空間Ａ２−２のうち、撮影を終えた利用者の移動先とした方の画像処理空間に対応する画像処理部２０９Ａまたは画像処理部２０９Ｂを制御して、通常コースにおける編集処理を行う。編集処理においては、編集対象とする画像を適宜切り替えて複数枚の撮影画像に対してそれぞれ編集が施される。
【０１５７】
ステップＳ９において、印刷管理部３０３は、通常コースにおける印刷処理を行う。印刷処理により、利用者により選択されたレイアウトに従って、複数の編集画像がシール紙に印刷される。
【０１５８】
ステップＳ１０において、事後接客管理部３０４は、印刷が終わるのを待っている利用者に対する事後接客処理を行う。事後接客管理部３０４は、編集画像を携帯端末に送信する処理を事後接客処理として行う。
【０１５９】
印刷が終了したとき、編集画像が印刷されたシール紙がシール紙排出口１６３に排出される。利用者は、シール紙をシール紙排出口１６３から取り出して一連のゲームを終える。通常コースを選択した場合に行われる各処理の詳細については、後に詳述する。
【０１６０】
各処理は、写真シール作成装置１を利用する利用者の数や写真シール作成装置１の利用を始めたタイミングなどに応じて適宜並行して行われる。各処理のタイミングがシーケンス管理部３０５により制御される。
【０１６１】
以上のように、利用者は、ゲームセンターなどに設置される写真シール作成装置１を用いて、証明写真用画像の撮影を行うことができる。また、編集画像が印刷されたシール紙を受け取るためのゲームを行ったついでに証明写真用画像の撮影を行うことができるため、専用機が設置されている場所や写真スタジオにわざわざ行く必要がない。
【０１６２】
写真シール作成装置１の主な利用者は女子中高生であるが、女子中高生の中には、証明写真を撮影するための専用機に入りづらいなどの印象を持っている人もいる。ゲームセンターなどに設置される写真シール作成装置１を用いて証明写真用画像を撮影できるようにすることにより、証明写真用画像の撮影を気軽に行うことが可能になる。
【０１６３】
編集画像が印刷されたシール紙を受け取るためのゲームの金額と同じ金額で証明写真用画像の撮影を行うことができることも、気軽に証明写真用画像の撮影を行うことにつながる。
【０１６４】
さらに、編集画像が印刷されたシール紙を受け取るためのゲームに慣れている利用者にとっては、そのゲームと同じように場所を移動しながら証明写真用画像の撮影や調整を行うことができるため、操作に迷うことなく、証明写真用画像の撮影などを進めることができる。撮影後の調整を、撮影空間Ａ１とは異なる空間で行うことができるため、同じ空間に居続けることに対する抵抗感も少ない。
【０１６５】
撮影空間Ａ１は、複数人で入って撮影を行うことができるような広い空間である。そのような広い空間が確保されていることから、１人がぎりぎり入れるような狭い空間で撮影を行う場合に較べて、入ることに対する抵抗感も少ない。
【０１６６】
なお、そのような撮影空間Ａ１へ１人で入ることにすら抵抗感を覚える利用者のために、撮影部２１の両側面に形成される２つの出入り口それぞれの近傍に表示部を設け、例えば、人目につかない方（例えば、人混みの少ない方など）の出入り口の表示部に、その出入り口が、証明写真コースを利用する利用者に向けての出入り口である旨を表示させるようにしてもよい。これにより、利用者は、人目を気にせずに撮影空間Ａ１へ入ることができる。この場合、２つの出入り口の両方から利用者が入ることができるようにするために、出入り口それぞれの近傍に赤外線などを用いた人感センサをさらに設け、反対側の出入り口に他の利用者が待機している場合には、表示部に「待機している人がいるよ」などのメッセージを表示させるようにしてもよい。また、証明写真コースを利用しようとする利用者が、人目につかない方の出入り口から入った場合、撮影中にもかかわらず、そのことを知らない利用者が、人目につく方の出入り口から入ってしまうことを避けるために、撮影空間Ａ１で撮影が行われている場合には、表示部に「撮影中」などのメッセージを表示させるようにしてもよい。
【０１６７】
［証明写真コースにおける撮影処理］
次に、図２１のフローチャートを参照して、図１８のステップＳ３において行われる証明写真コースにおける撮影処理について説明する。
【０１６８】
ステップＳ２１において、撮影管理部３０１のガイダンス出力制御部３２１は、表示制御部３２２を制御し、撮影の仕方を説明する画面をタッチパネルモニタ９２に表示させるなどして撮影前ガイダンスを出力する。
【０１６９】
図２２は、撮影前ガイダンス画面の例を示す図である。
【０１７０】
撮影前ガイダンス画面の略中央には、縦長長方形の領域である画像表示領域４３１が設けられる。画像表示領域４３１の横：縦の比は、例えば、証明写真用画像の横：縦の比と同じ３：４である。上述したように、証明写真用画像のサイズは横×縦の長さが３cm×４cmである。
【０１７１】
撮影前ガイダンス画面の画像表示領域４３１には、はじめに、モデルとなる人物Ｈ１が映る動画が表示される。図２２の例においては、人物Ｈ１の略胸より上、頭より若干上までの範囲が映っている。画像表示領域４３１に表示される動画は、人物Ｈ１が身だしなみを整える様子の動画である。
【０１７２】
動画の表示に合わせて、ガイダンス出力制御部３２１により、例えば「まずは身だしなみの確認です。前髪は目にかからないように整え、髪型のチェックをしましょう。襟元までしっかり確認し、衣服をまっすぐに整えましょう。」などの音声がスピーカ２２４から出力される。
【０１７３】
また、画像表示領域４３１には、身だしなみを整える様子の動画に続けて、人物Ｈ１の略胸より上、頭より若干上までの範囲の静止画が表示される。静止画ではなく、頭の位置などを調整する様子の人物Ｈ１の動画が表示されるようにしてもよい。
【０１７４】
図２２に示すように、人物Ｈ１の静止画に重ねて、顔の位置と大きさの目安を表すガイドラインが表示される。ガイドラインは、頭の一番上（てっぺん）の位置の目安となる高さを表す水平線４３１Ａ、あごの位置の目安となる高さを表す水平線４３１Ｂ、および、顔の中心の水平方向の目安となる位置を表す垂直線４３１Ｃから構成される。
【０１７５】
画像表示領域４３１に表示される静止画は、垂直線４３１Ｃが顔の中心を通るとともに、水平線４３１Ａの近くに頭の一番上の位置を合わせ、水平線４３１Ｂの近くにあごの一番下の位置を合わせた人物Ｈ１の静止画である。
【０１７６】
静止画の表示に合わせて、ガイダンス出力制御部３２１により、例えば「次に頭のてっぺんとあごの先を赤いガイドラインに合わせてください。背筋を伸ばし、肩を水平にしましょう。中心がずれないように注意してください。あごを少し引いてください。口角を上げて目をぱっちり開き、リラックスしてカメラを見てください。」などの音声がスピーカ２２４から出力される。
【０１７７】
画像表示領域４３１の隣には、適宜、撮影のポイントの説明として、「前髪を整えましょう」、「襟元をまっすぐにしましょう」、「背筋を伸ばし、肩を水平にしましょう」、「あごを少し引きましょう」、「口角を上げましょう」、「目をしっかり開きましょう」などの文字情報も表示される。
【０１７８】
画像表示領域４３１の右下には、撮影前ガイダンスを終えるときに操作されるSKIPボタン４３２が表示される。
【０１７９】
SKIPボタン４３２が操作されたとき、または、撮影前ガイダンスが最後まで終わったとき、ステップＳ２２において、表示制御部３２２は、ライブビューの表示を開始する。カメラ９１による動画の撮影が開始され、撮影によって得られた、利用者が映る動画がカメラ制御部３２３から表示制御部３２２に供給される。
【０１８０】
図２３は、ライブビュー表示画面の例を示す図である。
【０１８１】
ライブビュー表示画面の略中央に設けられた画像表示領域４３１には、人物Ｈ２が写る動画がリアルタイムで表示される。人物Ｈ２は利用者自身である。利用者は、画像表示領域４３１に表示される自分の写りを見て、身だしなみの確認などを行うことができる。
【０１８２】
画像表示領域４３１には、撮影前ガイダンス画面に表示されていたものと同じ、水平線４３１Ａ、水平線４３１Ｂ、および垂直線４３１Ｃからなるガイドラインが利用者の動画に重ねて表示される。利用者は、立ち位置を前後左右に変えるなどして、垂直線４３１Ｃが中心を通るように顔の位置を合わせるとともに、水平線４３１Ａに頭の一番上の位置を合わせ、水平線４３１Ｂにあごの一番下の位置を合わせることになる。
【０１８３】
ガイドラインが顔の位置と大きさの目安としてライブビューに重ねて表示されるため、利用者は、立ち位置をどこにして撮影を行えばいいのかを確認することができる。
【０１８４】
顔の位置と大きさの目安を表す線がガイドラインとして表示されるものとしたが、顔の位置と大きさの目安を表す画像は直線画像に限られるものではない。例えば、顔の位置と大きさの目安を曲線の画像によって表すようにしてもよいし、楕円形などの所定の形状の画像によって表すようにしてもよい。
【０１８５】
また、顔の位置と大きさの目安を表す画像が表示されるものとしたが、人物の、顔以外の部分の位置と大きさを表す画像が表示されるようにしてもよい。例えば、肩の位置と大きさ、目の位置と大きさ、鼻の位置と大きさを表す画像を表示するようにしてもよい。
【０１８６】
さらに、顔の位置と大きさの両方の目安となる画像が表示されるものとしたが、位置と大きさのうちのいずれかの目安となる画像が表示されるようにしてもよい。
【０１８７】
撮影が立った状態で行うものであるため、図２３に示すようなライブビューを見たとしても、人物（利用者自身）の位置と大きさを正確に調整することは困難である。後述するように、撮影画像に写る人物の位置と大きさの調整は、証明写真用画像の調整時にも行われ、そのときの調整によって最終的に決定されるようになされている。
【０１８８】
撮影時にライブビューを見ながら行われる人物の位置と大きさの一段階目の調整が、立った状態で行う粗い調整となり、証明写真用画像の調整時に行われる二段階目の調整が、最終的な微調整となる。利用者は、撮影時には、大体の大きさで、大体の位置に写るように自分の立ち位置を調整すればよいことになる。
【０１８９】
なお、カメラ９１の撮影範囲（画角）は、画像表示領域４３１に表示される範囲よりも広いものとされる。カメラ９１により撮影された動画のうち、所定の範囲が切り出され、画像表示領域４３１の表示に用いられる。
【０１９０】
ライブビューの表示に合わせて、身だしなみを整えたり、顔の位置を合わせたりすることを促す音声のガイダンスも出力される。このようなライブビューが所定の時間表示された後、撮影前のカウントダウンが開始される。カウントダウンは、例えば撮影タイミングの１０秒前から開始される。
【０１９１】
図２４は、カウントダウンの表示を含むライブビュー表示画面の例を示す図である。
【０１９２】
カウントダウンが開始されたとき、図２４に示すように、ガイドラインの表示が消え、画像表示領域４３１の左右には、撮影までの秒数を表す数字が音声によるカウントダウンに合わせて表示される。画像表示領域４３１の下には、「撮影します。カメラを見てください。」のメッセージが表示される。
【０１９３】
このようなライブビュー表示画面がタッチパネルモニタ９２に表示された状態で撮影のタイミングになったとき、ステップＳ２３において、カメラ制御部３２３は１回目の静止画の撮影を行う。
【０１９４】
ライブビューの表示を開始してから１回目の撮影までの時間として、通常コースにおける時間より、証明写真コースにおける時間の方を長く確保するようにしてもよい。カメラ制御部３２３は、図２３に示すライブビュー表示画面の表示が開始された場合、通常コース時における１回目の撮影までの時間より長い時間が経過した後に１回目の撮影を行うことになる。
【０１９５】
性質上、証明写真用画像の方が、通常コース時に得られる編集画像より、身だしなみや被写体の位置などの自由度が低い。ライブビューの表示開始後、１回目の撮影までの時間が長く確保されることにより、証明写真コースで撮影を行う利用者は、身だしなみを整えたり、立ち位置を適切な位置に調整したりすることを、より時間をかけて行うことができる。
【０１９６】
カメラ制御部３２３は、１回目の撮影によって得られた静止画である撮影画像を表示制御部３２２に出力するとともに、撮影画像記憶部３２４に出力し、記憶させる。
【０１９７】
ステップＳ２４において、カメラ制御部３２３は、１回目の撮影結果をタッチパネルモニタ９２に表示させる。
【０１９８】
図２５は、撮影結果確認画面の例を示す図である。
【０１９９】
図２５Ａに示される撮影結果確認画面の画像表示領域４３１には、直前の撮影によって得られた撮影画像が表示される。画像表示領域４３１の下には「撮影結果です。」のメッセージが表示される。利用者は、このような撮影結果確認画面から、直前に撮影された撮影画像を確認することができる。
【０２００】
撮影結果確認画面が所定の時間だけ表示された後、ライブビューの表示が再開され、２回目以降の撮影が行われる。
【０２０１】
すなわち、図２３、図２４のライブビュー表示画面が表示制御部３２２により表示され、２回目の撮影タイミングになったとき、ステップＳ２５において、カメラ制御部３２３は、２回目の静止画の撮影を行う。カメラ制御部３２３は、撮影によって得られた撮影画像を表示制御部３２２に出力するとともに、撮影画像記憶部３２４に出力し、記憶させる。
【０２０２】
ステップＳ２６において、表示制御部３２２は、２回目の撮影によって得られた撮影画像を表示する撮影結果確認画面をタッチパネルモニタ９２に表示させる。
【０２０３】
以上の処理が、あらかじめ設定されている撮影回数だけ繰り返される。撮影回数が例えば４回として設定されている場合、ステップＳ２７において、カメラ制御部３２３は３回目の撮影を行い、ステップＳ２８において、表示制御部３２２は、３回目の撮影によって得られた撮影画像を含む撮影結果確認画面をタッチパネルモニタ９２に表示させる。
【０２０４】
ステップＳ２９において、カメラ制御部３２３は４回目の撮影を行い、ステップＳ３０において、表示制御部３２２は、４回目の撮影によって得られた撮影画像を含む撮影結果確認画面をタッチパネルモニタ９２に表示させる。
【０２０５】
直前の撮影から次の撮影までの時間、すなわち撮影間隔についても、通常コースにおける時間より、証明写真コースにおける時間の方を長く確保するようにしてもよい。直前の撮影から次の撮影までの間、ライブビューが表示されることにより、利用者は、次の撮影に備えて身だしなみを整えたり、立ち位置を適切な位置に調整し直したりすることを、より時間をかけて行うことができる。
【０２０６】
また、４回の撮影の度に、撮影結果を確認させるのではなく、複数回の撮影を連続して行い、撮影結果をまとめて確認させるようにしてもよい。この場合、撮影回数を４回より多くすることができるので、利用者に、撮影結果として得られた多くの撮影画像の中から、例えば４枚の撮影画像を選択させることができる。また、図２５Ｂに示されるように、ライブビュー表示画面の左側に設けられた撮影結果表示領域４４１乃至４４３に、１乃至３回目の撮影によって得られた撮影結果を順次表示させることで、前回までの撮影によって得られた撮影結果をまとめて確認させるようにしてもよい。もちろん、２回目以降の撮影の度に撮影結果を確認させる場合にも、図２５Ｂに示されるライブビュー表示画面が表示されるようにしてもよい。
【０２０７】
ステップＳ３１において、表示制御部３２２は、通常コースの紹介画面をタッチパネルモニタ９２に表示させる。通常コースの紹介画面には、通常コース時に行うことができる、撮影画像の編集の内容を表す画像などが表示される。
【０２０８】
ステップＳ３２において、表示制御部３２２は、撮影を終えた利用者に対して、画像処理空間Ａ２−１または画像処理空間Ａ２−２への移動を案内する。画像処理空間Ａ２−１または画像処理空間Ａ２−２への移動の案内は、タッチパネルモニタ９２に画面を表示させることによって、または、スピーカ２２４から音声を出力することによっても行われる。
【０２０９】
利用者は、撮影空間Ａ１から出て、案内された方の画像処理空間に移動して証明写真用画像の調整を行うことになる。その後、図１８のステップＳ３に戻り、それ以降の処理が行われる。
【０２１０】
［証明写真コースにおける調整処理］
次に、図２６のフローチャートを参照して、図１８のステップＳ４において行われる証明写真用画像の調整処理について説明する。
【０２１１】
ステップＳ４１において、画像処理管理部３０２の表示制御部３３２は、撮影処理によって得られた例えば４枚の撮影画像を撮影画像記憶部３２４から読み出して取得し、画像選択画面をタブレット内蔵モニタ１３１に表示させる。画像選択画面は、４枚の撮影画像の中から証明写真用画像とする１枚の撮影画像を選択するのに用いられる画面である。
【０２１２】
図２７は、画像選択画面の例を示す図である。
【０２１３】
画像選択画面の上方中央には、画像の選択を促す「プリントしたい画像を１枚選んでください。」のメッセージが表示され、その下に、４枚の撮影画像４５１−１乃至４５１−４が撮影順に並べて表示される。撮影画像４５１−１乃至４５１−４は、４回の撮影によって得られた、構図の異なる４種類の静止画である。
【０２１４】
利用者は、タッチペン１３２Ａまたはタッチペン１３２Ｂで触れることによって好みの撮影画像を選択する。図２７の例においては、撮影画像４５１−１乃至４５１−４のうちの撮影画像４５１−１が選択中とされており、撮影画像４５１−１の枠がカーソルＣによって強調表示されている。
【０２１５】
撮影画像４５１−１乃至４５１−４の下には、証明写真用画像として用いる撮影画像を決定するときに操作されるOKボタン４５２が表示される。
【０２１６】
図２８は、撮影画像の枚数が３枚である場合の画像選択画面の例を示す図である。
【０２１７】
撮影処理における撮影回数が３回である場合、利用者は、図２８の画像選択画面を用いて、３枚の撮影画像の中から、証明写真用画像とする１枚の撮影画像を選択することになる。
【０２１８】
このように、撮影回数は任意に設定可能である。また、証明写真用画像とする撮影画像の枚数も１枚に限られるものではなく、複数枚の撮影画像を証明写真用画像として選択することができるようにしてもよい。
【０２１９】
画像選択画面から１枚の撮影画像が選択され、OKボタン４５２が操作された場合、ステップＳ４２において、表示制御部３３２は、証明写真用画像についての各種の注意をまとめた画面である警告画面をタブレット内蔵モニタ１３１に表示させる。
【０２２０】
図２９は、警告画面の例を示す図である。
【０２２１】
図２９に示すように、警告画面には、証明写真用画像の用途、証明写真用画像の補正（調整）の内容、シール紙に印刷される証明写真用画像の種類、証明写真用画像の印刷に用いられる印刷媒体の種類、実際に印刷される色味などに関する注意書きが表示される。
【０２２２】
各種の注意書きの下には、警告画面の表示を終了するときに操作されるSKIPボタン４６１が表示される。
【０２２３】
SKIPボタン４６１が操作されたとき、または警告画面を表示してから所定の時間が経過したとき、ステップＳ４３において、ガイダンス出力制御部３３１は、表示制御部３２２を制御し、証明写真用画像の調整の仕方を説明する画面をタブレット内蔵モニタ１３１に表示させるなどして、調整前ガイダンスを出力する。
【０２２４】
図３０は、調整前ガイダンス画面の例を示す図である。
【０２２５】
調整前ガイダンス画面は、調整画面全体のうち、説明の対象となっている機能に関する部分だけをカラー表示とし、それ以外の部分をグレーアウト表示とさせた画面である。
【０２２６】
図３０の例においては、調整画像表示領域５１１とボタン領域５１２がカラー表示になっている。調整画像表示領域５１１は、調整対象となる証明写真用画像の表示領域であり、ボタン領域５１２は、人物の位置の調整に用いられるボタンが表示される領域である。調整前のガイダンス中であるから、調整画像表示領域５１１には、モデルの人物Ｈ１が写る静止画が表示される。
【０２２７】
また、図３０の例においては、ボタン領域５１２に表示されるボタンを用いて行う位置の調整機能の説明中であることが、ボタン領域５１２を指す矢印画像５０１により表されている。「１番  人物の位置を調整」などの音声が、図３０の表示に合わせてガイダンス出力制御部３３１によりスピーカ２３１から出力される。例えば、証明写真用画像の調整は、人物の位置の調整、人物の大きさの調整、背景の色の調整、写りの調整の順に行われる。これらの４種類の調整の全てが行われるのではなく、４種類の調整のうちの少なくともいずれかが行われるようにしてもよい。また、証明写真用画像に写る人物の傾きの調整などの他の調整が行われるようにしてもよい。
【０２２８】
調整前ガイダンス画面においては、矢印画像５０１が説明中の機能に合わせて移動するとともに、カラー表示の部分が、人物の大きさの調整に用いられるボタンが表示される領域、背景の色の調整に用いられるボタンが表示される領域、写りの調整に用いられるボタンが表示される領域の順に切り替わる。
【０２２９】
カラー表示の部分が切り替わることに応じて、「２番  人物の大きさを調整」、「３番  背景カラーを選択」、「４番  写りを調整」などの音声がスピーカ２３１から出力される。調整前ガイダンス画面の右上には、調整前ガイダンスを終了させるときに操作されるSKIPボタン５０２も表示される。
【０２３０】
SKIPボタン５０２が操作されたとき、または調整前ガイダンスが終わったとき、ステップＳ４４において、表示制御部３３２は、調整画面をタブレット内蔵モニタ１３１に表示させる。SKIPボタン５０２を用いずに、調整前ガイダンス画面上をタッチペン１３２Ａ、タッチペン１３２Ｂで押す操作が行われたときにも調整前ガイダンスは終了となる。
【０２３１】
図３１は、調整画面の例を示す図である。
【０２３２】
調整画面の略中央の調整画像表示領域５１１には、利用者（人物Ｈ２）が写る証明写真用画像が表示される。調整画像表示領域５１１に表示される証明写真用画像は、画像選択画面において４枚の撮影画像の中から選択された１枚の撮影画像である。調整画像表示領域５１１の証明写真用画像の表示には、調整画面の各種のボタンを用いて行われた調整の内容がリアルタイムで反映される。
【０２３３】
調整画像表示領域５１１の左側には、ボタン領域５１２、人物の大きさの調整に用いられるボタンが表示される領域であるボタン領域５１３、および、背景の色の調整に用いられるボタンが表示される領域であるボタン領域５１４が設けられる。
【０２３４】
一方、調整画像表示領域５１１の右側には、一発レタッチに用いられるボタンが表示される領域であるボタン領域５１５と、こだわりレタッチに用いられるボタンが表示される領域であるボタン領域５１６が設けられる。ボタン領域５１５とボタン領域５１６が、写りの調整に用いられるボタンが表示される領域である。
【０２３５】
図３２は、図３１のボタン領域５１２、ボタン領域５１３、およびボタン領域５１４を拡大して示す図である。
【０２３６】
ボタン領域５１２には、左ボタン５１２Ａ、右ボタン５１２Ｂ、上ボタン５１２Ｃ、および下ボタン５１２Ｄが表示される。左ボタン５１２Ａは、人物の位置を左方向に移動させるときに操作されるボタンであり、右ボタン５１２Ｂは、人物の位置を右方向に移動させるときに操作されるボタンである。また、上ボタン５１２Ｃは、人物の位置を上方向に移動させるときに操作されるボタンであり、下ボタン５１２Ｄは、人物の位置を下方向に移動させるときに操作されるボタンである。ボタン領域５１２に表示されているボタンを押すごとに、人物の位置が所定の量だけ移動する。
【０２３７】
ボタン領域５１３には、マイナスボタン５１３Ａとプラスボタン５１３Ｂが表示される。マイナスボタン５１３Ａは、人物の大きさを小さくするときに操作されるボタンであり、プラスボタン５１３Ｂは、人物の大きさを大きくするときに操作されるボタンである。ボタン領域５１３に表示されているボタンを押すごとに、人物の大きさが所定の量だけ変化する。
【０２３８】
ボタン領域５１２に表示されるボタンとボタン領域５１３に表示されるボタンを用いた調整が、人物の位置と大きさの二段階目の調整となる。
【０２３９】
図３３は、人物の位置と大きさの二段階目の調整時の調整画面の表示例を示す図である。
【０２４０】
人物の位置と大きさの調整時、ライブビュー表示時と同様に、調整画像表示領域５１１には、証明写真用画像に重ねて、水平線５１１Ａ、５１１Ｂ、および垂直線５１１Ｃからなるガイドラインが表示される。水平線５１１Ａは、頭の一番上の位置の目安となる高さを表し、水平線５１１Ｂは、あごの位置の目安となる高さを表す。また、垂直線５１１Ｃは、顔の中心の水平方向の目安となる位置を表す。
【０２４１】
例えば、人物の位置の調整時、「人物の位置を調整します。ガイドラインの位置に合わせて調整してください。」などの音声がガイダンス出力制御部３３１によりスピーカ２３１から出力される。また、人物の大きさの調整時、「人物の大きさを調整します。ガイドラインの大きさに合わせて調整してください。」などの音声がガイダンス出力制御部３３１によりスピーカ２３１から出力される。
【０２４２】
利用者は、ボタン領域５１２とボタン領域５１３に表示されているボタンを操作して、垂直線５１１Ｃが中心を通るように顔の位置を合わせるとともに、水平線５１１Ａに頭の一番上の位置を合わせ、水平線５１１Ｂにあごの一番下の位置を合わせることになる。
【０２４３】
このように、撮影時には粗い調整のみを行い、その後、証明写真用画像の調整時にタッチペン１３２Ａ、１３２Ｂを用いて細かい調整を行うようにすることにより、証明写真用画像における人物の位置と大きさを正確に調整することが可能になる。
【０２４４】
撮影時の一段階目の調整と同様に、顔の位置と大きさの目安を表す画像は直線画像に限られるものではない。また、人物の、顔以外の部分の位置と大きさを表す画像が表示されるようにしてもよい。さらに、顔の位置と大きさのうちのいずれかの目安となる画像が表示されるようにしてもよい。
【０２４５】
撮影時の一段階目の調整時は粗い調整であるから、顔の位置と大きさのうちのいずれかの目安となる画像のみが表示され、細かい調整である二段階目の調整時に、顔の位置と大きさの両方の目安となる画像が表示されるようにすることも可能である。
【０２４６】
ライブビュー表示時には、利用者はライブビューを見て身だしなみの確認なども行う必要がある。ライブビューに重ねて表示する情報を減らすことにより、利用者が自分の様子をより確認しやすくなる。
【０２４７】
図３４Ａ，Ｂは、人物の位置と大きさの調整時の画像処理の例を示す図である。
【０２４８】
図３４Ａ，Ｂの画像Ｐ４１は、証明写真用画像の全体の画像であり、枠Ｆ１で示す範囲が、調整画像表示領域５１１に表示される範囲である。撮影においては、タブレット内蔵モニタ１３１に表示される範囲より広い範囲のデータが取得されており、取得された画像上で、枠Ｆ１に収める範囲を変えるようにして人物の位置と大きさの調整が行われる。
【０２４９】
例えば、調整部３３４は、ボタン領域５１２の左ボタン５１２Ａが操作される毎に、図３４Ａの白抜き矢印＃１１に示すように枠Ｆ１の範囲を所定の量だけ右方向に移動させ、これにより、枠Ｆ１内における人物の位置を左方向に移動させる。また、調整部３３４は、右ボタン５１２Ｂが操作される毎に、白抜き矢印＃１２に示すように枠Ｆ１の範囲を所定の量だけ左方向に移動させ、枠Ｆ１内における人物の位置を右方向に移動させる。
【０２５０】
調整部３３４は、ボタン領域５１２の上ボタン５１２Ｃ、下ボタン５１２Ｄが操作されたときも同様に、それぞれ、白抜き矢印＃１３，＃１４に示すように枠Ｆ１の範囲を所定の量だけ下方向または上方向に移動させ、枠Ｆ１内における人物の位置を移動させる。
【０２５１】
また、調整部３３４は、ボタン領域５１３のマイナスボタン５１３Ａが操作される毎に、図３４Ｂの外向きの白抜き矢印＃２１に示すように枠Ｆ１に収める範囲を、枠Ｆ１１に収まる範囲のように所定の量だけ広くし、枠Ｆ１に対する人物の相対的な大きさを小さくする。これにより、調整画像表示領域５１１に表示される人物は小さくなる。また、調整部３３４は、プラスボタン５１３Ｂが操作される毎に、内向きの白抜き矢印＃２２で示すように枠Ｆ１に収める範囲を、枠Ｆ１２に収まる範囲のように所定の量だけ狭くさせ、枠Ｆ１に対する人物の相対的な大きさを大きくする。これにより、調整画像表示領域５１１に表示される人物は大きくなる。
【０２５２】
調整が終わったとき、枠Ｆ１内の範囲がトリミングにより画像Ｐ４１から切り出され、証明写真用画像として用いられる。
【０２５３】
なお、人物の位置を調整する際、例えば人物の位置を下にずらしすぎたときには、図３４Ａの枠Ｆ１の上辺の位置が撮影画像Ｐ４１の上辺の位置より上の位置となり、枠Ｆ１に、撮影画像Ｐ４１の領域外の範囲が含まれることがある（撮影画像のデータとして、人物の上方の領域のデータがないことがある）。その場合、調整画像表示領域５１１に表示される人物の上方に余白が生じないようにするために、撮影画像Ｐ４１の上の、枠Ｆ１に含まれる範囲に背景領域（透明な背景領域）を加える処理が行われる。
【０２５４】
人物の大きさを調整する際において人物を小さくしすぎたときも同様に、図３４Ｂの枠Ｆ１１が撮影画像Ｐ４１より大きくなり、枠Ｆ１１に、撮影画像Ｐ４１の領域外の範囲が含まれることがある（撮影画像のデータとして、人物の周りの領域のデータがないことがある）。その場合、調整画像表示領域５１１に表示される人物の周りに余白が生じないようにするために、枠Ｆ１に含まれる撮影画像Ｐ４１の領域外の範囲に背景領域（透明な背景領域）を加える処理が行われる。
【０２５５】
なお、これらの処理は、利用者が撮影前ガイダンスに従わずに撮影を行った場合に行われるものである。利用者が撮影前ガイダンスに従って撮影を行っていることを前提とする場合には、枠Ｆ１に、撮影画像Ｐ４１の領域外の範囲が含まれないように、人物の位置や大きさの調整が制限されるようにしてもよい。
【０２５６】
図３２の説明に戻り、ボタン領域５１４には、背景画像の色の選択に用いられる背景カラー選択ボタン５１４Ａ乃至５１４Ｆが表示される。背景カラー選択ボタン５１４Ａ乃至５１４Ｆはそれぞれ異なる色のボタンである。図１１を参照して説明したように、証明写真用画像は、撮影画像の被写体を背景画像に合成することによって構成される。
【０２５７】
調整部３３４は、背景カラー選択ボタン５１４Ａ乃至５１４Ｆが操作されることに応じて、撮影画像の被写体に合成する背景画像を変え、色の調整を行う。例えば、背景の調整時、「背景を選択します。ご提出先の規定に背景の色指定がある場合、規定に沿ってお選びください。」などの音声がスピーカ２３１から出力される。
【０２５８】
図３５は、図３１のボタン領域５１５とボタン領域５１６を拡大して示す図である。
【０２５９】
ボタン領域５１５には、一発レタッチの機能を利用して写りの調整を行うときに操作されるモード選択ボタン５１５Ａ乃至５１５Ｃが表示される。一発レタッチの機能は、証明写真用画像に写る利用者の肌の明るさ、肌質、目の印象、および髪色のそれぞれの写りを、１回の操作で一括して調整する機能である。
【０２６０】
例えば、肌の明るさには、「健康的」（少し日焼けしたような肌の明るさを表す）、「おすすめ（ナチュラル）」、「明るめ」の名称が設定された３種類の明るさが用意され、肌質には、「マット」、「おすすめ（ナチュラル）」、「ふんわり」の名称が設定された３種類の肌質が用意される。目の印象には、「優しい」（目の輪郭をぼかした優しい雰囲気の印象を表す）、「おすすめ（ナチュラル）」、「はっきり」の名称が設定された３種類の印象が用意され、髪色には、「暗め」、「おすすめ（ナチュラル）」、「明るめ」の名称が設定された３種類の髪色が用意される。
【０２６１】
モード選択ボタン５１５Ａ乃至５１５Ｃは、それぞれ、「清潔感」、「健康的」、「華やか」の名称が設定されたモードで写りを一括して調整するときに操作されるボタンである。
【０２６２】
図３６は、一発レタッチの各モードを選択したときに用いられる写りの組み合わせの例を示す図である。
【０２６３】
「清潔感」のモードは、肌の明るさを「おすすめ（ナチュラル）」、肌質を「おすすめ（ナチュラル）」、目の印象を「優しい」、髪色を「暗め」として設定するモードである。「健康的」のモードは、肌の明るさを「健康的」、肌質を「マット」、目の印象を「おすすめ（ナチュラル）」、髪色を「おすすめ（ナチュラル）」として設定するモードである。「華やか」のモードは、肌の明るさを「明るめ」、肌質を「ふんわり」、目の印象を「はっきり」、髪色を「明るめ」として設定するモードである。当然、各モードと写りの組み合わせは図３６に示すものに限られるものではなく、他の組み合わせであってもよい。
【０２６４】
ボタン領域５１６には、一発レタッチの機能を利用しないで、肌の明るさ、肌質、目の印象、および髪色をそれぞれ個別に調整する機能であるこだわりレタッチに操作されるボタンが表示される。ボタン領域５１６には領域５３１乃至５３４が設けられる。
【０２６５】
領域５３１には、「健康的」、「おすすめ（ナチュラル）」、「明るめ」の３種類の中から好みの肌の明るさを選択するときに操作される写り選択ボタン５３１Ａ乃至５３１Ｃが表示される。「健康的」、「おすすめ（ナチュラル）」、「明るめ」のそれぞれの明るさには、色相、彩度、明度などの肌の色に関する各パラメータが対応付けられている。
【０２６６】
写り選択ボタン５３１Ａ乃至５３１Ｃの中からいずれかのボタンが操作された場合、調整部３３４は、被写体の肌の領域を検出し、選択された種類の明るさに応じたパラメータを設定することによって肌の明るさを調整する。
【０２６７】
領域５３２には、「マット」、「おすすめ（ナチュラル）」、「ふんわり」の３種類の中から好みの肌質を選択するときに操作される写り選択ボタン５３２Ａ乃至５３２Ｃが表示される。「マット」、「おすすめ（ナチュラル）」、「ふんわり」のそれぞれの肌質には、色相、彩度、明度などの色に関する各パラメータや、シャープネスなどのパラメータが対応付けられている。
【０２６８】
写り選択ボタン５３２Ａ乃至５３２Ｃの中からいずれかのボタンが操作された場合、調整部３３４は、被写体の肌の領域を検出し、選択された種類の肌質に応じたパラメータを設定することによって肌質を調整する。
【０２６９】
領域５３３には、「優しい」、「おすすめ（ナチュラル）」、「はっきり」の３種類の中から好みの目の印象を選択するときに操作される写り選択ボタン５３３Ａ乃至５３３Ｃが表示される。「優しい」、「おすすめ（ナチュラル）」、「はっきり」のそれぞれの目の印象には、シャープネスなどのパラメータが対応付けられている。
【０２７０】
写り選択ボタン５３３Ａ乃至５３３Ｃの中からいずれかのボタンが操作された場合、調整部３３４は、被写体の目を検出し、選択された種類の印象に応じたパラメータを設定することによって目の印象を調整する。
【０２７１】
領域５３４には、「暗め」、「おすすめ（ナチュラル）」、「明るめ」の３種類の中から好みの髪色を選択するときに操作される写り選択ボタン５３４Ａ乃至５３４Ｃが表示される。「暗め」、「おすすめ（ナチュラル）」、「明るめ」のそれぞれの髪色には、色相、彩度、明度などの髪の色に関する各パラメータが対応付けられている。
【０２７２】
写り選択ボタン５３４Ａ乃至５３４Ｃの中からいずれかのボタンが操作された場合、調整部３３４は、被写体の髪領域を検出し、選択された種類の色に応じたパラメータを設定することによって髪色を調整する。
【０２７３】
なお、ボタン領域５１５やボタン領域５１６に表示される各ボタンが操作されることによって調整される、肌の明るさ、肌質、目の印象、および髪色のそれぞれの写りは、ボタン領域５１４に表示されるカラー選択ボタン５１４Ａ乃至５１４Ｆが操作されることによって選択される背景画像の色に合わせて設定されるようにしてもよい。これにより、より見映えのよい証明写真用画像を得ることができるようになる。
【０２７４】
図３１の調整画像表示領域５１１の上には、調整中ボタン５４１と調整前ボタン５４２が表示される。調整中ボタン５４１は、調整中の証明写真用画像を調整画像表示領域５１１に表示させるときに操作されるボタンであり、調整前ボタン５４２は、調整前の証明写真用画像を調整画像表示領域５１１に表示させるときに操作されるボタンである。調整中ボタン５４１と調整前ボタン５４２のうちのいずれかが操作可能とされる。
【０２７５】
調整部３３４においては、調整前の証明写真用画像と調整中の証明写真用画像の２種類の証明写真用画像のデータが管理される。調整中ボタン５４１と調整前ボタン５４２に対する操作が行われることに応じて、調整部３３４により管理されるデータに基づいて調整画像表示領域５１１の表示が切り替えられる。
【０２７６】
利用者は、調整中ボタン５４１と調整前ボタン５４２を交互に操作することによって、各ボタンを用いて調整している調整中の証明写真用画像と、調整前、すなわち無調整の証明写真用画像を見比べることができる。なお、調整中の証明写真用画像と、調整前（無調整）の証明写真用画像とが並んで表示されるようにしてもよい。
【０２７７】
調整画面においては、人物の位置、人物の大きさ、背景の色、および写りの４種類の調整が行われるが、調整前ボタン５４２を操作したときに調整前の証明写真用画像として表示される画像を、人物の位置や大きさの調整すらも行っていない無調整の証明写真用画像としてもよいし、人物の位置、人物の大きさ、および背景の色のうちの少なくともいずれかの調整については調整済みの証明写真用画像としてもよい。
【０２７８】
例えば、調整前の証明写真用画像として、人物の位置、人物の大きさ、および背景の色の調整済みの画像が表示されるようにすることにより、利用者は、調整中の証明写真用画像と、写りの調整前の証明写真用画像とを比較することができ、単に、写りが気に入っているか否かを判断することが可能になる。
【０２７９】
また、調整済みの証明写真用画像が1枚以上記憶されるようにし、その記憶された調整済みの証明写真用画像と、調整中の証明写真用画像とを比較することができるようにしてもよい。また、調整済みの証明写真用画像が複数記憶されるようにした場合には、複数の調整済みの証明写真用画像の中から、最終的に印刷される証明写真用画像を選択させるようにしてもよい。これにより、利用者の好みの証明写真用画像が印刷されたシール紙を提供することができる。
【０２８０】
調整画像表示領域５１１の下には、各調整機能の説明を表示するときに操作される説明ボタン５４３、調整を最初からやり直すときに操作されるやり直しボタン５４４、および証明写真用画像の調整を終えるときに操作される終了ボタン５４５が表示される。
【０２８１】
調整画面の表示中、調整中ボタン５４１と調整前ボタン５４２を用いて行うことのできる内容を説明する「調整中・調整前ボタンを切り替えることで元の画像と見比べることができます。」などの音声や、説明ボタン５４３を用いて行うことのできる内容を説明する「困ったときは説明ボタンを押してください。」などの音声が所定のタイミングで出力される。また、やり直しボタン５４４を用いて行うことのできる内容を説明する「最初からやり直したい場合は、最初からやり直すボタンを押してください。」などの音声や、終了ボタン５４５を用いて行うことのできる内容を説明する「調整を終わらせたい場合は、調整終了ボタンを押してください。」などの音声が所定のタイミングで出力される。
【０２８２】
図３７は、説明ボタン５４３が操作されたときに表示される調整画面の例を示す図である。
【０２８３】
説明ボタン５４３が操作されたとき、調整画面上の各位置には、それぞれの調整内容の説明が表示される。例えば、一発レタッチの機能を用いるときに操作されるモード選択ボタン５１５Ａ乃至５１５Ｃの領域には、各モードを選択したときの写りのイメージの説明が表示される。
【０２８４】
調整画像表示領域５１１に重ねて表示される終了ボタン５５１が操作されたとき、調整画面の表示は図３１の表示に戻る。
【０２８５】
図３８は、やり直しボタン５４４が操作されたときに表示される調整画面の例を示す図である。
【０２８６】
やり直しボタン５４４が操作されたとき、調整画面にはウインドウ５６１が表示される。ウインドウ５６１の略中央には「今までの設定がすべて消えますがよろしいですか？」のメッセージが表示され、その下に、設定を消さないで調整を続けるときに操作されるNOボタンであるボタン５６１Ａと、設定を消して調整をやり直すときに操作されるYESボタンであるボタン５６１Ｂが表示される。
【０２８７】
NOボタンであるボタン５６１Ａが操作されたとき、ウインドウ５６１が消え、調整画面の表示は、調整中の証明写真用画像を含む状態に戻る。一方、YESボタンであるボタン５６１Ｂが操作されたとき、ウインドウ５６１が消え、調整画面の表示は、調整前の証明写真用画像を含む状態に戻る。
【０２８８】
図３９は、終了ボタン５４５が操作されたときに表示される調整画面の例を示す図である。
【０２８９】
終了ボタン５４５が操作されたとき、調整画面上にはウインドウ５６１が表示される。ウインドウ５６１の上方には「これで調整を終了しますがよろしいですか？」のメッセージが表示され、その下に、調整後の証明写真用画像をシール紙上に配置したときのイメージを表す印刷イメージ５８１が表示される。
【０２９０】
印刷イメージ５８１の下には、調整画面に戻り、調整を続けるときに操作される戻るボタン５８２Ａと、調整を終了するときに操作される終了ボタン５８２Ｂが表示される。
【０２９１】
戻るボタン５８２Ａが操作されたとき、ウインドウ５６１が消え、調整画面の表示は、調整中の証明写真用画像を含む状態に戻る。
【０２９２】
図２６の説明に戻り、ステップＳ４５において、調整部３３４は、調整画面のボタン領域５１２に表示されているボタンに対する利用者の操作に応じて、証明写真用画像における被写体の位置を調整する。被写体の位置の調整は図３４Ａを参照して説明したようにして行われる。
【０２９３】
ステップＳ４６において、調整部３３４は、ボタン領域５１３に表示されているボタンに対する利用者の操作に応じて、証明写真用画像における被写体の大きさを調整する。被写体の大きさの調整は図３４Ｂを参照して説明したようにして行われる。
【０２９４】
ステップＳ４７において、調整部３３４は、ボタン領域５１４に表示されているボタンに対する利用者の操作に応じて、証明写真用画像における被写体の背景の色を調整する。
【０２９５】
ステップＳ４８において、調整部３３４は、ボタン領域５１５とボタン領域５１６に表示されているボタンに対する利用者の操作に応じて、証明写真用画像における被写体の写りを調整する。
【０２９６】
すなわち、調整部３３４は、ボタン領域５１５に表示されているボタンが操作されたとき、利用者の肌の明るさ、肌質、目の印象、および髪色のそれぞれの写りに関するパラメータを一括して調整する。また、調整部３３４は、ボタン領域５１６に表示されているボタンが操作されたとき、利用者の肌の明るさ、肌質、目の印象、および髪色に関するパラメータを、それぞれ調整する。
【０２９７】
ボタン領域５１２乃至５１６のボタンが操作される毎に証明写真用画像の調整が行われ、調整後の証明写真用画像のデータが調整部３３４から表示制御部３３２に供給される。調整部３３４から供給されたデータに基づいて、調整画像表示領域５１１には、調整後の証明写真用画像が表示される。
【０２９８】
ステップＳ４９において、調整部３３４は、調整終了か否かを判定し、調整終了ではないと判定した場合、ステップＳ４５に戻り、以上の処理を繰り返す。ステップＳ４５乃至Ｓ４８の各処理については、必要な処理だけが、任意の順序で行われるようにしてもよい。
【０２９９】
一方、終了ボタン５４５が操作され、続けて調整画面上に表示される終了ボタン５８２Ｂ（図３９）が操作されたことから、調整終了であると判定された場合、ステップＳ５０において、表示制御部３３２は、携帯送信の機能を利用するか否かの確認画面をタブレット内蔵モニタ１３１に表示させる。
【０３００】
調整終了であると判定された場合、調整後の証明写真用画像が画像記憶部３３５に供給され、記憶される。なお、あらかじめ設定された制限時間が経過した場合も調整終了であると判定され、確認画面がタブレット内蔵モニタ１３１に表示される。証明写真用画像の調整にも制限時間が設定されている。事後接客空間Ａ３の空き状況や印刷の状況に応じて、適宜、制限時間が延長されるようにしてもよい。
【０３０１】
図４０は、確認画面の例を示す図である。
【０３０２】
確認画面の上方には、「証明写真用画像を携帯送信する？」のメッセージが表示され、その下に、携帯送信の機能を利用するときに操作されるYESボタンであるボタン５９１Ａと、携帯送信の機能を利用しないときに操作されるNOボタンであるボタン５９１Ｂが表示される。
【０３０３】
確認画面に対する利用者の選択内容を表す情報は、事後接客管理部３０４（図１３）に供給され、記憶される。
【０３０４】
ステップＳ５１において、表示制御部３３２は、通常コースの紹介画面をタブレット内蔵モニタ１３１に表示させる。通常コースの紹介画面には、例えば撮影画像の編集の内容を表す画像が表示される。紹介画面の表示に合わせて、「通常コースの落書き紹介です。ぜひ次は撮ってみてください！」などの音声がスピーカ２３１から出力される。
【０３０５】
ステップＳ５２において、表示制御部３３２は、証明写真用画像の調整を終えた利用者に対して事後接客空間Ａ３への移動を案内する。事後接客空間Ａ３への移動の案内は、タブレット内蔵モニタ１３１に画面を表示させることによって、またはスピーカ２３１から音声を出力させることによって行われる。その後、図１８のステップＳ４に戻り、それ以降の処理が行われる。
【０３０６】
［証明写真コースにおける印刷処理］
次に、図４１のフローチャートを参照して、図１８のステップＳ５において行われる証明写真用画像の印刷処理について説明する。
【０３０７】
ステップＳ６１において、印刷管理部３０３の印刷データ生成部３４１（図１６）は、画像記憶部３３５に記憶されている調整後の証明写真用画像を読み出して取得する。
【０３０８】
ステップＳ６２において、印刷データ生成部３４１は、調整後の証明写真用画像を所定のレイアウトに配置することによって印刷データを生成し、プリンタ制御部３４２に出力する。
【０３０９】
証明写真用画像のレイアウトは、あらかじめ決まっているようにしてもよいし、履歴書用、願書用、パスポート用などの、証明写真用画像の用途が選択されることに応じて自動的に選択されるようにしてもよい。また、利用者がサイズを指定することに応じて選択されるようにしてもよいし、あらかじめ用意されている複数のレイアウトの中から利用者が選択することができるようにしてもよい。
【０３１０】
ステップＳ６３において、プリンタ制御部３４２は、プリンタ２４１を制御し、印刷データ生成部３４１により生成された印刷データに基づいて、証明写真用画像をシール紙に印刷させる。
【０３１１】
これにより、図１０を参照して説明したようなシール紙が生成され、シール紙排出口１６３に排出される。その後、図１８のステップＳ５に戻り、それ以降の処理が行われる。
【０３１２】
［証明写真コースにおける事後接客処理］
次に、図４２のフローチャートを参照して、図１８のステップＳ６において行われる事後接客処理について説明する。図４２の事後接客処理は、図４０の選択画面において携帯送信の機能を利用することが選択された場合に行われる。
【０３１３】
ステップＳ７１において、事後接客管理部３０４の表示制御部３５１は、メールアドレスの入力画面をタブレット内蔵モニタ１６１に表示させる。この入力画面を用いて、利用者が持つ携帯電話機などの携帯端末のメールアドレスが入力される。
【０３１４】
写真シール作成装置１において生成された証明写真用画像は、写真シール作成装置１からサーバに送信され、所定の記憶領域が割り当てられて保存される。サーバは、例えば写真シール作成装置１のメーカーが管理するサーバである。利用者により入力されたメールアドレスは、その記憶領域を表すURLを利用者に通知するために用いられる。サーバから利用者の携帯端末に対して送信される電子メールには証明写真用画像の記憶領域を表すURLが含まれており、そのURLへのアクセスを指示することによって、利用者は携帯端末の画面上に証明写真用画像を表示させることができる。
【０３１５】
携帯送信機能は、このような仕組みによって、携帯端末の画面上で証明写真用画像を閲覧することができるようにするための機能である。
【０３１６】
例えば、写真シール作成装置１のメーカーが開設するWebページなどから有料会員に登録することにより、証明写真用画像のデータを携帯端末にダウンロードすることができるようになされている。携帯端末にダウンロードされた証明写真用画像のデータは、電子履歴書の作成や証明写真用画像の焼き増しに用いることが可能とされる。
【０３１７】
図４３は、メールアドレスの入力画面の例を示す図である。
【０３１８】
入力画面の上方には、「携帯のアドレスを入力してね」のメッセージが表示され、その下に、入力されたメールアドレスが表示される表示欄６０１が設けられる。表示欄６０１の下にはアルファベットや数字などの入力に用いられる入力ボタン６０２が表示される。利用者は、入力ボタン６０２を操作して、自身の携帯端末のメールアドレスを入力する。
【０３１９】
入力ボタン６０２の下には、メールアドレスの入力を終了するときに操作されるOKボタン６０３が表示される。また、入力ボタン６０２の右側には、証明写真用画像のサムネイル画像６０４が表示される。サムネイル画像６０４は、画像記憶部３３５から読み出されたデータに基づいて表示される。
【０３２０】
このような入力画面に対してメールアドレスが入力され、OKボタン６０３が操作されたとき、ステップＳ７２において、通信制御部３５２は、画像記憶部３３５から読み出した調整後の証明写真用画像のデータとメールアドレスをサーバに送信する。
【０３２１】
表示制御部３５１は、図４４に示すような紹介画面をタブレット内蔵モニタ１６１に表示させ、処理を終了させる。その後、図１８のステップＳ６に戻り、証明写真コースの一連の処理が終了される。
【０３２２】
図４４は、紹介画面の例を示す図である。
【０３２３】
図４４の紹介画面は、メールアドレスを入力しないでも、証明写真用画像を携帯端末の画面上で閲覧できることを紹介する画面である。紹介画面の上方には、「アドレス入力できなくても画像がもらえるよ！」のメッセージが表示され、その下に、シール紙に印刷されているメールアドレスにいわゆる空メール（本文が空欄のメール）を送り、その時に返信されてくる電子メールに含まれるURLにアクセスしたときに表示されるWebページの入力欄にシール紙に印刷されているIDを入力することによっても、携帯端末を使って証明写真用画像を閲覧することができることの説明が表示されている。
【０３２４】
以上のように、利用者は、証明写真コースを選択することによって、履歴書などに貼り付けるのに用いる証明写真用画像が印刷されたシール紙を得ることができる。
【０３２５】
［通常コースにおける撮影処理］
次に、図４５のフローチャートを参照して、図１８のステップＳ７において行われる通常コースにおける撮影処理について説明する。
【０３２６】
ステップＳ１０１において、撮影管理部３０１のガイダンス出力制御部３２１は、表示制御部３２２を制御し、撮影の仕方を説明する画面をタッチパネルモニタ９２に表示させるなどして撮影前ガイダンスを出力する。利用者は、タッチパネルモニタ９２に表示される画面を見て、撮影の仕方などを確認することになる。
【０３２７】
撮影前ガイダンスが終了したとき、ステップＳ１０２において、表示制御部３２２は、ライブビューの表示を開始する。カメラ９１による動画の撮影が開始され、撮影によって得られた、利用者が映る動画がカメラ制御部３２３から表示制御部３２２に供給される。
【０３２８】
図４６は、ライブビュー表示画面の例を示す図である。
【０３２９】
ライブビュー表示画面の中央上方には「撮影するよ！」のメッセージが表示され、その下に設けられた矩形の領域であるライブビュー表示領域７０１には、撮影空間Ａ１にいる利用者を撮影して得られた動画が表示される。図４６の例においては、図１９のコース選択画面において２人用の通常コースを選択した２人の利用者が撮影を行っているものとされている。
【０３３０】
ライブビュー表示領域７０１の左には、ライブビュー表示領域７０１の上辺に沿うように頭の位置を調整することを案内するメッセージが表示される。ライブビュー表示領域７０１の下には、ライブビュー表示領域７０１より小さい矩形の領域である撮影結果表示領域７０２−１乃至７０２−６が２行３列に並べて配置される。
【０３３１】
通常コースの静止画の撮影は例えば６回行われる。撮影結果表示領域７０２−１乃至７０２−６には、それぞれ、撮影が行われる毎に、撮影によって得られた撮影画像が撮影順に表示される。図４６の例においてはまだ撮影が行われていないことから、撮影結果表示領域７０２−１乃至７０２−６には画像が表示されていない。
【０３３２】
利用者は、このようなライブビュー表示画面を見て、自分の顔の位置を調整して撮影を行いながら、撮影結果を確認することができる。ライブビュー表示画面の表示は６回の撮影が終了するまで続けられる。
【０３３３】
ライブビュー表示画面がタッチパネルモニタ９２に表示された状態で撮影のタイミングになったとき、ステップＳ１０３において、カメラ制御部３２３は１回目の静止画の撮影を行う。カメラ制御部３２３は、撮影によって得られた静止画である撮影画像を表示制御部３２２に出力するとともに、撮影画像記憶部３２４に出力し、記憶させる。
【０３３４】
表示制御部３２２に出力された撮影画像は、ライブビュー表示画面の撮影結果表示領域７０２−１に縮小して表示される。利用者は、１回目の撮影結果を確認しながら、次の撮影の準備を行うことができる。
【０３３５】
その後、２回目以降の撮影が行われる。すなわち、２回目の撮影タイミングになったとき、ステップＳ１０４において、カメラ制御部３２３は、２回目の静止画の撮影を行う。カメラ制御部３２３は、撮影によって得られた撮影画像を表示制御部３２２に出力してライブビュー表示画面の撮影結果表示領域７０２−２に表示させるとともに、撮影画像記憶部３２４に出力し、記憶させる。
【０３３６】
ステップＳ１０５乃至Ｓ１０８において、カメラ制御部３２３は、それぞれ、３〜６回目の静止画の撮影を行う。カメラ制御部３２３は、撮影によって得られた撮影画像を表示制御部３２２に出力してライブビュー表示画面に表示させるとともに、撮影画像記憶部３２４に出力し、記憶させる。
【０３３７】
ステップＳ１０９において、表示制御部３２２は、落書きの紹介画面をタッチパネルモニタ９２に表示する。
【０３３８】
ステップＳ１１０において、表示制御部３２２は、撮影を終えた利用者に対して、画像処理空間Ａ２−１または画像処理空間Ａ２−２への移動を案内する。画像処理空間Ａ２−１または画像処理空間Ａ２−２への移動の案内は、タッチパネルモニタ９２に画面を表示させることによって、または、スピーカ２２４から音声を出力することによっても行われる。
【０３３９】
利用者は、撮影空間Ａ１から出て、案内された方の画像処理空間に移動して撮影画像の編集を行うことになる。その後、図１８のステップＳ７に戻り、それ以降の処理が行われる。
【０３４０】
［通常コースにおける編集処理］
次に、図４７のフローチャートを参照して、図１８のステップＳ８において行われる撮影画像の編集処理について説明する。
【０３４１】
ステップＳ１２１において、画像処理管理部３０２の表示制御部３３２は、名前入力画面をタブレット内蔵モニタ１３１に表示させる。名前入力画面に入力された利用者の名前に応じて、編集画面に用意される編集ツールの内容が変化する。例えば、利用者の名前を表すスタンプ画像などが編集ツールとして用意される。
【０３４２】
ステップＳ１２２において、表示制御部３３２は、撮影処理によって得られた例えば６枚の撮影画像を撮影画像記憶部３２４から読み出して取得し、目＆顔サイズ調整画面をタブレット内蔵モニタ１３１に表示させる。目＆顔サイズ調整画面は、撮影画像に写る利用者の目と顔の大きさの調整に用いられる画面である。
【０３４３】
図４８は、目＆顔サイズ調整画面の例を示す図である。
【０３４４】
目＆顔サイズ調整画面の中央上方には「１人ずつ目の大きさと顔の大きさを選んでね」のメッセージが表示され、その下に、顔画像表示領域７２１Ｌと顔画像表示領域７２１Ｒが離れて設けられる。顔画像表示領域７２１Ｌは、２人の利用者が写る撮影画像からトリミングによって切り出された、左側に写る人物の顔が拡大して表示される領域であり、顔画像表示領域７２１Ｒは、右側に写る人物の顔が拡大して表示される領域である。例えば、１枚目の撮影画像から切り出された人物の顔の領域が顔画像表示領域７２１Ｌと顔画像表示領域７２１Ｒに表示される。
【０３４５】
顔画像表示領域７２１Ｌの下にはボタン領域７２２Ｌが設けられ、顔画像表示領域７２１Ｒの下にはボタン領域７２２Ｒが設けられる。タブレット内蔵モニタ１３１に向かって左側に立つ利用者は、タブレット内蔵モニタ１３１の左側に用意されたタッチペン１３２Ａを使ってボタン領域７２２Ｌに表示されるボタンを操作し、ボタン領域７２２Ｌに表示された自分の画像の目と顔の大きさを調整することになる。一方、タブレット内蔵モニタ１３１に向かって右側に立つ利用者は、タブレット内蔵モニタ１３１の右側に用意されたタッチペン１３２Ｂを使ってボタン領域７２２Ｒに表示されるボタンを操作し、ボタン領域７２２Ｒに表示された自分の画像の目と顔の大きさを調整することになる。
【０３４６】
ボタン領域７２２Ｌの上段には、目の大きさの調整に用いられるボタンである目サイズ選択ボタン７３１−１Ｌ乃至７３１−３Ｌが表示される。目サイズ選択ボタン７３１−１Ｌ乃至７３１−３Ｌには、それぞれ、撮影画像からトリミングによって切り出された、大きさの異なる目の画像が表示される。
【０３４７】
目サイズ選択ボタン７３１−１Ｌは、目の大きさとして、撮影画像に写るそのままの大きさを選択するときに操作されるボタンであり、目サイズ選択ボタン７３１−２Ｌは、若干大きいサイズを選択するときに操作されるボタンである。目サイズ選択ボタン７３１−３Ｌは、大きいサイズを選択するときに操作されるボタンである。
【０３４８】
ボタン領域７２２Ｌの下段には、顔の大きさの調整に用いられるボタンである顔サイズ選択ボタン７３２−１Ｌ乃至７３２−３Ｌが表示される。顔サイズ選択ボタン７３２−１Ｌ乃至７３２−３Ｌには、それぞれ、撮影画像からトリミングによって切り出した、大きさの異なる顔の画像が表示される。
【０３４９】
顔サイズ選択ボタン７３２−１Ｌは、顔の大きさとして、撮影画像に写るそのままの大きさを選択するときに操作されるボタンであり、顔サイズ選択ボタン７３２−２Ｌは、若干小さいサイズを選択するときに操作されるボタンである。顔サイズ選択ボタン７３２−３Ｌは、小さいサイズを選択するときに操作されるボタンである。
【０３５０】
ボタン領域７２２Ｌの右下には、目と顔の大きさの調整を終えるときに操作されるOKボタン７３３Ｌが表示される。
【０３５１】
ボタン領域７２２Ｌに表示されるボタンと同じボタンがボタン領域７２２Ｒにも表示される。ボタン領域７２２Ｒの上段には、目の大きさの調整に用いられるボタンである目サイズ選択ボタン７３１−１Ｒ乃至７３１−３Ｒが表示され、下段には、顔の大きさの調整に用いられるボタンである顔サイズ選択ボタン７３２−１Ｒ乃至７３２−３Ｒが表示される。ボタン領域７２２Ｒの右下には、目と顔の大きさの調整を終えるときに操作されるOKボタン７３３Ｒが表示される。
【０３５２】
目サイズ選択ボタン７３１−１Ｌ乃至７３１−３Ｌのうちのいずれかのボタンが操作された場合、ステップＳ１２３において、調整部３３４は、それぞれの撮影画像から、顔画像表示領域７２１Ｌに表示されている人物と同じ人物の目の領域を検出し、検出した領域に含まれる目の大きさを、選択された大きさに応じて調整する。
【０３５３】
また、調整部３３４は、顔サイズ選択ボタン７３２−１Ｌ乃至７３２−３Ｌのうちのいずれかのボタンが操作された場合、それぞれの撮影画像から、顔画像表示領域７２１Ｌに表示されている人物と同じ人物の顔の領域を検出し、検出した領域に含まれる顔の大きさを、選択された大きさに応じて調整する。
【０３５４】
目サイズ選択ボタン７３１−１Ｒ乃至７３１−３Ｒが操作された場合、または顔サイズ選択ボタン７３２−１Ｒ乃至７３２−３Ｒが操作された場合も同様に、調整部３３４は、それぞれの撮影画像に写る、顔画像表示領域７２１Ｒに表示されている人物と同じ人物の目と顔の大きさを調整する。OKボタン７３３ＬとOKボタン７３３Ｒが操作された場合、目と顔の大きさの調整が終了される。
【０３５５】
このように、証明写真用画像の調整時には行われない顔の大きさの調整が、撮影画像の編集時には可能とされる。証明写真用画像に写る利用者の顔の大きさを本人が好みに応じて調整することができるとした場合、証明写真用画像の信ぴょう性が損なわれることから好ましくない。撮影画像の編集時には調整できるが証明写真用画像の調整時には調整できないような内容を設定することにより、証明写真用画像の信ぴょう性が損なわれるのを防ぐことができる。
【０３５６】
撮影画像の編集時には化粧風の画像処理を撮影画像に施したり顔の形を細くしたりすることができるが、それらの調整を証明写真用画像の調整時には行うことができなくするといったように、他の処理の内容について、撮影画像の編集時と証明写真用画像の調整時とで差を設定することも可能である。
【０３５７】
ステップＳ１２４において、表示制御部３２２は、撮影画像に写る利用者の肌の明るさの調整に用いられる画面である明るさ調整画面をタブレット内蔵モニタ１３１に表示させる。
【０３５８】
図４９は、明るさ調整画面の例を示す図である。
【０３５９】
明るさ調整画面の中央上方には「明るさを選んでね」のメッセージが表示され、その下に表示領域７４１が設けられる。表示領域７４１には、６枚の撮影画像の中から選択された例えば１枚目の撮影画像が表示される。
【０３６０】
表示領域７４１の下のボタン領域７４２には、肌の明るさの調整に用いられるボタンである明るさ選択ボタン７５１−１乃至７５１−５が表示される。より左側に表示されるボ
タンが、より暗い色の肌を選択するときに操作されるボタンであり、より右側に表示されるボタンが、より明るい色の肌を選択するときに操作されるボタンである。表示領域７４１に表示されている撮影画像に写る人物の肌の色を変えた画像が、明るさ選択ボタン７５１−１乃至７５１−５として用いられる。
【０３６１】
明るさ選択ボタン７５１−５の右側には、明るさの調整を終えるときに操作されるOKボタン７５２が表示される。
【０３６２】
明るさ選択ボタン７５１−１乃至７５５−５のうちのいずれかのボタンが操作された場合、ステップＳ１２５において、調整部３３４は、それぞれの撮影画像から人物の肌の領域を検出し、検出した領域を、選択された明るさに応じて調整する。OKボタン７５２が操作された場合、明るさの調整が終了される。
【０３６３】
ステップＳ１２６において、表示制御部３２２は、撮影画像に写る利用者の背景の選択に用いられる画面である背景選択画面をタブレット内蔵モニタ１３１に表示させる。
【０３６４】
図５０は、背景選択画面の例を示す図である。
【０３６５】
背景選択画面の上方中央には、「好きなセット背景を選択してね」のメッセージが表示され、その下に、６枚の撮影画像が２行３列に配置して表示される。セット背景は、あらかじめ設定された背景画像のセットであり、所定のテーマに沿って選択された複数の背景画像から構成される。撮影画像が６枚ある場合、１つのセット背景は６枚の背景画像の組み合わせによって構成される。利用者は、撮影画像７７１−１乃至７７１−６に合成するセット背景を図５０の背景選択画面から選択することができる。
【０３６６】
６枚の撮影画像の上段には、左から順に撮影画像７７１−１乃至７７１−３が配置され、下段には、左から順に撮影画像７７１−４乃至７７１−６が配置される。撮影画像７７１−１乃至７７１−６は例えば撮影順に配置される。
【０３６７】
撮影画像７７１−１乃至７７１−６は、目の大きさや顔の大きさの調整などが施された画像であり、被写体として写る２人の利用者の背景には、撮影空間Ａ１の内側の白色無地の壁面（背面パネル５１の内側）が写っている。撮影画像７７１−１乃至７７１−６に写る利用者の背景は、背景画像が選択されることに応じてリアルタイムで変更される。
【０３６８】
撮影画像７７１−１乃至７７１−６の下には、選択肢としてのセット背景や背景画像のサンプル画像が表示される横長の領域である背景画像パレット７７２が表示される。背景画像パレット７７２は、表示領域７８１の左側にタブ７９１Ｌ乃至７９４Ｌが縦に並べて表示され、右側にタブ７９１Ｒ乃至７９４Ｒが縦に並べて表示されることによって構成される。
【０３６９】
各タブには名称が設定されており、選択されたタブのグループに属するセット背景のサンプル画像が表示領域７８１に表示される。図５０の例においては、タブ７９１Ｌとタブ７９１Ｒが選択状態となっており、他のタブより大きく表示されている。
【０３７０】
表示領域７８１には、８種類のセット背景（セット背景のサンプル画像）であるセット背景８０１−１乃至８０１−８が上段に４枚、下段に４枚ずつ並べて表示されている。セット背景８０１−１乃至８０１−８は、所定の色の背景画像からなるセット背景とされている。それぞれのセット背景を構成する６枚の背景画像は、それぞれ、対応する位置に配置されている撮影画像の合成に用いられる。
【０３７１】
セット背景８０１−８の右側に表示されているボタン８０２とボタン８０３は、セット背景８０１−１乃至８０１−８上に人物（撮影画像に写る利用者）を表示させるか、表示させないかを選択するときに操作されるボタンである。
【０３７２】
図５０の例においては、例えば左側の利用者によりセット背景８０１−１がタッチペン１３２Ａで選択され、セット背景８０１−１を囲むようにカーソルＣが表示されている。セット背景８０１−１が選択されていることにより、撮影画像７７１−１乃至７７１−６は、セット背景８０１−１を構成する背景画像が合成された状態で表示される。
【０３７３】
撮影画像７７１−１乃至７７１−６の右側には、背景の選択を終了するときに操作されるOKボタン７７３が表示される。例えばセット背景８０１−２を選択した状態でOKボタン７７３が押された場合、背景の選択が終了し、セット背景８０１−２を構成する背景画像が撮影画像に合成される。
【０３７４】
背景選択画面のOKボタン７７３が押された場合、ステップＳ１２７において、調整部３３４は、利用者により選択された背景画像（背景セットを構成する背景画像）を合成することによって撮影画像の背景を調整し、編集対象となる撮影画像を生成する。編集対象となる撮影画像は、撮影画像に写る利用者の目と顔の大きさ、肌の明るさ、および背景が調整された画像となる。
【０３７５】
背景画像の選択が終了したとき、ステップＳ１２８において、表示制御部３３２は、編集画面をタブレット内蔵モニタ１３１に表示させる。
【０３７６】
図５１は、編集画面の例を示す図である。
【０３７７】
編集画面は、主な構成が左右対称に設けられることによって構成される。左半分の領域である領域８１２Ｌは、タブレット内蔵モニタ１３１に向かって左側にいる利用者により用いられる領域であり、右半分の領域である領域８１２Ｒは、タブレット内蔵モニタ１３１に向かって右側にいる利用者により用いられる領域である。中央上方の領域８１１には編集処理の残り時間などが表示される。なお、図５１の各領域を囲む一点鎖線と破線は画面に実際に表示されるものではない。
【０３７８】
領域８１２Ｌの中央上方のサムネイル画像表示領域８２１Ｌは、撮影画像を表すサムネイル画像の表示領域である。利用者は、サムネイル画像表示領域８２１Ｌに表示されているサムネイル画像を選択することによって、編集対象とする撮影画像を選択する。
【０３７９】
図５１の例においては、６枚の撮影画像を表すサムネイル画像Ｐ５１乃至Ｐ５６が撮影順に並べて表示され、左端のサムネイル画像Ｐ５１が選択されることによって、１枚目の撮影画像が編集対象とされている。
【０３８０】
領域８１２Ｌの略中央に設けられた比較的大きな編集領域８２２Ｌは、編集対象として選択された撮影画像の表示領域である。利用者は、編集用パレット８３１Ｌにサンプルが表示されるものの中から好みの編集ツールをタッチペン１３２Ａを用いて選択し、続けて、編集領域８２２Ｌに表示された撮影画像上の位置を指定することにより、指定した位置に、手書きの文字やスタンプ画像などの合成用画像を撮影画像に合成させて編集を行うことができる。
【０３８１】
編集領域８２２Ｌの下の編集用パレット表示領域８２３Ｌは、スタンプ画像などの各種の編集ツールの選択に用いられる編集用パレット８３１Ｌの表示領域である。編集用パレットに表示される編集ツールはカテゴリ毎に分かれており、タブを選択することによって、編集用パレット８３１Ｌに表示させる編集ツールを切り替えることができるようになされている。
【０３８２】
編集用パレット表示領域８２３Ｌの上の修正ツール選択領域８２４Ｌは、入力した編集を消すときに用いられるツールである消しゴムツールの選択に用いられるボタンや、１つ前または１つ後の作業に戻るときに操作されるボタンが並べて表示される領域である。
【０３８３】
編集領域８２２Ｌの右側の一発落書きボタン８２５Ｌは、一発落書き機能を使って編集を行うときに操作されるボタンである。一発落書き機能は、複数種類の編集ツールを組み合わせることによってあらかじめ設定された内容の編集を一括して編集対象の撮影画像に合成する機能である。
【０３８４】
一発落書きボタン８２５Ｌの上には、編集処理を終了するときに操作される終了ボタン８２６Ｌが表示される。
【０３８５】
領域８１２Ｒには、領域８１２Ｌの構成と同じ構成が位置を対称にして配置される。図５１の例においては、サムネイル画像表示領域８２１Ｒからサムネイル画像Ｐ５３を選択することによって、３枚目の撮影画像が編集対象とされている。
【０３８６】
図４７の説明に戻り、ステップＳ１２９において、編集部３３３は、編集画面に対する利用者の操作に応じて撮影画像の編集を行う。編集が行われることによって生成された編集画像は編集部３３３から画像記憶部３３５に供給され、記憶される。撮影画像の編集は、例えば、あらかじめ設定された所定の時間が経過するまで、または、編集画面に用意された終了ボタン８２６Ｌ，８２６Ｒが操作されるまで続けられる。
【０３８７】
ステップＳ１３０において、編集部３３３は、編集終了か否かを判定し、終了ではないと判定した場合、ステップＳ１２８以降の処理を繰り返す。
【０３８８】
制限時間が経過したことから、または編集画面の終了ボタン８２６Ｌ，８２６Ｒが操作されたことから編集終了であるとステップＳ１３０において判定された場合、ステップＳ１３１において、表示制御部３３２は、分割数選択画面をタブレット内蔵モニタ１３１に表示させる。分割数選択画面は、編集作業によって生成された編集画像をシール紙に印刷するときのレイアウトの選択に用いられる画面である。
【０３８９】
図５２は、分割数選択画面の例を示す図である。
【０３９０】
分割数選択画面の中央上方には「分割数を選んでね」のメッセージが表示され、その下に、「おすすめ分割」を選択するときに操作される選択ボタン８５１、「切れてる分割」を選択するときに操作される選択ボタン８５２、および「小分割・大分割」を選択するときに操作される選択ボタン８５３が表示される。選択ボタン８５１乃至８５３が操作されることに応じて、その下の領域８５４に表示される分割数の選択肢の表示が切り替わる。
【０３９１】
領域８５４は、主な構成が左右にそれぞれ配置されることによって構成される。２人の利用者は、それぞれ好みの分割数を選択することができる。
【０３９２】
領域８５４の左側には、選択中の分割数を表す印刷イメージ８６１Ｌが表示される。印刷イメージ８６１Ｌは、編集処理によって生成された編集画像が、選択中のレイアウトで配置された画像である。印刷イメージ８６１Ｌの左側には、縦横選択ボタン８６２ＬとOKボタン８６３Ｌが表示される。OKボタン８６３Ｌは分割数の選択を終えるときに操作されるボタンである。
【０３９３】
レイアウト表示領域８６４Ｌには、分割数のサンプル画像である画像８７１−１乃至８７１−３が表示される。
【０３９４】
領域８５４の右側にも同様に、選択中の分割数を表す印刷イメージ８６１Ｒが表示され、その右側に、縦横選択ボタン８６２ＲとOKボタン８６３Ｒが表示される。レイアウト表示領域８６４Ｒには、分割数のサンプル画像である画像８７１−１乃至８７１−３が表示される。
【０３９５】
このような分割数選択画面から所定のレイアウトが選択されたとき、ステップＳ１３２において、表示制御部３３２は、撮影画像の編集を終えた利用者に対して事後接客空間Ａ３への移動を案内する。事後接客空間Ａ３への移動の案内は、タブレット内蔵モニタ１３１に画面を表示させることによって、またはスピーカ２３１から音声を出力させることによって行われる。その後、図１８のステップＳ８に戻り、それ以降の処理が行われる。
【０３９６】
［通常コースにおける印刷処理］
次に、図５３のフローチャートを参照して、図１８のステップＳ９において行われる編集画像の印刷処理について説明する。
【０３９７】
ステップＳ１４１において、印刷管理部３０３の印刷データ生成部３４１は、画像記憶部３３５に記憶されている編集画像を読み出して取得する。
【０３９８】
ステップＳ１４２において、印刷データ生成部３４１は、分割数選択画面を用いて利用者により選択されたレイアウトに従って編集画像を配置し、印刷データを生成する。印刷データ生成部３４１は、生成した印刷データをプリンタ制御部３４２に出力する。
【０３９９】
ステップＳ１４３において、プリンタ制御部３４２は、プリンタ２４１を制御し、印刷データ生成部３４１により生成された印刷データに基づいて、編集画像をシール紙に印刷させる。これにより、図８を参照して説明したようなシール紙が生成され、シール紙排出口１６３に排出される。その後、図１８のステップＳ９に戻り、それ以降の処理が行われる。
【０４００】
［通常コースにおける事後接客処理］
次に、図５４のフローチャートを参照して、図１８のステップＳ１０において行われる事後接客処理について説明する。
【０４０１】
ステップＳ１５１において、事後接客管理部３０４の表示制御部３５１は、メールアドレスの入力画面をタブレット内蔵モニタ１６１に表示させる。メールアドレスの入力画面は、図４３を参照して説明した画面と同様の画面である。
【０４０２】
入力画面に対してメールアドレスが入力されたとき、ステップＳ１５２において、通信制御部３５２は、画像記憶部３３５から読み出した編集画像のデータとメールアドレスをサーバに送信する。表示制御部３５１は、写真シール作成装置１の紹介画面をタブレット内蔵モニタ１６１に表示させ、処理を終了させる。その後、図１８のステップＳ１０に戻り、通常コースの一連の処理が終了される。
【０４０３】
以上のように、利用者は、通常コースを選択することによって、友達などと一緒に撮影し、編集などで遊んだ後に、編集画像が印刷されたシール紙を得ることができる。
【０４０４】
上述したように、写真シール作成装置１は、通常コースの一連の処理によって、従来の写真シール機と同様、編集画像が印刷されたシール紙を利用者に提供する他、証明写真作成装置として、証明写真コースの一連の処理によって、証明写真用画像が印刷されたシール紙を利用者に提供することができる。
【０４０５】
＜変形例＞
なお、写真シール作成装置１は、証明写真コースの一連の処理において、以下で説明するような機能をさらに提供することもできる。
【０４０６】
［ライブビュー表示時のガイダンス］
以上においては、図２３を参照して説明したように、ライブビューの表示に合わせて、身だしなみを整えたり、顔の位置を合わせたりすることを促す音声のガイダンスが出力されるものとしたが、これに加え、ガイダンス出力制御部３２１により、顔の表情を直すことを促す音声のガイダンスが出力されたり、このようなガイダンスで出力される内容が文字情報として列挙されたチェックリストや、図５５に示されるような、撮影準備の完成の度合いを示す完成度がライブビュー表示画面に表示されるようにしてもよい。
【０４０７】
図５５に示されるライブビュー表示画面には、画像表示領域４３１の下側に、完成度を表す「完成度  ８０％」の文字情報が表示されている。この完成度が所定の値を超えない場合には、撮影前のカウントダウンが開始されないようにしてもよい。これにより、より完成度の高い撮影画像を得ることができるようになる。
【０４０８】
［名前の入力］
以上においては、通常コースの編集処理において、利用者に名前を入力させるようにしたが、証明写真コースにおいても、利用者に名前を入力させるようにしてもよい。
【０４０９】
具体的には、証明写真コースにおいて、印刷処理が開始される前、例えば、調整処理において、携帯送信の機能の利用を選択するときに操作される確認画面（図４０）の後に、図５６に示されるような名前入力画面が表示されるようする。
【０４１０】
図５６に示されるように、名前入力画面の上方には、「名前を入力してね」のメッセージが表示され、その下に、入力された名前が表示される表示欄９１１が設けられる。表示欄９１１の右には、表示欄９１１に表示された文字を１文字分消去するときに操作される戻るボタン９１２と、表示欄９１１に表示された文字を全て消去するときに操作される消去ボタン９１３が表示され、表示欄９１１の下にはひらがなの入力に用いられる入力ボタン９１４が表示される。
【０４１１】
さらに、入力ボタン９１４の下には、表示欄９１１に表示されたひらがなを漢字やカタカナに変換するときに操作される変換ボタン９１５、名前の入力を終了するときに操作されるOKボタン９１６、および、名前の入力をスキップ（省略）するときに操作されるスキップボタン９１７が表示される。
【０４１２】
利用者は、入力ボタン９１４を操作し、必要に応じて変換ボタン９１５を操作することで、自身の名前を入力することができる。
【０４１３】
このようにして入力された名前は、印刷管理部３０３によって実行される印刷処理において、証明写真用画像とともにシール紙に印刷されるようにようにする。
【０４１４】
例えば、図５７Ａに示されるように、シール紙の縁の余白領域に、撮影日時９２１などとともに、利用者に入力された名前９２２が印刷されるようにしてもよいし、図５７Ｂに示されるように、シール紙の証明写真用画像が印刷される面の裏側に、名前９２３と撮影日時９２４が印刷されるようにしてもよい。図５７Ｂにおいては、図中破線で示される、シール紙の証明写真用画像それぞれが印刷される位置に対応した位置に、名前９２３と撮影日時９２４が印刷されている。これにより、シール紙に印刷された証明写真用画像がはさみなどで切り取られた場合であっても、その証明写真が誰のもので、いつ撮影されたかがわかるようになる。なお、上述したように、証明写真用画像が印刷される印刷媒体は、シール紙に限らず、写真用紙とすることができる。また、シール紙や写真用紙の証明写真用画像が印刷される面の裏側に、名前や撮影日時が印刷される場合には、プリンタ２４１に加え、裏面印刷専用のプリンタを設けるようにしてもよい。
【０４１５】
［領収証の印刷］
以上においては、証明写真用画像が印刷されるシール紙には、領収証もあわせて印刷されるものとしたが、利用者に領収証を印刷するか否かを選択させるようにしてもよい。
【０４１６】
具体的には、証明写真コースにおいて、印刷処理が開始される前、例えば、調整処理において、携帯送信の機能の利用を選択するときに操作される確認画面（図４０）の後に、図５８に示されるような確認画面が表示されるようする。
【０４１７】
図５８に示されるように、確認画面の上方には、「領収証を印刷する？」のメッセージが表示され、その下に、領収証を印刷するときに操作されるYESボタンであるボタン９３１Ａと、領収証を印刷しないときに操作されるNOボタンであるボタン９３１Ｂが表示される。
【０４１８】
ボタン９３１Ａが操作された場合には、印刷管理部３０３によって実行される印刷処理において、上述で説明したように、シール紙には証明写真用画像とともに領収証が印刷される。一方、ボタン９３１Ｂが操作された場合には、シール紙には領収証は印刷されない。この場合、図５９に示されるように、シール紙において領収証が印刷される領域にも証明写真用画像を印刷することで、１枚のシール紙に印刷される証明写真用画像の数を多くすることができる。
【０４１９】
また、シール紙に領収証が印刷される場合、領収証を発行する側の住所および会社名を含む領収証が印刷されるようにしてもよい。
【０４２０】
携帯送信の機能を実現する構成の１つであるサーバには、写真シール作成装置１が設置されている店舗の名称や住所等を含む店舗情報が記憶・管理されている。そこで、印刷処理において、印刷管理部３０３がサーバにアクセスし、サーバが、写真シール作成装置１を特定する筐体情報に基づいて、その写真シール作成装置１が設置されている店舗の店舗情報を写真シール作成装置１に送信するようにする。これにより、印刷管理部３０３によって、図６０に示されるように、写真シール作成装置１が設置されている店舗の住所および会社名（店舗名でもよい）を含む領収証が、証明写真用画像とともにシール紙に印刷されるようになる。
【０４２１】
なお、サーバにおいて、アクセスのあった写真シール作成装置１の筐体情報と、サーバで管理されている店舗情報とがマッチしないと判定された場合には、店舗の住所および店舗名を含まない領収証が、シール紙に印刷されるようになる。
【０４２２】
［証明写真用画像のレイアウト］
上述した説明において、シール紙に印刷される証明写真用画像のレイアウトは、あらかじめ用意されている複数のレイアウトの中から利用者が選択することができるようにしてもよいとしたが、その１つとして、図６１に示されるように、６枚の証明写真用画像が横１列に配置されてシール紙に印刷されるレイアウトが用意されるようにしてもよい。
【０４２３】
このようなレイアウトにより、シール紙全体を横長の形状とすることができ、例えば、長財布を利用している利用者は、紙幣などと一緒に、印刷されたシール紙を携帯することができるようになる。さらに、シール紙に印刷された証明写真用画像をはさみなどで切り取る際、証明写真用画像が２行３列で配置されている場合と比較して、切断する箇所が少なくなり、より簡単に切り取ることができる。なお、レイアウトとして、６枚の証明写真用画像が縦１列に配置されてシール紙に印刷されるレイアウトが用意されるようにしてもよい。
【０４２４】
さらに、あらかじめ用意されている複数のレイアウトの１つとして、図６２に示されるように、証明写真用画像が印刷されたシール紙の縁の余白領域に、通常コースの編集処理において用いられるようなスタンプ画像が印刷されるレイアウトが用意されるようにしてもよい。図６２の例では、ハート型のスタンプ画像が、シール紙の縁の領域に印刷されている。
【０４２５】
なお、図６２に示されるようなスタンプ画像を、あらかじめ用意されているレイアウトによって配置されるのではなく、例えば、図３９に示される調整画面において、通常コースの編集処理で表示される編集画面と同様に、スタンプ画像などの各種の編集ツールの選択に用いられる編集用パレットを表示させ、選択されたスタンプ画像が、タッチペン１３２Ａまたは１３２Ｂの軌跡に沿って、印刷イメージ５８１におけるシール紙の縁の領域に連続的に合成されるようにしてもよい。
【０４２６】
このように、証明写真用画像が印刷されたシール紙の縁の領域に、スタンプ画像が印刷されるようにすることで、シール紙全体としてのデザイン性を高めることができるようになる。
【０４２７】
なお、図６２の例では、証明写真用画像が印刷されたシール紙の縁の領域に、スタンプ画像が印刷されるものとしたが、証明写真用画像それぞれの縁の部分にも、スタンプ画像が印刷されるようにしてもよい。
【０４２８】
［証明写真用画像の背景選択］
以上においては、調整処理において選択される背景の色は１つであるため、最終的にシール紙に印刷される６枚の証明写真用画像それぞれの背景の色はいずれも同じ色となる。そこで、調整処理において選択可能な背景の色の数を複数にすることで、最終的にシール紙に印刷される６枚の証明写真用画像それぞれの背景の色を異なる色とするようにしてもよい。
【０４２９】
例えば、調整処理において背景の色として２つの色を選択可能とした場合、最終的にシール紙に印刷される６枚の証明写真用画像のうち、３枚の証明写真用画像の背景の色を１つの色とし、もう３枚の証明写真用画像の背景の色を他の１つの色とすることができる。これにより、例えば履歴書の提出先が２つある場合には、利用者は、それぞれの提出先の規定に合わせた背景の色の証明写真を得ることができる。
【０４３０】
［証明写真用画像の利用］
以上においては、証明写真用画像は、シール紙に印刷される他、携帯送信の機能によって、利用者の携帯端末にダウンロードされて電子履歴書の作成や証明写真用画像の焼き増しに用いられるものとしたが、これ以外にも、写真入りの名刺（写真名刺）に用いられるようにしてもよい。
【０４３１】
具体的には、証明写真コースにおいて、印刷処理が開始される前、例えば、調整処理において、携帯送信の機能の利用を選択するときに操作される確認画面（図４０）において、ボタン５９１Ａが選択された後に、利用者の操作に応じて、証明写真用画像を所定のサイズにトリミングさせることによって、写真名刺用の画像が生成されるようにする。この場合、生成された写真名刺用の画像が、写真シール作成装置１からサーバに送信され、携帯端末にダウンロードされるようになる。利用者は、携帯端末にダウンロードされた写真名刺用の画像を用いて、写真名刺を作成することができる。
【０４３２】
なお、図５６を参照して説明した名前入力画面において、利用者に名前を入力させるとともに、住所などの情報を入力させるようにし、また、事後接客部２１０の構成として、シール紙に画像や文字を印刷するプリンタ２４１に加え、名刺を印刷可能なプリンタを備えることで、生成された写真名刺用の画像と、利用者に入力された名前や住所などの情報を用いて、写真名刺が印刷されるようにしてもよい。
【０４３３】
［携帯端末でのアプリケーション］
以上においては、証明写真用画像が、携帯送信の機能によって、サーバから利用者の携帯端末にダウンロードされるものとしたが、証明写真用画像の撮影に関するアプリケーションが、サーバから利用者の携帯端末にダウンロードされるようにしてもよい。
【０４３４】
例えば、証明写真コースの撮影処理において出力される、撮影の仕方を説明する撮影前ガイダンスを、例えば、履歴用、願書用、パスポート用などの用途毎に、画像や文字として表示したり、音声として出力するアプリケーションが、利用者の携帯端末にダウンロードされるようにしてもよい。
【０４３５】
これにより、利用者は、そのアプリケーションによって、あらかじめ撮影前ガイダンスを確認しておくことで、証明写真コースでの撮影の際に戸惑うことなく、用途に適した証明写真用画像を得ることができるようになる。
【０４３６】
また例えば、GPS（Global Positioning System）機能を用いて、携帯端末の位置を基準として、証明写真コースの一連の処理を実行可能な写真シール作成装置の位置を、地図上に表示するアプリケーションがダウンロードされるようにしてもよい。
【０４３７】
これにより、急遽、証明写真が必要になった場合でも、利用者は、証明写真コースの一連の処理を実行可能な写真シール作成装置の位置を確認して、最寄りの写真シール作成装置で証明写真の撮影を行うことができる。
【０４３８】
以上、説明した変形例は、それぞれ組み合わせて適用することも可能であり、以下において説明する処理においても適用することが可能である。
【０４３９】
＜利用者の用途に合った証明写真の提供例１＞
上述したように、証明写真用画像には、履歴用、願書用、パスポート用など様々な用途がある。
【０４４０】
利用者が、例えば、街中にあるフォトスタジオなどで撮影を行う場合、そのフォトスタジオでは、利用者の用途に応じた撮影が行われる。しかしながら、従来の証明写真機では、必ずしも利用者の用途に応じた撮影が行われるとは言えず、結果として、利用者の用途に合った証明写真を提供することはできなかった。
【０４４１】
そこで、以下においては、利用者の用途に合った証明写真の提供を実現する処理について説明する。
【０４４２】
［証明写真コースにおける撮影処理］
まず、図６３のフローチャートを参照して、利用者の用途に合った証明写真の提供を実現する証明写真コースにおける撮影処理について説明する。
【０４４３】
ステップＳ２１１において、撮影管理部３０１の表示制御部３２２は、証明写真の用途を選択させるための用途選択画面をタッチパネルモニタ９２に表示させる。
【０４４４】
図６４は、用途選択画面の例を示す図である。
【０４４５】
用途選択画面の上方には、「用途を選んでね」のメッセージが表示され、その下に、証明写真の用途が履歴書用であるときに操作されるボタン１０１１、証明写真の用途が受験用（願書用）であるときに操作されるボタン１０１２、証明写真の用途がオーディション用であるときに操作されるボタン１０１３、および、証明写真の用途がお見合い用であるときに操作されるボタン１０１４が表示される。
【０４４６】
ボタン１０１１乃至１０１４によって選択される用途のうち、履歴書用および受験用は、利用者の顔または上半身が写る証明写真が必要とされ、オーディション用およびお見合い用は、利用者の顔または上半身が写る証明写真に加え、利用者の略全身が写る証明写真が必要とされるものとする。
【０４４７】
ここで、以下、利用者の顔または上半身が写る撮影画像をアップ画像といい、利用者の略全身が写る撮影画像を全身画像ということとする。また、アップ画像を得るために、利用者の顔または上半身を撮影することをアップ撮影といい、全身画像を得るために、利用者の略全身を撮影することを全身撮影ということとする。なお、以下においては、アップ画像と全身画像は、アップ撮影と全身撮影がそれぞれ行われることで得られるものとするが、１回の撮影により得られた撮影画像から、アップ画像と全身画像が得られるようにしてもよい。具体的には、例えば、全身撮影により得られた全身画像から、顔または上半身の領域がトリミングされ拡大されるなどして、アップ画像が得られるようにすることができる。
【０４４８】
ステップＳ２１２において、撮影管理部３０１は、利用者の用途選択画面に対する操作によって、全身撮影を行う用途が選択されたか否かを判定する。
【０４４９】
ステップＳ２１２において、全身撮影を行う用途が選択されたと判定された場合、すなわち、用途選択画面において、ボタン１０１３またはボタン１０１４が利用者によって操作されることによって、用途として、オーディション用またはお見合い用が選択された場合、処理はステップＳ２１３に進み、ガイダンス出力制御部３２１は、アップ撮影の撮影前ガイダンスを出力する。以下においては、ボタン１０１３が利用者によって操作され、用途として、オーディション用が選択されたものとして説明する。
【０４５０】
ここでは、図２２を参照して説明した撮影前ガイダンス画面と同様に、モデルとなる人物の上半身が映る動画像が表示される撮影前ガイダンスがタッチパネルモニタ９２に表示される。なお、ステップＳ２１１において選択された用途によっては、モデルとなる人物がカメラ９１に対して顔を正面に向いたまま体を斜めにしている動画像が表示されたり、そのような姿勢をとることを促すガイダンスが音声としてスピーカ２２４から出力される。
【０４５１】
その後、ステップＳ２１４において、表示制御部３２２は、ライブビューの表示を開始する。
【０４５２】
図６５は、アップ撮影時のライブビュー表示画面の例を示す図である。
【０４５３】
図６５に示されるライブビュー表示画面の構成は、図２３に示されるライブビュー表示画面と同様であるが、図６５の例では、画像表示領域４３１にリアルタイムで表示される動画像に映る利用者自身である人物Ｈ３は、撮影前ガイダンスに従って、顔を正面に向けたまま体を斜めにしている。
【０４５４】
その後、撮影前のカウントダウンが開始され、撮影タイミングになったとき、ステップＳ２１５において、カメラ制御部３２３は１回目のアップ撮影を行う。カメラ制御部３２３は、１回目のアップ撮影によって得られた静止画であるアップ画像を表示制御部３２２に出力するとともに、撮影画像記憶部３２４に出力し、記憶させる。
【０４５５】
ステップＳ２１６において、カメラ制御部３２３は、１回目のアップ撮影によって得られたアップ画像を表示する撮影結果確認画面をタッチパネルモニタ９２に表示させる。
【０４５６】
撮影結果確認画面が所定の時間だけ表示された後、ライブビューの表示が再開され、２回目のアップ撮影の撮影タイミングになったとき、ステップＳ２１７において、カメラ制御部３２３は、２回目のアップ撮影を行う。カメラ制御部３２３は、撮影によって得られたアップ画像を表示制御部３２２に出力するとともに、撮影画像記憶部３２４に出力し、記憶させる。
【０４５７】
ステップＳ２１８において、表示制御部３２２は、２回目のアップ撮影によって得られたアップ画像を表示する撮影結果確認画面をタッチパネルモニタ９２に表示させる。
【０４５８】
このようにして、２回のアップ撮影を終えると、処理はステップＳ２１９に進み、ガイダンス出力制御部３２１は、全身撮影の撮影前ガイダンスを出力する。
【０４５９】
ここでは、モデルとなる人物の全身が映る動画像が表示される撮影前ガイダンス画面がタッチパネルモニタ９２に表示される。なお、ステップＳ２１１において選択された用途によっては、モデルとなる人物が用途に応じたポーズをとる動画像が表示されたり、そのポーズをとることを促すガイダンスが音声としてスピーカ２２４から出力される。
【０４６０】
その後、ステップＳ２２０において、表示制御部３２２は、ライブビューの表示を開始する。このとき、カメラ制御部３２３は、カメラ９１を制御し、ズームアウトするように焦点距離を調整することで、利用者の全身が映る動画像が取り込まれるようにする。
【０４６１】
図６６は、全身撮影時のライブビュー表示画面の例を示す図である。
【０４６２】
図６６に示されるライブビュー表示画面の構成は、図６５に示されるライブビュー表示画面と同様であるが、図６６の例では、画像表示領域４３１にリアルタイムで表示される動画像に映る利用者自身である人物Ｈ３は、撮影前ガイダンスに従ったポーズをとっている。
【０４６３】
また、図６６のライブビュー表示画面において、画像表示領域４３１には、図６５のライブビュー表示画面に表示されていたものと同様の、水平線４３１Ａ’、水平線４３１Ｂ’、および垂直線４３１Ｃ’からなるガイドラインが利用者の動画に重ねて表示される。利用者は、立ち位置を前後左右に変えるなどして、垂直線４３１Ｃ’が中心を通るように顔および体の位置を合わせるとともに、水平線４３１Ａ’に頭の一番上の位置を合わせ、水平線４３１Ｂ’につま先を合わせることになる。
【０４６４】
その後、撮影前のカウントダウンが開始され、撮影タイミングになったとき、ステップＳ２２１において、カメラ制御部３２３は１回目の全身撮影を行う。カメラ制御部３２３は、１回目の全身撮影によって得られた静止画である全身画像を表示制御部３２２に出力するとともに、撮影画像記憶部３２４に出力し、記憶させる。
【０４６５】
ステップＳ２２２において、カメラ制御部３２３は、１回目の全身撮影によって得られた全身画像を表示する撮影結果確認画面をタッチパネルモニタ９２に表示させる。
【０４６６】
撮影結果確認画面が所定の時間だけ表示された後、ライブビューの表示が再開され、２回目の全身撮影の撮影タイミングになったとき、ステップＳ２２３において、カメラ制御部３２３は、２回目の全身撮影を行う。カメラ制御部３２３は、撮影によって得られた全身画像を表示制御部３２２に出力するとともに、撮影画像記憶部３２４に出力し、記憶させる。
【０４６７】
ステップＳ２２４において、表示制御部３２２は、２回目の全身撮影によって得られた全身画像を表示する撮影結果確認画面をタッチパネルモニタ９２に表示させる。
【０４６８】
その後、ステップＳ２２５において、通常コースの紹介画面がタッチパネルモニタ９２に表示され、ステップＳ２２６において、撮影を終えた利用者に対して、画像処理空間Ａ２−１または画像処理空間Ａ２−２への移動が案内される。
【０４６９】
なお、以上においては、あらかじめ設定されている撮影回数として、アップ撮影および全身撮影それぞれ２回として設定されているものとして説明したが、これらの撮影回数は任意に設定可能とされる。
【０４７０】
一方、ステップＳ２１２において、全身撮影を行う用途が選択されていないと判定された場合、すなわち、用途選択画面において、ボタン１０１１またはボタン１０１２が利用者によって操作されることによって、用途として、履歴書用または受験用が選択された場合、処理はステップＳ２２７に進み、図２１を参照して説明した証明写真コースにおける撮影処理が実行される。この撮影処理においては、４回のアップ撮影が行われ、４枚のアップ画像が得られる。
【０４７１】
［証明写真コースにおける調整処理］
次に、図６７のフローチャートを参照して、証明写真用画像の調整処理について説明する。以下においては、撮影処理において、用途としてオーディション用が選択されたものとして説明するが、他の用途が選択された場合であっても、同様の処理が実行される。
【０４７２】
なお、ステップＳ２４２乃至Ｓ２４６，Ｓ２４９乃至Ｓ２５２の処理は、図２６を参照して説明したステップＳ４２乃至Ｓ４６，Ｓ４９乃至Ｓ５２の処理と同様の処理である。
【０４７３】
すなわち、ステップＳ２４１において、画像処理管理部３０２の表示制御部３３２は、撮影処理によって得られた例えば２枚のアップ画像および２枚の全身画像を撮影画像記憶部３２４から読み出して取得し、アップ画像選択画面および全身画像選択画面をタブレット内蔵モニタ１３１に順次表示させる。アップ画像選択画面は、２枚のアップ画像の中から証明写真用画像とする１枚のアップ画像を選択するのに用いられる画面であり、全身画像選択画面は、２枚の全身画像の中から証明写真用画像とする１枚の全身画像を選択するのに用いられる画面である。
【０４７４】
図６８は、アップ画像選択画面の例を示す図である。
【０４７５】
アップ画像選択画面の構成は、図２７を参照して説明した画像選択画面の構成と基本的には同様であるが、図６８のアップ画像選択画面においては、２枚のアップ画像１０５１−１，１０５１−２が撮影順に並べて表示される。
【０４７６】
利用者は、タッチペン１３２Ａまたはタッチペン１３２Ｂで触れることによって好みのアップ画像を選択する。図６８の例においては、アップ画像１０５１−１，１０５１−２のうちのアップ画像１０５１−１が選択中とされており、アップ画像１０５１−１の枠がカーソルＣによって強調表示されている。
【０４７７】
アップ画像１０５１−１，１０５１−２の下には、証明写真用画像として用いるアップ画像を決定するときに操作されるOKボタン１０５２が表示される。
【０４７８】
図６９は、全身画像選択画面の例を示す図である。
【０４７９】
全身画像選択画面の構成もまた、図２７を参照して説明した画像選択画面の構成と基本的には同様であるが、図６９の全身画像選択画面においては、２枚の全身画像１０６１−１，１０６１−２が撮影順に並べて表示される。
【０４８０】
利用者は、タッチペン１３２Ａまたはタッチペン１３２Ｂで触れることによって好みの全身画像を選択する。図６９の例においては、全身画像１０６１−１，１０６１−２のうちの全身画像１０６１−１が選択中とされており、全身画像１０６１−１の枠がカーソルＣによって強調表示されている。
【０４８１】
全身画像１０６１−１，１０６１−２の下には、証明写真用画像として用いる全身画像を決定するときに操作されるOKボタン１０６２が表示される。
【０４８２】
なお、アップ撮影および全身撮影それぞれの撮影回数は任意に設定可能であるので、アップ画像選択画面および全身画像選択画面に表示されるアップ画像および全身画像の枚数も、撮影回数に応じて変化する。
【０４８３】
また、証明写真用画像とするアップ画像および全身画像の枚数も１枚に限られるものではなく、複数枚のアップ画像および全身画像を証明写真用画像として選択することができるようにしてもよい。
【０４８４】
その後、処理は進み、ステップＳ２４４においては、まず、アップ画像の調整画面がタブレット内蔵モニタ１３１に表示される。
【０４８５】
図７０は、アップ画像の調整画面の例を示す図である。
【０４８６】
調整画面の構成は、図３１を参照して説明した調整画面の構成と基本的には同様であるが、図７０の調整画面の調整画像表示領域５１１には、利用者（人物Ｈ３）が写る証明写真用画像（アップ画像）が表示される。調整画像表示領域５１１に表示される証明写真用画像は、アップ画像選択画面において２枚のアップ画像の中から選択された１枚のアップ画像である。
【０４８７】
そして、ステップＳ２４５乃至ステップ２４８においては、調整画面において、調整画像表示領域５１１の左側に設けられるボタン領域５１２、ボタン領域５１３、およびボタン領域５１４、調整画像表示領域５１１の右側に設けられるボタン領域５１５またはボタン領域５１６に表示される各種のボタンに対する利用者の操作に応じて、調整画像表示領域５１１の証明写真用画像が調整される。
【０４８８】
なお、ステップＳ２４７においては、用途に対応した背景の色が設定される。
【０４８９】
具体的には、調整画面のボタン領域５１４に表示されるカラー選択ボタンとして、撮影処理において選択された用途に対応した色のボタンのみが操作可能とされ、利用者によって選択された色が、アップ画像の背景の色とされる。図７０の例では、ボタン領域５１４に表示されるカラー選択ボタンとして、撮影処理において選択されたオーディション用に対応した色であるホワイト、ベージュ、およびピンクのカラー選択ボタンのみが選択可能とされている。
【０４９０】
また、ステップＳ２４８においては、用途に対応した写りの調整が行われる。
【０４９１】
具体的には、調整画面のボタン領域５１５に表示される、一発レタッチの機能を提供するモード選択ボタンとして、撮影処理において選択された用途に対応した写りの組み合わせのボタンのみが操作可能とされたり、ボタン領域５１６に表示される、こだわりレタッチの機能を提供する各ボタンとして、撮影処理において選択された用途に対応した写りのボタンのみが操作可能とされ、利用者によって選択された写りが、アップ画像に写る利用者の写りとされる。
【０４９２】
なお、ボタン領域５１６に表示される各ボタンが操作されることによって調整される、肌の明るさ、肌質、目の印象、および髪色のそれぞれの写りについて、撮影処理において選択された用途に対応した範囲のパラメータが設定されるようにしてもよい。
【０４９３】
アップ画像の調整が終了すると、全身画像の調整画面が表示され、アップ画像の調整と同様にして全身画像の調整が行われる。ただし、全身画像の調整画面においては、一発レタッチやこだわりレタッチの機能が提供されないようにしてもよい。
【０４９４】
また、全身画像の背景の色は、利用者の操作によらず、アップ画像の背景の色と同じ色が設定されるようにしてもよいし、選択された用途に対応した色であって、アップ画像の背景の色とは異なる色が設定されるようにしてもよい。
【０４９５】
以上のように、選択された用途に対応した背景の色や写りが設定されることにより、最終的に得られる証明写真用画像を、より用途に適したものとすることができる。
【０４９６】
なお、上述した写りは、調整処理における写りの設定に限らず、撮影空間Ａ１内の各ストロボの発光量や光の色味によっても変化する。そこで、撮影処理における撮影時に、撮影管理部３０１が、選択された用途に応じて各ストロボの発光を制御して、各ストロボの発光量や光の色味を変化させることで、写りが調整されるようにしてもよい。
【０４９７】
そして、調整処理によって得られた調整後のアップ画像および全身画像は、印刷管理部３０３によって実行される証明写真コースの印刷処理（図４１）によって、証明写真用画像としてシール紙に印刷される。
【０４９８】
［シール紙の例］
図７１は、上述したアップ画像および全身画像が証明写真用画像として印刷されたシール紙の例を示す図である。
【０４９９】
図７１に示されるシール紙のレイアウトは、図１０を参照して説明したシール紙のレイアウトと同様であるが、図７１に示されるシール紙において、２行３列のレイアウトで配置されている６枚の証明写真用画像のうち、上段の１行に配置されている３枚はいずれも同一のアップ画像とされ、下段の１行に配置されている３枚はいずれも同一の全身画像とされる。
【０５００】
以上においては、用途として、オーディション用が選択された場合の例について説明してきたが、用途として、お見合い用が選択された場合には、図７２に示されるシール紙のレイアウトで証明写真用画像が配置されるようにしてもよい。
【０５０１】
図７２Ａに示されるシール紙のサイズは、例えば略２Ｌ判（127mm×178mm）とされ、そのシール紙には、アップ画像と全身画像とを合成した画像が印刷されるようにする。これにより、利用者は、Ｌ判（89mm×127mm）のアップ画像の写真および全身画像の写真を、お見合い用の写真として得ることができる。なお、図７２Ａに示されるシール紙には、アップ画像と全身画像とが同じサイズで印刷されているが、この場合、全身画像においては被写体以外の領域が大きくなってしまう。そこで、図７２Ｂに示されるシール紙のように、全身画像の横幅を狭めることで、全身画像の見た目をバランスよくするようにしてもよい。
【０５０２】
以上のようにして、選択された用途によって、アップ画像に加えて全身画像が得られ、そのアップ画像と全身画像とが、証明写真用画像としてシール紙に印刷されるようになるので、オーディション用の証明写真やお見合い用の写真など、アップ画像の写真と全身画像の写真を所望する利用者に対して、用途に応じた証明写真を提供することが可能となる。
【０５０３】
なお、上述した説明では、証明写真の用途として、履歴書用、受験用、オーディション用、およびお見合い用のいずれかが選択されるものとしたが、履歴書用の証明写真にも、履歴書の提出先によっては、アップ画像と全身画像の両方が必要とされることがある。
【０５０４】
そこで、例えば、図６４に示される用途選択画面において、ボタン１０１１が操作された場合、すなわち、用途として履歴書用が選択された場合、表示制御部３２２が、証明写真の用途として履歴書の提出先を分類する業種を選択させるための業種選択画面をタッチパネルモニタ９２に表示させるようにしてもよい。
【０５０５】
図７３は、業種選択画面の例を示す図である。
【０５０６】
業種選択画面の上方には、「業種を選んでね」のメッセージが表示され、その下に、証明写真の提出先の業種が金融または公務員（「金融・公務員」）であるときに操作されるボタン１０９１、証明写真の提出先の業種が商社またはサービス業（「商社・サービス」）であるときに操作されるボタン１０９２、および、証明写真の提出先の業種（職種）が航空会社（キャビンアテンダント）またはテレビ局（アナウンサー）（「エアライン・アナウンサー」）であるときに操作されるボタン１０９３が表示される。
【０５０７】
ボタン１０９１乃至１０９３によって選択される業種のうち、金融・公務員および商社・サービスはアップ画像が必要とされ、エアライン・アナウンサーはアップ画像に加え、全身画像が必要とされるものとする。
【０５０８】
すなわち、ボタン１０９３が利用者によって操作され、業種として、エアライン・アナウンサーが選択された場合には、用途として、オーディション用またはお見合い用が選択された場合と同様の処理が行われる。
【０５０９】
この場合、選択された業種によって、アップ画像に加えて全身画像が得られ、そのアップ画像と全身画像とが、証明写真用画像としてシール紙に印刷されるようになるので、航空会社やテレビ局に提出する証明写真など、アップ画像の写真と全身画像の写真を所望する利用者に対して、業種に応じた証明写真を提供することが可能となる。
【０５１０】
以上においては、１人の利用者の用途に合った証明写真を提供する例について説明してきた。
【０５１１】
＜利用者の用途に合った証明写真の提供例２＞
ところで、従来の証明写真機は、１人の利用者を対象としたものであるので、複数人の友達同士が、例えば、証明写真の提出先に適した証明写真をそれぞれ得るには、一連の作業を１人ずつ行うしかなく、そのために発生する待ち時間を煩わしく思う人もいる。
【０５１２】
一方で、上述したように、写真シール作成装置１における撮影空間Ａ１は、複数人で入って撮影を行うことができるような広い空間である。
【０５１３】
そこで、以下においては、複数の利用者それぞれの用途に合った証明写真の提供を実現する処理について説明する。
【０５１４】
［証明写真コースにおける撮影処理］
まず、図７４のフローチャートを参照して、複数の利用者それぞれの用途に合った証明写真の提供を実現する証明写真コースにおける撮影処理について説明する。なお、以下においては、利用者は２人であるものとして説明する。
【０５１５】
ステップＳ２７１において、撮影管理部３０１の表示制御部３２２は、証明写真の用途を選択させるための用途選択画面をタッチパネルモニタ９２に表示させる。
【０５１６】
ここでは、図６４を参照して説明した用途選択画面や、図７３を参照して説明した業種選択画面が、利用者毎に表示される。例えば、１人目の利用者に対する業種選択画面が表示された後、２人目の利用者に対する業種選択画面が表示されるようにする。また、図７５に示されるように、２人の利用者それぞれに、並行して業種を選択させるための業種選択画面が表示されるようにしてもよい。
【０５１７】
図７５は、業種選択画面の例を示す図である。
【０５１８】
業種選択画面の上方には、「業種を選んでね」のメッセージが表示される。その左下には、タッチパネルモニタ９２に向かって左側の利用者に操作されるボタン１０９１Ｌ，１０９２Ｌ，１０９３Ｌが表示され、その右下には、タッチパネルモニタ９２に向かって右側の利用者に操作されるボタン１０９１Ｒ，１０９２Ｒ，１０９３Ｒが表示される。
【０５１９】
なお、ボタン１０９１Ｌ，１０９１Ｒは、図７３の業種選択画面におけるボタン１０９１と、ボタン１０９２Ｌ，１０９２Ｒは、図７３の業種選択画面におけるボタン１０９２と、ボタン１０９３Ｌ，１０９３Ｒは、図７３の業種選択画面におけるボタン１０９３と、それぞれ同様の機能を有する。
【０５２０】
このようにして、２人の利用者は、それぞれが所望する業種を選択することができる。
【０５２１】
ステップＳ２７２において、ガイダンス出力制御部３２１は、１人目の利用者に対する撮影前ガイダンスを出力する。
【０５２２】
ここでは、図２２を参照して説明した撮影前ガイダンス画面がタッチパネルモニタ９２に表示される。なお、ステップＳ２７１において選択された用途によっては、モデルとなる人物がカメラ９１に対して顔を正面に向いたまま体を斜めにしている動画像が表示されたり、そのような姿勢をとることを促すガイダンスが音声としてスピーカ２２４から出力される。
【０５２３】
その後、ステップＳ２７３において、表示制御部３２２は、ライブビューの表示を開始する。
【０５２４】
ここでは、図２３を参照して説明したライブビュー表示画面がタッチパネルモニタ９２に表示される。なお、このとき、２人目の利用者は、撮影空間Ａ１において、ライブビューに映らない箇所に待機するものとする。
【０５２５】
その後、撮影前のカウントダウンが開始され、撮影タイミングになったとき、ステップＳ２７４において、カメラ制御部３２３は１回目の１人目の撮影を行う。カメラ制御部３２３は、１回目の１人目の撮影によって得られた静止画である撮影画像を表示制御部３２２に出力するとともに、撮影画像記憶部３２４に出力し、記憶させる。
【０５２６】
ステップＳ２７５において、カメラ制御部３２３は、１回目の１人目の撮影によって得られた撮影画像を表示する撮影結果確認画面をタッチパネルモニタ９２に表示させる。
【０５２７】
撮影結果確認画面が所定の時間だけ表示された後、ライブビューの表示が再開され、２回目の１人目の撮影の撮影タイミングになったとき、ステップＳ２７６において、カメラ制御部３２３は、２回目の１人目の撮影を行う。カメラ制御部３２３は、撮影によって得られた撮影画像を表示制御部３２２に出力するとともに、撮影画像記憶部３２４に出力し、記憶させる。
【０５２８】
ステップＳ２７７において、表示制御部３２２は、２回目の１人目の撮影によって得られた撮影画像を表示する撮影結果確認画面をタッチパネルモニタ９２に表示させる。
【０５２９】
このようにして、２回の１人目の撮影を終えると、処理はステップＳ２７８に進み、ガイダンス出力制御部３２１は、２人目の利用者に対する撮影前ガイダンスを出力する。
【０５３０】
ここでは、ステップＳ２７２と同様にして撮影前ガイダンス画面がタッチパネルモニタ９２に表示される。
【０５３１】
その後、ステップＳ２７９において、表示制御部３２２は、ライブビューの表示を開始する。
【０５３２】
ここでは、ステップＳ２７５と同様にしてライブビュー表示画面がタッチパネルモニタ９２に表示される。なお、このとき、１人目の利用者は、撮影空間Ａ１において、ライブビューに映らない箇所に待機するものとする。
【０５３３】
その後、撮影前のカウントダウンが開始され、撮影タイミングになったとき、ステップＳ２８０において、カメラ制御部３２３は１回目の２人目の撮影を行う。カメラ制御部３２３は、１回目の２人目の撮影によって得られた静止画である撮影画像を表示制御部３２２に出力するとともに、撮影画像記憶部３２４に出力し、記憶させる。
【０５３４】
ステップＳ２８１において、カメラ制御部３２３は、１回目の２人目の撮影によって得られた撮影画像を表示する撮影結果確認画面をタッチパネルモニタ９２に表示させる。
【０５３５】
撮影結果確認画面が所定の時間だけ表示された後、ライブビューの表示が再開され、２回目の２人目の撮影の撮影タイミングになったとき、ステップＳ２８２において、カメラ制御部３２３は、２回目の２人目の撮影を行う。カメラ制御部３２３は、撮影によって得られた撮影画像を表示制御部３２２に出力するとともに、撮影画像記憶部３２４に出力し、記憶させる。
【０５３６】
ステップＳ２８３において、表示制御部３２２は、２回目の２人目の撮影によって得られた撮影画像を表示する撮影結果確認画面をタッチパネルモニタ９２に表示させる。
【０５３７】
その後、ステップＳ２８４において、通常コースの紹介画面がタッチパネルモニタ９２に表示され、ステップＳ２８５において、撮影を終えた利用者に対して、画像処理空間Ａ２−１または画像処理空間Ａ２−２への移動が案内される。
【０５３８】
なお、以上においては、あらかじめ設定されている撮影回数として、１人目の撮影および２人目の撮影それぞれ２回として設定されているものとして説明したが、これらの撮影回数は任意に設定可能とされる。
【０５３９】
また、以上においては、利用者の人数は２人であるものとしたが、３人以上であってもよい。この場合、利用者の人数に応じて撮影回数が設定されるものとする。
【０５４０】
なお、上述した撮影処理においても、撮影時に、撮影管理部３０１が、選択された用途に応じて各ストロボの発光を制御して、各ストロボの発光量や光の色味を変化させることで、写りが調整されるようにしてもよい。
【０５４１】
さらに、上述した撮影処理においては、２人の利用者がそれぞれ１人ずつ撮影を行うことで、利用者毎の撮影画像を取得するようにしたが、図９２，９３を参照して後述するように、撮影管理部３０１が、複数（例えば２人）の利用者全体を被写体とした撮影を行い、複数の利用者全体が写る画像から、利用者それぞれの領域を切り出すことで、利用者毎の撮影画像を取得するようにしてもよい。
【０５４２】
これにより、利用者毎に撮影を行うことなく、１回の撮影で利用者それぞれの撮影画像が得られるようになるので、撮影作業にかかる時間を短縮することができる。
【０５４３】
［証明写真コースにおける調整処理］
次に、証明写真用画像の調整処理について説明する。なお、この場合の調整処理は、基本的には、図６７を参照して説明したものと同様にして行われる。
【０５４４】
ただし、ステップＳ２４１においては、１人目の画像選択画面および２人目の画像選択画面がタブレット内蔵モニタ１３１に順次表示される。
【０５４５】
図７６は、１人目の画像選択画面の例を示す図である。
【０５４６】
１人目の画像選択画面の構成は、図２７を参照して説明した画像選択画面の構成と基本的には同様であるが、図７６の画像選択画面においては、２枚の１人目の撮影画像１１１１−１，１１１１−２が撮影順に並べて表示される。
【０５４７】
１人目の利用者は、タッチペン１３２Ａまたはタッチペン１３２Ｂで触れることによって好みの撮影画像を選択する。図７６の例においては、撮影画像１１１１−１，１１１１−２のうちの撮影画像１１１１−１が選択中とされており、撮影画像１１１１−１の枠がカーソルＣによって強調表示されている。
【０５４８】
撮影画像１１１１−１，１１１１−２の下には、１人目の利用者の証明写真用画像として用いるアップ画像を決定するときに操作されるOKボタン１１１２が表示される。
【０５４９】
図７７は、２人目の画像選択画面の例を示す図である。
【０５５０】
２人目の画像選択画面の構成もまた、図２７を参照して説明した画像選択画面の構成と基本的には同様であるが、図７７の画像選択画面においては、２枚の２人目の撮影画像１１２１−１，１１２１−２が撮影順に並べて表示される。
【０５５１】
２人目の利用者は、タッチペン１３２Ａまたはタッチペン１３２Ｂで触れることによって好みの撮影画像を選択する。図７７の例においては、撮影画像１１２１−１，１１２１−２のうちの撮影画像１１２１−１が選択中とされており、撮影画像１１２１−１の枠がカーソルＣによって強調表示されている。
【０５５２】
撮影画像１１２１−１，１１２１−２の下には、２人目の利用者の証明写真用画像として用いる撮影画像を決定するときに操作されるOKボタン１１２２が表示される。
【０５５３】
なお、１人目の撮影および２人目の撮影それぞれの撮影回数は任意に設定可能であるので、１人目の画像選択画面および２人目の画像選択画面に表示される撮影画像の枚数も、撮影回数に応じて変化する。
【０５５４】
また、証明写真用画像とする撮影画像の枚数も１枚に限られるものではなく、複数枚の撮影画像を証明写真用画像として選択することができるようにしてもよい。
【０５５５】
さらに、上述したように、１人目の画像選択画面が表示された後、２人目の画像選択画面が表示される以外にも、図７８に示されるように、２人の利用者それぞれに、並行して画像を選択させるための画像選択画面が表示されるようにしてもよい。
【０５５６】
また、ステップＳ２４４においては、利用者それぞれに撮影画像に対する調整を施す操作を、利用者それぞれに並行して行われるための調整画面がタブレット内蔵モニタ１３１に表示される。
【０５５７】
図７９は、撮影画像の調整画面の例を示す図である。
【０５５８】
図７９に示される調整画面は、主な構成が左右対称に設けられることによって構成される。左半分の領域は、タブレット内蔵モニタ１３１に向かって左側にいる利用者（例えば１人目の利用者）により用いられる領域であり、右半分の領域は、タブレット内蔵モニタ１３１に向かって右側にいる利用者（例えば２人目の利用者）により用いられる領域である。
【０５５９】
また、調整画面の左右それぞれの領域の構成は、図３１を参照して説明した調整画面の構成と基本的には同様であり、左側の領域において、図３１の調整画面の各構成に対応する構成には、図３１の調整画面の各構成を表す符号の後にＬを付し、右側の領域において、図３１の調整画面の各構成に対応する構成には、図３１の調整画面の各構成を表す符号の後にＲを付している。
【０５６０】
すなわち、図７９の調整画面の調整画像表示領域５１１Ｌには、１人目の利用者（人物Ｈ４）が写る証明写真用画像が表示され、調整画像表示領域５１１Ｒには、２人目の利用者（人物Ｈ５）が写る証明写真用画像が表示される。
【０５６１】
そして、調整画面において、調整画像表示領域５１１Ｌの左側に設けられるボタン領域５１２Ｌ、ボタン領域５１３Ｌ、およびボタン領域５１４Ｌ、ボタン領域５１５Ｌまたはボタン領域５１６Ｌに表示される各種のボタンに対する１人目の利用者の操作に応じて、調整画像表示領域５１１Ｌの証明写真用画像が調整される。同様に、調整画像表示領域５１１Ｒの左側に設けられるボタン領域５１２Ｒ、ボタン領域５１３Ｒ、およびボタン領域５１４Ｒ、ボタン領域５１５Ｒまたはボタン領域５１６Ｒに表示される各種のボタンに対する２人目の利用者の操作に応じて、調整画像表示領域５１１Ｒの証明写真用画像が調整される。このような構成の調整画面により、２人の利用者は、それぞれの証明写真用画像に対して、同時に調整を施すことができる。
【０５６２】
なお、図７９の例では、ボタン領域５１６Ｌ，５１６Ｒに、図３１の調整画面のボタン領域５１６に表示される各ボタンが表示されていないが、ボタン領域５１６Ｌ，５１６Ｒがタッチペン１３２Ａ，１３２Ｂによってタッチされることで、ボタン領域５１６Ｌ，５１６Ｒが拡大し、各ボタンが表示されるようになるものとする。
【０５６３】
そして、ここでは、利用者それぞれに選択された用途に対応した背景の色が、利用者それぞれの証明写真用画像の背景に設定される。
【０５６４】
具体的には、調整画面のボタン領域５１４Ｌに表示されるカラー選択ボタンとして、撮影処理において１人目の利用者に選択された用途に対応した色のボタンのみが操作可能とされ、１人目の利用者によって選択された色が、１人目の撮影画像の背景の色とされる。
【０５６５】
同様に、調整画面のボタン領域５１４Ｒに表示されるカラー選択ボタンとして、撮影処理において２人目の利用者に選択された用途に対応した色のボタンのみが操作可能とされ、２人目の利用者によって選択された色が、２人目の撮影画像の背景の色とされる。
【０５６６】
また、ここでは、利用者それぞれに選択された用途に対応した写りの調整が、利用者それぞれの証明写真用画像に対して行われる。
【０５６７】
具体的には、調整画面のボタン領域５１５Ｌに表示される、一発レタッチの機能を提供するモード選択ボタンとして、撮影処理において１人目の利用者に選択された用途に対応した写りの組み合わせのボタンのみが操作可能とされたり、ボタン領域５１６Ｌに表示される、こだわりレタッチの機能を提供する各ボタンとして、撮影処理において１人目の利用者に選択された用途に対応した写りのボタンのみが操作可能とされ、１人目の利用者によって選択された写りが、１人目の撮影画像に写る利用者の写りとされる。
【０５６８】
同様に、調整画面のボタン領域５１５Ｒに表示される、一発レタッチの機能を提供するモード選択ボタンとして、撮影処理において２人目の利用者に選択された用途に対応した写りの組み合わせのボタンのみが操作可能とされたり、ボタン領域５１６Ｒに表示される、こだわりレタッチの機能を提供する各ボタンとして、撮影処理において２人目の利用者に選択された用途に対応した写りのボタンのみが操作可能とされ、２人目の利用者によって選択された写りが、２人目の撮影画像に写る利用者の写りとされる。
【０５６９】
なお、ボタン領域５１６Ｌ，５１６Ｒに表示される各ボタンが操作されることによって調整される、肌の明るさ、肌質、目の印象、および髪色のそれぞれの写りについて、撮影処理において選択された用途に対応した範囲のパラメータが設定されるようにしてもよい。
【０５７０】
以上のように、利用者それぞれに選択された用途に対応した背景の色や写りが、利用者それぞれの撮影画像に対して設定されることにより、最終的に得られる利用者それぞれの証明写真用画像を、より用途に適したものとすることができる。
【０５７１】
そして、調整処理によって得られた調整後の２人の撮影画像は、印刷管理部３０３によって実行される証明写真コースの印刷処理（図４１）によって、証明写真用画像としてシール紙に印刷される。
【０５７２】
［シール紙の例］
図８０は、上述した２人の撮影画像が証明写真用画像として印刷されたシール紙の例を示す図である。
【０５７３】
図８０に示されるシール紙は、シール紙を上下に分けた領域それぞれに、２人の利用者それぞれの証明写真用画像が３枚ずつ横１列に配置されて印刷されたシール紙である。
【０５７４】
シール紙の上半分の領域には、１人目の利用者の３枚の証明写真用画像が印刷され、その左下には領収証が、その右下には注意書きなどが印刷される。また、シール紙の下半分の領域には、２人目の利用者の３枚の証明写真用画像が印刷され、その左下には領収証が、その右下には注意書きなどが印刷される。それぞれの領域の領収証に印刷されている金額は、人数（２人）で按分された金額となっている。なお、証明写真用画像のサイズは、いずれも履歴書用（３cm×４cm）のサイズとされる。
【０５７５】
２人の利用者は、シール紙を上下に分けるミシン目や破線に沿ってシール紙を切り分けることで、それぞれ３枚ずつの証明写真を得ることができる。
【０５７６】
なお、図８０の例では、証明写真用画像のサイズが３cm×４cmであるものとしたが、証明写真用画像のサイズは、その用途や提出先の業種によって異なる。そこで、利用者毎の証明写真用画像が、図８１に示されるように、利用者それぞれに選択された用途や業種に応じたサイズで、シール紙に印刷されるようにしてもよい。
【０５７７】
例えば、図８１に示されるシール紙においては、１人目の利用者の証明写真用画像が、１人目の利用者に選択された業種に応じて３cm×４cmのサイズで印刷され、２人目の利用者の証明写真用画像が、２人目の利用者に選択された業種に応じて３cm×３cmのサイズで印刷されている。
【０５７８】
このように、利用者毎の証明写真用画像が、それぞれの利用者に選択された用途や業種に応じたサイズでシール紙に印刷されるので、利用者は、シール紙に印刷された証明写真用画像をはさみなどで切り取る際、そのサイズを測ることなく切り取ることができる。
【０５７９】
以上のようにして、複数の利用者それぞれに選択された用途に応じて、利用者それぞれの撮影画像が調整され、調整された利用者それぞれの撮影画像が、証明写真用画像としてシール紙に印刷されるようになるので、待ち時間の煩わしさを与えることなく、複数の利用者に対してそれぞれが所望する証明写真を簡単に提供することが可能となる。
【０５８０】
なお、上述した説明では、証明写真の用途や履歴書の提出先の業種は、１人の利用者について１つのみ選択されるものとしたが、利用者によっては、例えば、履歴書の提出先として複数の業種を選択したい場合がある。
【０５８１】
そこで、上述した用途選択画面（図６４）や業種選択画面（図７３、図７５）において、１人の利用者に複数の用途や業種を選択させるようにしてもよい。
【０５８２】
例えば、用途選択画面（図６４）において１人の利用者が選択可能な用途の数を２つとし、１人目の利用者により、用途として「受験用」および「履歴書用」が選択され、２人目の利用者により、用途として「お見合い用」および「受験用」が選択されたとする。
【０５８３】
この場合、調整処理においては、利用者毎の画像選択画面（図７６、図７７）において選択された１枚の撮影画像に対して、選択された２つの用途に応じた２種類の調整が施された２つの証明写真用画像が、利用者毎に生成される。
【０５８４】
図８２は、選択された用途のうち、１つ目の用途に応じた調整を施すときの調整画面の例を示している。調整画像表示領域５１１Ｌ，５１１Ｒに表示される２人の利用者それぞれの撮影画像の左上には、調整順を示す数字が付されている。
【０５８５】
まず、タブレット内蔵モニタ１３１に向かって左側の利用者（１人目の利用者）によって、調整画面のボタン領域５１４Ｌに表示されるカラー選択ボタン、および、調整画面のボタン領域５１５Ｌまたはボタン領域５１６Ｌが操作されることで、１人目の利用者によって１つ目に選択された用途「受験用」に対応した背景の色および写りが設定された、１人目の利用者の撮影画像が生成される。
【０５８６】
同様に、タブレット内蔵モニタ１３１に向かって右側の利用者（２人目の利用者）によって、調整画面のボタン領域５１４Ｒに表示されるカラー選択ボタン、および、調整画面のボタン領域５１５Ｒまたはボタン領域５１６Ｒが操作されることで、２人目の利用者によって１つ目に選択された用途「お見合い用」に対応した背景の色および写りが設定された、２人目の利用者の撮影画像が生成される。
【０５８７】
２人の利用者による１つ目の用途に応じた調整が終わると、図８３に示される、選択された用途のうち、２つ目の用途に応じた調整を施すときの調整画面が表示される。
【０５８８】
図８３の調整画面においては、タブレット内蔵モニタ１３１に向かって左側の利用者（１人目の利用者）によって、調整画面のボタン領域５１４Ｌに表示されるカラー選択ボタン、および、調整画面のボタン領域５１５Ｌまたはボタン領域５１６Ｌが操作されることで、１人目の利用者によって２つ目に選択された用途「履歴書用」に対応した背景の色および写りが設定された、１人目の利用者の撮影画像が生成される。
【０５８９】
同様に、タブレット内蔵モニタ１３１に向かって右側の利用者（２人目の利用者）によって、調整画面のボタン領域５１４Ｒに表示されるカラー選択ボタン、および、調整画面のボタン領域５１５Ｒまたはボタン領域５１６Ｒが操作されることで、２人目の利用者によって２つ目に選択された用途「受験用」に対応した背景の色および写りが設定された、２人目の利用者の撮影画像が生成される。
【０５９０】
このようにして、１人の利用者について、２つの用途に応じて２種類の調整が施された２種類の撮影画像が得られる。
【０５９１】
図８４は、上述した２人の利用者毎の２種類の撮影画像が証明写真用画像として印刷されたシール紙の例を示す図である。
【０５９２】
図８４の例では、シール紙の上半分の領域に印刷される１人目の利用者の３枚の証明写真用画像のうち、左から１枚目と２枚目が、用途「受験用」に応じたサイズでトリミングされて印刷され、右の１枚目が、用途「履歴書用」に応じたサイズでトリミングされて印刷されている。
【０５９３】
同様に、シール紙の下半分の領域に印刷される２人目の利用者の３枚の証明写真用画像のうち、左から１枚目と２枚目が、用途「お見合い用」に応じたサイズでトリミングされて印刷され、右の１枚目が、用途「受験用」に応じたサイズでトリミングされて印刷されている。
【０５９４】
このように、利用者毎の証明写真用画像が、それぞれの利用者に選択された複数の用途や業種に応じたサイズでトリミングされてシール紙に印刷されるので、利用者に、用途毎や業種毎に撮影や調整といった一連の作業を繰り返し行わせることなく、より簡単に、用途や業種に応じた証明写真を提供することが可能となる。
【０５９５】
なお、シール紙に印刷される証明写真用画像それぞれにおける背景の色は、利用者に選択された用途や業種それぞれに対応した色とされるが、これらの証明写真用画像における背景の色に合わせた地色のシール紙が選択されて印刷されるようにしてもよいし、シール紙において証明写真用画像以外の領域に、切り取りサイズの目安となる目盛りが印刷される場合には、証明写真用画像における背景の色に合わせた色の目盛りが印刷されるようにしてもよい。
【０５９６】
以上においては、シール紙に印刷される証明写真用画像のサイズは、それぞれの利用者に選択された用途や業種に応じたサイズとされるようにしたが、例えば、調整処理において、証明写真用画像のサイズを選択させるサイズ選択画面を表示するようにし、利用者に、所望する証明写真用画像のサイズを選択させるようにしてもよい。
【０５９７】
さらに、撮影処理において撮影が行われる前、例えば、用途や業種を選択させた後に、選択された用途や業種に適応した証明写真用画像のサイズが配置されたレイアウトを、利用者に選択させるようにしてもよい。
【０５９８】
なお、上述した処理では、撮影処理において、証明写真の用途や履歴書の提出先の業種を利用者に選択させることで、選択された用途や業種に対応した調整が、利用者の撮影画像に対して行われるものとしたが、調整画面において、用途や業種に対応する一発レタッチの機能を複数提示して、その中のいずれかを利用者に選択させるようにしてもよい。
【０５９９】
例えば、図８５に示されるように、一発レタッチの機能を提供するボタン領域５１５Ｌ，５１５Ｒに表示されるモード選択ボタンとして、それぞれ、「金融・公務員」、「商社・サービス」、「エアライン・アナウンサー」の業種が名称として設定されたモードで写りを一括して調整するためのボタンを設けるようにする。
【０６００】
ここで、「金融・公務員」のモードは、金融・公務員に対応した写りを設定するモードであり、「商社・サービス」のモードは、商社・サービスに対応した写りを設定するモードであり、「エアライン・アナウンサー」のモードは、エアライン・アナウンサーに対応した写りを設定するモードである。
【０６０１】
このような構成により、利用者は、所望の業種の名称のモード選択ボタンを選択するという直感的な操作で、利用者の撮影画像の写りを、その業種に対応した写りに調整することができる。
【０６０２】
以上においては、一括レタッチにより、選択された用途や業種に対応した写りとして、利用者の肌の明るさ、肌質、目の印象、および髪色が調整されるものとしたが、これらに加えて、選択された用途や業種に対応して、顔の表情（口の開き具合や口角の上がり具合など）や目鼻立ちの整い具合、歯の白さ、髪型などが調整されるようにしてもよい。また、これらと並行して、顔にできたにきびや、利用者が男性である場合にはひげを目立たなくする処理が行われるようにしてももちろんよい。
【０６０３】
さらには、一括レタッチにより、選択された用途や業種に応じて、利用者が着用している衣服が変更されるようにしてもよい。この場合、あらかじめ用意されている、各種の用途や業種に対応した衣服の合成用画像をあらかじめ用意し、選択された用途や業種に対応する衣服の合成用画像を、撮影画像に合成させるようにする。
【０６０４】
これにより、急遽、証明写真が必要になった場合でも、利用者は、着用している衣服を気にすることなく、証明写真の撮影を行うことができる。
【０６０５】
また、利用者の肌の明るさ、肌質、目の印象、および髪色は、利用者によってもともと個人差があるため、一様な一括レタッチの機能では、写りの調整が足りなかったり、過ぎたりするおそれがある。
【０６０６】
そこで、顔認識により、肌や髪の色、顔のパーツの配置などを分析し、その結果に基づいて、一括レタッチの機能により調整される写りが設定されるようにしてもよい。例えば、利用者の髪色が極端に明るい場合には、髪色を暗くする度合いを強めに設定するようにしたり、利用者の目鼻立ちがはっきりしていない場合には、目鼻立ちの整い具合を強めに設定するようにする。これにより、利用者は、肌や髪、顔の個人差を気にすることなく、一括レタッチの機能により簡単に写りを調整することができる。
【０６０７】
さらに、利用者が眼鏡を着用している場合には、撮影空間Ａ１内の各ストロボの光が、眼鏡のレンズに反射して写り込むおそれがある。そこで、調整処理において、上述したレタッチの機能に加えて、眼鏡のレンズでの光の反射を補正する機能を備えるようにしてもよい。
【０６０８】
例えば、顔認識により認識された目の近傍の領域の明るさが所定の明るさより強い場合に、その領域の明るさを、周囲の領域の明るさと同等になるように色調補正を行うようにする。これにより、証明写真用画像における眼鏡のレンズでの光の写り込みを低減することができるようになる。
【０６０９】
＜利用者の用途に合った証明写真の提供例３＞
ところで、証明写真の用途がオーディション用である場合、このような写真を必要とする利用者の中には、２人組や３人組などのグループもいるが、街中にあるフォトスタジオなどでは、グループ全体の写真と、グループのメンバー１人ずつの個別の写真とを撮影することができる。
【０６１０】
しかしながら、従来の証明写真機は、１人の利用者を対象としたものであるので、このような利用者が証明写真機でオーディション写真を撮影しようとした場合、一連の作業を１人ずつ行うことで個別の写真は得られるものの、グループ全体の写真を得ることはできなかった。
【０６１１】
そこで、以下においては、複数人のグループに対して、全体の証明写真と個別の証明写真とを一括して提供する処理について説明する。
【０６１２】
［証明写真コースにおける撮影処理］
まず、図８６のフローチャートを参照して、証明写真コースにおける撮影処理について説明する。なお、以下においては、利用者は２人であるものとして説明する。
【０６１３】
ステップＳ３１１において、撮影管理部３０１の表示制御部３２２は、証明写真の用途を選択させるための用途選択画面をタッチパネルモニタ９２に表示させる。
【０６１４】
ここでは、図６４を参照して説明した用途選択画面が表示されるものとする。すなわち、利用者が複数人であっても、１つの用途のみが選択されるようになる。
【０６１５】
なお、図６４の用途選択画面において、ボタン１０１１乃至１０１４によって選択される用途のうち、履歴書用、受験用、およびお見合い用は、複数の利用者それぞれが写る証明写真が必要とされ、オーディション用は、複数の利用者それぞれが写る証明写真に加え、複数の利用者全員が写る証明写真が必要とされるものとする。
【０６１６】
ここで、以下、複数の利用者それぞれが写る撮影画像を個別画像といい、複数の利用者全員が写る撮影画像を全体画像ということとする。また、個別画像を得るために、複数の利用者それぞれを撮影することを個別撮影といい、全体写真を得るために、複数の利用者全体を撮影することを全体撮影ということとする。
【０６１７】
ステップＳ３１２において、撮影管理部３０１は、利用者の用途選択画面に対する操作によって、全体撮影を行う用途が選択されたか否かを判定する。
【０６１８】
ステップＳ３１２において、全体撮影を行う用途が選択されたと判定された場合、すなわち、用途選択画面において、ボタン１０１３が利用者によって操作されることによって、用途として、オーディション用が選択された場合、処理はステップＳ３１３に進み、ガイダンス出力制御部３２１は、個別撮影の撮影前ガイダンスを出力する。
【０６１９】
ここでは、図２２を参照して説明した撮影前ガイダンス画面と同様に、モデルとなる１人の人物の上半身が映る動画像が表示される撮影前ガイダンスがタッチパネルモニタ９２に表示される。
【０６２０】
その後、ステップＳ３１４において、表示制御部３２２は、ライブビューの表示を開始する。
【０６２１】
ここでは、図２３を参照して説明したライブビュー表示画面がタッチパネルモニタ９２に表示される。
【０６２２】
その後、撮影前のカウントダウンが開始され、撮影タイミングになったとき、ステップＳ３１５において、カメラ制御部３２３は１人目の個別撮影を行う。カメラ制御部３２３は、１人目の個別撮影によって得られた静止画である個別画像を表示制御部３２２に出力するとともに、撮影画像記憶部３２４に出力し、記憶させる。
【０６２３】
ステップＳ３１６において、カメラ制御部３２３は、１人目の個別撮影によって得られた個別画像を表示する撮影結果確認画面をタッチパネルモニタ９２に表示させる。
【０６２４】
撮影結果確認画面が所定の時間だけ表示された後、ライブビューの表示が再開され、２人目の個別撮影の撮影タイミングになったとき、ステップＳ３１７において、カメラ制御部３２３は、２人目の個別撮影を行う。カメラ制御部３２３は、撮影によって得られた個別画像を表示制御部３２２に出力するとともに、撮影画像記憶部３２４に出力し、記憶させる。
【０６２５】
ステップＳ３１８において、表示制御部３２２は、２人目の個別撮影によって得られた個別画像を表示する撮影結果確認画面をタッチパネルモニタ９２に表示させる。
【０６２６】
このようにして、２人分の個別撮影を終えると、処理はステップＳ３１９に進み、ガイダンス出力制御部３２１は、全体撮影の撮影前ガイダンスを出力する。
【０６２７】
ここでは、モデルとなる２人の人物の上半身が映る動画像が表示される撮影前ガイダンスがタッチパネルモニタ９２に表示される。
【０６２８】
その後、ステップＳ３２０において、表示制御部３２０は、ライブビューの表示を開始する。
【０６２９】
図８７は、全体撮影時のライブビュー表示画面の例を示す図である。
【０６３０】
図８７に示されるライブビュー表示画面の構成は、上述したライブビュー表示画面と同様であるが、図８７の例では、画像表示領域４３１にリアルタイムで表示される動画像に映る２人の利用者である人物Ｈ６，Ｈ７は、撮影前ガイダンスに従ったポーズをとっている。
【０６３１】
その後、撮影前のカウントダウンが開始され、撮影タイミングになったとき、ステップＳ３２１において、カメラ制御部３２３は１回目の全体撮影を行う。カメラ制御部３２３は、１回目の全体撮影によって得られた静止画である全体画像を表示制御部３２２に出力するとともに、撮影画像記憶部３２４に出力し、記憶させる。
【０６３２】
ステップＳ３２２において、カメラ制御部３２３は、１回目の全体撮影によって得られた全体画像を表示する撮影結果確認画面をタッチパネルモニタ９２に表示させる。
【０６３３】
撮影結果確認画面が所定の時間だけ表示された後、ライブビューの表示が再開され、２回目の全体撮影の撮影タイミングになったとき、ステップＳ３２３において、カメラ制御部３２３は、２回目の全体撮影を行う。カメラ制御部３２３は、撮影によって得られた全体画像を表示制御部３２２に出力するとともに、撮影画像記憶部３２４に出力し、記憶させる。
【０６３４】
ステップＳ３２４において、表示制御部３２２は、２回目の全体撮影によって得られた全体画像を表示する撮影結果確認画面をタッチパネルモニタ９２に表示させる。
【０６３５】
その後、ステップＳ３２５において、通常コースの紹介画面がタッチパネルモニタ９２に表示され、ステップＳ３２６において、撮影を終えた利用者に対して、画像処理空間Ａ２−１または画像処理空間Ａ２−２への移動が案内される。
【０６３６】
なお、以上においては、あらかじめ設定されている撮影回数として、１人目の個別撮影および２人目の個別撮影それぞれ１回、全体撮影２回として設定されているものとして説明したが、これらの撮影回数は任意に設定可能とされる。
【０６３７】
また、以上においては、利用者の人数は２人であるものとしたが、３人以上であってもよい。この場合、利用者の人数に応じて撮影回数が設定されるものとする。
【０６３８】
一方、ステップＳ３１２において、全体撮影を行う用途が選択されていないと判定された場合、処理はステップＳ３２７に進み、図７４を参照して説明した証明写真コースにおける撮影処理のステップＳ２７２以降の処理が実行される。この撮影処理においては、複数の利用者それぞれを被写体とした個別撮影が行われ、複数の利用者それぞれの個別画像が得られる。
【０６３９】
なお、上述した撮影処理においても、撮影時に、撮影管理部３０１が、選択された用途に応じて各ストロボの発光を制御して、各ストロボの発光量や光の色味を変化させることで、写りが調整されるようにしてもよい。
【０６４０】
［証明写真コースにおける調整処理］
次に、証明写真用画像の調整処理について説明する。以下においては、撮影処理において、用途としてオーディション用が選択されたものとして説明する。なお、この場合の調整処理も、基本的には、図６７を参照して説明したものと同様にして行われる。
【０６４１】
ただし、ステップＳ２４１においては、個別画像の画像選択画面は表示されず、全体画像の画像選択画面がタブレット内蔵モニタ１３１に表示される。
【０６４２】
図８８は、全体画像の画像選択画面の例を示す図である。
【０６４３】
画像選択画面の構成は、図２７を参照して説明した画像選択画面の構成と基本的には同様であるが、図８８の画像選択画面においては、２枚の全体画像１１５１−１，１１５１−２が撮影順に並べて表示される。
【０６４４】
利用者は、タッチペン１３２Ａまたはタッチペン１３２Ｂで触れることによって好みの撮影画像を選択する。図８８の例においては、全体画像１１５１−１，１１５１−２のうちの全体画像１１５１−１が選択中とされており、全体画像１１５１−１の枠がカーソルＣによって強調表示されている。
【０６４５】
全体画像１１５１−１，１１５１−２の下には、利用者の証明写真用画像として用いる全体画像を決定するときに操作されるOKボタン１１５２が表示される。
【０６４６】
なお、個別撮影および全体撮影それぞれの撮影回数は任意に設定可能であるので、個別画像の画像選択画面を表示させるようにしてもよく、その画像選択画面に表示される個別画像の枚数や、全体画像の画像選択画面に表示される全体画像の枚数も、撮影回数に応じて変化する。
【０６４７】
また、証明写真用画像とする個別画像および全体画像の枚数も１枚に限られるものではなく、複数枚の個別画像および全体画像を証明写真用画像として選択することができるようにしてもよい。
【０６４８】
また、ステップＳ２４４においては、まず、個別画像の調整画面がタブレット内蔵モニタ１３１に表示される。
【０６４９】
図８９は、個別画像の調整画面の例を示す図である。
【０６５０】
図８９に示される調整画面は、主な構成が左右対称に設けられることによって構成される。左半分の領域は、タブレット内蔵モニタ１３１に向かって左側にいる利用者（１人目の利用者）により用いられる領域であり、右半分の領域は、タブレット内蔵モニタ１３１に向かって右側にいる利用者（２人目の利用者）により用いられる領域である。
【０６５１】
また、調整画面の左右それぞれの領域の構成は、図７９を参照して説明した調整画面の構成と基本的には同様である。
【０６５２】
すなわち、図８９の調整画面の調整画像表示領域５１１Ｌには、１人目の利用者（人物Ｈ６）が写る個別画像が証明写真用画像として表示され、調整画像表示領域５１１Ｒには、２人目の利用者（人物Ｈ７）が写る個別画像が証明写真用画像として表示される。
【０６５３】
この例においても、利用者それぞれに選択された用途に対応した背景の色や写りが、利用者それぞれの撮影画像に対して設定されることにより、最終的に得られる利用者それぞれの証明写真用画像を、より用途に適したものとすることができる。
【０６５４】
また、個別画像の調整が終了すると、全体画像の調整画面が表示される。全体画像の調整画面の構成は、例えば図３１を参照して説明した調整画面の構成と同様である。
【０６５５】
そして、調整処理によって得られた調整後の個別画像および全体画像は、印刷管理部３０３によって実行される証明写真コースの印刷処理（図４１）によって、証明写真用画像としてシール紙に印刷される。
【０６５６】
［シール紙の例］
図９０は、上述した個別画像および全体画像が証明写真用画像として印刷されたシール紙の例を示す図である。
【０６５７】
図９０に示されるシール紙は、４枚の証明写真用画像が配置されて印刷されたシール紙である。
【０６５８】
シール紙の右側およそ３分の２の領域には、２人の利用者それぞれの個別画像が１枚ずつ、２人の利用者の全体画像が２枚印刷され、シール紙の左側およそ３分の１には領収証および注意書きなどが印刷される。
【０６５９】
なお、図９１に示されるように、シール紙を上下に分けた領域それぞれに、利用者それぞれの個別画像と全体画像とが配置されたシール紙が印刷されるようにしてもよい。
【０６６０】
図９１に示されるシール紙の上半分の領域には、１人目の利用者の個別画像と全身画像が印刷され、その左下には領収証が、その右下には注意書きなどが印刷される。また、シール紙の下半分の領域には、２人目の利用者の個別画像と全身画像が印刷され、その左下には領収証が、その右下には注意書きなどが印刷される。
【０６６１】
以上のようにして、利用者に選択された用途によって、複数の利用者それぞれが写る個別画像に加えて、複数の利用者全体が写る全体画像が得られ、その個別画像と全体画像とが、証明写真用画像としてシール紙に印刷されるようになるので、オーディション用の証明写真など、利用者それぞれの画像の写真と利用者全体の画像の写真を所望する利用者に対して、全体の証明写真と個別の証明写真とを一括して提供することが可能となる。
【０６６２】
以上においては、個別撮影として、利用者それぞれを被写体とした撮影を行うことで、利用者それぞれが写る個別画像が得られるようしたが、利用者全体が写る画像から利用者それぞれの領域を切り出すことで、利用者それぞれが写る個別画像が得られるようにしてもよい。
【０６６３】
［証明写真コースにおける撮影処理の他の例］
図９２は、証明写真コースにおける撮影処理の他の例について説明するフローチャートである。
【０６６４】
なお、図９２のフローチャートのステップＳ３４１乃至Ｓ３５１の処理は、図８７のフローチャートのステップＳ３１１，Ｓ３１２，Ｓ３１９乃至Ｓ３２７の処理とそれぞれ基本的に同様である。
【０６６５】
ただし、全体撮影が行われるステップＳ３４５またはステップＳ３４７のいずれかにおいて、撮影管理部３０１は、複数の利用者全体を被写体とした撮影（全体撮影）を行い、複数の利用者全体が写る画像（全体画像）から、利用者それぞれの領域を切り出すことで、利用者毎の個別画像を取得する。
【０６６６】
具体的には、図９３に示されるように、２人の利用者である人物Ｈ６，Ｈ７を被写体とした全体撮影により得られた全体画像１２０１から、人物Ｈ６の顔および上半身を含む領域Ｔ１と、人物Ｈ７の顔および上半身を含む領域Ｔ２とが切り出される。切り出された領域Ｔ１，Ｔ２の画像はそれぞれ、人物Ｈ６の個別画像１２１１および人物Ｈ７の個別画像１２１２として得られるようになる。
【０６６７】
これにより、利用者毎に撮影を行うことなく、１回の撮影で個別画像が得られるようになるので、撮影作業にかかる時間を短縮することができる。
【０６６８】
なお、上述した撮影が行われる場合、ライブビュー表示画面の画像表示領域を、上述で説明したものより左右方向に広く表示するか、または、ライブビュー表示画面の画像表示領域において、証明写真用画像で必要とされる被写体を含む領域（領域Ｔ１，Ｔ２）より広い領域を表示させて、撮影が行われるようにしてもよい。具体的には、図９４に示されるように、ライブビュー表示画面において人物Ｈ６，Ｈ７の動画像が表示される画像表示領域４３１は、図８７を参照して説明した全体撮影時のライブビュー表示画面の画像表示領域４３１と比較して左右に広くなるようにして表示される。
【０６６９】
また、上述した撮影が行われる際、人物Ｈ６，Ｈ７それぞれの領域同士が近いかまたは重なっている場合、ガイダンス出力制御部３２１の制御により、図９５に示されるように、ライブビュー表示画面の画像表示領域４３１の上に、その旨の案内が、「もう少し離れてね！」などの文字情報１２２１として表示されたり、音声としてスピーカ２２４から出力されるようにしてもよい。
【０６７０】
以上のようなライブビュー表示画面の表示や、案内の表示および出力を、それぞれ別個にまたは合わせて行うことにより、利用者は、お互いの間隔に余裕をもって撮影に臨むことができるので、利用者全体が写る全体画像１２０１から、利用者それぞれの領域Ｔ１，Ｔ２を切り出す際に、例えば、人物Ｈ６と人物Ｈ７の肩などか重なって切り出されることを避けることができるようになる。
【０６７１】
なお、上述した説明において、用途や業種は、図６５の用途選択画面や、図７３または図７５の業種選択画面に示されるものに限らず、他の用途や業種が用意されるようにしてもよい。
【０６７２】
本発明の実施の形態は、上述した実施の形態に限定されるものではなく、本発明の要旨を逸脱しない範囲において種々の変更が可能である。
【符号の説明】
【０６７３】
１  写真シール作成装置，  １１  撮影ユニット，  １２  画像処理ユニット，  ２０１  制御部，  ３０１  撮影管理部，  ３０２  画像処理管理部，  ３０３  印刷管理部，  ３０４  事後接客管理部，  ３０５  シーケンス管理部
【図１】
2015148774.tif 000003
【図２】
2015148774.tif 000004
【図３】
2015148774.tif 000005
【図４】
2015148774.tif 000006
【図５】
2015148774.tif 000007
【図６】
2015148774.tif 000008
【図７】
2015148774.tif 000009
【図８】
2015148774.tif 000010
【図９】
2015148774.tif 000011
【図１０】
2015148774.tif 000012
【図１１】
2015148774.tif 000013
【図１２】
2015148774.tif 000014
【図１３】
2015148774.tif 000015
【図１４】
2015148774.tif 000016
【図１５】
2015148774.tif 000017
【図１６】
2015148774.tif 000018
【図１７】
2015148774.tif 000019
【図１８】
2015148774.tif 000020
【図１９】
2015148774.tif 000021
【図２０】
2015148774.tif 000022
【図２１】
2015148774.tif 000023
【図２２】
2015148774.tif 000024
【図２３】
2015148774.tif 000025
【図２４】
2015148774.tif 000026
【図２５】
2015148774.tif 000027
【図２６】
2015148774.tif 000028
【図２７】
2015148774.tif 000029
【図２８】
2015148774.tif 000030
【図２９】
2015148774.tif 000031
【図３０】
2015148774.tif 000032
【図３１】
2015148774.tif 000033
【図３２】
2015148774.tif 000034
【図３３】
2015148774.tif 000035
【図３４】
2015148774.tif 000036
【図３５】
2015148774.tif 000037
【図３６】
2015148774.tif 000038
【図３７】
2015148774.tif 000039
【図３８】
2015148774.tif 000040
【図３９】
2015148774.tif 000041
【図４０】
2015148774.tif 000042
【図４１】
2015148774.tif 000043
【図４２】
2015148774.tif 000044
【図４３】
2015148774.tif 000045
【図４４】
2015148774.tif 000046
【図４５】
2015148774.tif 000047
【図４６】
2015148774.tif 000048
【図４７】
2015148774.tif 000049
【図４８】
2015148774.tif 000050
【図４９】
2015148774.tif 000051
【図５０】
2015148774.tif 000052
【図５１】
2015148774.tif 000053
【図５２】
2015148774.tif 000054
【図５３】
2015148774.tif 000055
【図５４】
2015148774.tif 000056
【図５５】
2015148774.tif 000057
【図５６】
2015148774.tif 000058
【図５７】
2015148774.tif 000059
【図５８】
2015148774.tif 000060
【図５９】
2015148774.tif 000061
【図６０】
2015148774.tif 000062
【図６１】
2015148774.tif 000063
【図６２】
2015148774.tif 000064
【図６３】
2015148774.tif 000065
【図６４】
2015148774.tif 000066
【図６５】
2015148774.tif 000067
【図６６】
2015148774.tif 000068
【図６７】
2015148774.tif 000069
【図６８】
2015148774.tif 000070
【図６９】
2015148774.tif 000071
【図７０】
2015148774.tif 000072
【図７１】
2015148774.tif 000073
【図７２】
2015148774.tif 000074
【図７３】
2015148774.tif 000075
【図７４】
2015148774.tif 000076
【図７５】
2015148774.tif 000077
【図７６】
2015148774.tif 000078
【図７７】
2015148774.tif 000079
【図７８】
2015148774.tif 000080
【図７９】
2015148774.tif 000081
【図８０】
2015148774.tif 000082
【図８１】
2015148774.tif 000083
【図８２】
2015148774.tif 000084
【図８３】
2015148774.tif 000085
【図８４】
2015148774.tif 000086
【図８５】
2015148774.tif 000087
【図８６】
2015148774.tif 000088
【図８７】
2015148774.tif 000089
【図８８】
2015148774.tif 000090
【図８９】
2015148774.tif 000091
【図９０】
2015148774.tif 000092
【図９１】
2015148774.tif 000093
【図９２】
2015148774.tif 000094
【図９３】
2015148774.tif 000095
【図９４】
2015148774.tif 000096
【図９５】
2015148774.tif 000097